(57)【要約】【課題】注入時にインクの漏れ出しが有っても、目盛などの汚れを生じることが無く、視認性を確保することが可能な液滴噴射装置を提供する。【解決手段】液滴噴射装置としてのプリンター１Ａは、少なくとも一部が透光性を有する部材で構成されたタンク２１と、タンク２１を覆うカバー部としてのタンクカバー１８と、タンクカバー１８の少なくとも一部に備えられ、タンク２１の内部に収容された液体(インク)を視認可能な透光部１９と、を備え、透光部１９には、目盛３１、および識別マーク３２の少なくとも一つが設けられている。【選択図】図１
2018111259.tif 000002
【特許請求の範囲】
【請求項１】
少なくとも一部が透光性を有する部材で構成されたタンクと、
前記タンクを覆うカバー部と、
前記カバー部の少なくとも一部に備えられ、前記タンクの内部に収容された液体を視認可能な透光部と、を備え、
前記透光部には、目盛、および識別マークの少なくとも一つが設けられていることを特徴とする液滴噴射装置。
【請求項２】
請求項１に記載の液滴噴射装置において、
前記目盛は、前記液体の量に対応し、
前記識別マークは、前記液体の種別に対応して設けられていることを特徴とする液滴噴射装置。
【請求項３】
請求項１または請求項２に記載の液滴噴射装置において、
前記透光部は、前記カバー部と一体構造で構成されていることを特徴とする液滴噴射装置。
【請求項４】
請求項１または請求項２に記載の液滴噴射装置において、
前記透光部は、
前記カバー部の壁面の一部に設けられた貫通孔と、
前記貫通孔を覆う透光板と、を備えていることを特徴とする液滴噴射装置。
【請求項５】
請求項１ないし請求項４のいずれか一項に記載の液滴噴射装置において、
前記タンクを保持する筐体を備え、
前記カバー部は、前記筐体に開閉可能に支持されていることを特徴とする液滴噴射装置。
【請求項６】
請求項１から請求項５のいずれか一項に記載の液滴噴射装置であって、
前記タンクは、前記液体を注入可能な注入口を有していることを特徴とする液滴噴射装置。
【請求項７】
請求項１ないし請求項６のいずれか一項に記載の液滴噴射装置において、
前記透光部の少なくとも一部が、前記カバー部の外面から突出していることを特徴とする液滴噴射装置。
【請求項８】
請求項１ないし請求項７のいずれか一項に記載の液滴噴射装置において、
前記透光部の外周側には、前記透光部の外縁に沿って配設された輪郭線を含む外縁部が設けられていることを特徴とする液滴噴射装置。
【請求項９】
請求項８に記載の液滴噴射装置において、
前記外縁部は、着色されていることを特徴とする液滴噴射装置。
【請求項１０】
請求項８に記載の液滴噴射装置において、
前記外縁部は、シボ加工されていることを特徴とする液滴噴射装置。
【請求項１１】
請求項１ないし請求項１０のいずれか一項に記載の液滴噴射装置において、
前記目盛、および識別マークの少なくともいずれかは、透明シートに設けられ、
前記透明シートが、前記透光部に貼り付けられていることを特徴とする液滴噴射装置。
【請求項１２】
請求項１ないし請求項１１のいずれか一項に記載の液滴噴射装置であって、
前記目盛は、点、および線の少なくとも一つを含み構成されていることを特徴とする液滴噴射装置。
【請求項１３】
請求項１２に記載の液滴噴射装置であって、
前記線は、実線および点線の少なくとも一つを含むことを特徴とする液滴噴射装置。
【請求項１４】
請求項１２または請求項１３に記載の液滴噴射装置であって、
前記点、および前記線の、形状、色、色の濃淡の少なくとも一つを変えることによって前記液体の残量を区分していることを特徴とする液滴噴射装置。
【請求項１５】
請求項８ないし請求項１４のいずれか一項に記載の液滴噴射装置であって、
前記目盛は、前記外縁部に配置されていることを特徴とする液滴噴射装置。
【請求項１６】
請求項８ないし請求項１５のいずれか一項に記載の液滴噴射装置であって、
前記識別マークは、前記外縁部に配置され、前記透光部、前記輪郭線および前記目盛の少なくとも一つと連接されていることを特徴とする液滴噴射装置。
【発明の詳細な説明】
【技術分野】
【０００１】
本発明は、媒体に液滴を噴射する液滴噴射装置に関する。
【背景技術】
【０００２】
液体消費装置の一例である液滴噴射装置（インクジェットプリンター）には、記録ヘッドを搭載したキャリッジが主走査方向に往復動しつつ該記録ヘッドから媒体に液滴（その一例であるインク）を吐出するような構成が知られている。記録ヘッドから媒体に噴射される液滴は、キャリッジ上とは別に設けられたインクタンク（以下、タンクと呼ぶ）に注入された液体を記録ヘッドに向けて供給される。このタンクは、透光性を有する部材で構成されており、このタンクの表面には目盛などが設けられている。そして、外部に露出されたタンクの表面の目盛などにより、ユーザーが液体の残量を視認できるように構成されている（例えば、特許文献１、および特許文献２参照）。
【先行技術文献】
【特許文献】
【０００３】
【特許文献１】特開２０１４−５４８２３号公報
【特許文献２】特開２０１６−２２７２５号公報
【発明の概要】
【発明が解決しようとする課題】
【０００４】
しかしながら、特許文献１および特許文献２に記載されている液体消費装置では、タンクの表面に目盛などが設けられているため、注入時に漏れ出たインクなどによって目盛が汚れ、ユーザーがインクの残量を視認するときの視認性が低下する虞を有していた。
本発明は、このような課題を解決するためになされたものであり、注入時にインクの漏れ出しが有っても、目盛などの汚れを生じることが無く、視認性を確保することが可能な液滴噴射装置を提供することを目的とする。
【課題を解決するための手段】
【０００５】
本発明は、以下の形態、または適用例として実現され得る。
【０００６】
［適用例１］本適用例に係る液滴噴射装置は、少なくとも一部が透光性を有する部材で構成されたタンクと、前記タンクを覆うカバー部と、前記カバー部の少なくとも一部に備えられ、前記タンクの内部に収容された液体を視認可能な透光部と、を備え、前記透光部には、目盛、および識別マークの少なくとも一つが設けられていることを特徴とする。
【０００７】
本適用例の構成によれば、カバー部の少なくとも一部に備えられた透光部に目盛および識別マークの少なくとも一つが設けられているため、例えば収容された液体などによってタンクの外面が汚れても、目盛や識別マークが汚れることが無い。したがって、タンクの透光性を有する部材およびカバー部の透光部を介して、ユーザーが液体量（液体残量）を視認する際の視認性を低下させることなく、視認性の良好な状態を維持することができる。
【０００８】
［適用例２］上記適用例に係る液滴噴射装置において、前記目盛は、前記液体の量に対応し、前記識別マークは、前記液体の種別に対応して設けられていることが好ましい。
【０００９】
本適用例の構成によれば、ユーザーは、液体の量に対応する目盛と、液体の種別に対応する識別マークとにより、液体の種類別の液体量（液体残量）を容易に視認することができるとともに、インクの種別や色違いによる誤注入を防止することができる。
【００１０】
［適用例３］上記適用例に係る液滴噴射装置において、前記透光部は、前記カバー部と一体構造で構成されていることが好ましい。
【００１１】
本適用例の構成によれば、カバー部と透光部とを一体構造とすることにより、容易に加工を行うことができるので、生産コストを低減することができる。また、透光部の設けられている部分の厚みが大きくなることを防止できるなど、デザイン性を損ねることなくカバー部を構成することができる。
【００１２】
［適用例４］上記適用例に係る液滴噴射装置において、前記透光部は、前記カバー部の壁面の一部に設けられた貫通孔と、前記貫通孔を覆う透光板と、を備えていることが好ましい。
【００１３】
本適用例の構成によれば、比較的容易な加工によって形成が可能な構成である貫通孔および透光板によって透光部を構成することができる。
【００１４】
［適用例５］上記適用例に係る液滴噴射装置において、前記タンクを保持する筐体を備え、前記カバー部は、前記筐体に開閉可能に支持されていることが好ましい。
【００１５】
本適用例の構成によれば、例えばタンクに液体を補充する場合など、必要に応じてカバーを開けて内部のタンク（注入口）を容易に露出させることができる。
【００１６】
［適用例６］上記適用例に係る液滴噴射装置において、前記タンクは、前記液体を注入可能な注入口を有していることが好ましい。
【００１７】
本適用例の構成によれば、液体が少なくなった場合に、注入口からタンクに液体を注入することができるので、タンクを交換する作業を不要にできる。また、液体が減少したり、無くなったりした際に容易にタンクに液体を補充することができる。
【００１８】
［適用例７］上記適用例に係る液滴噴射装置において、前記透光部の少なくとも一部が、前記カバー部の外面から突出していることが好ましい。
【００１９】
本適用例の構成によれば、例えばインクの種類に対応して透光部を個別に突出させるなどにより、正面以外から液体量（液体残量）を視認する場合におけるユーザーの視認性を向上させることができる。
【００２０】
［適用例８］上記適用例に係る液滴噴射装置において、前記透光部の外周側には、前記透光部の外縁に沿って配設された輪郭線を含む外縁部が設けられていることが好ましい。
【００２１】
本適用例の構成によれば、透光部の外縁に沿って配設された輪郭線を含む外縁部によって、それぞれの透光部を明確に区分することができ、ユーザーの視認性をより高めることができる。
【００２２】
［適用例９］上記適用例に係る液滴噴射装置において、前記外縁部は、着色されていることが好ましい。
【００２３】
本適用例の構成によれば、外縁部の着色によって、それぞれの透光部を色分けによって区分することができ、ユーザーの視認性をより高めることができる。
【００２４】
［適用例１０］上記適用例に係る液滴噴射装置において、前記外縁部は、シボ加工されていることが好ましい。
【００２５】
本適用例の構成によれば、外縁部にシボ加工（皺加工）が施されているため、外縁部と透光部との区分をより明確に行うことができ、ユーザーの視認性をより高めることができる。
【００２６】
［適用例１１］上記適用例に係る液滴噴射装置において、前記目盛、および識別マークの少なくともいずれかは、透明シートに設けられ、前記透明シートが、前記透光部に貼り付けられていることが好ましい。
【００２７】
本適用例の構成によれば、透明シートを貼りかえることにより、目盛や識別マークを、他の目盛や識別マークに容易に変更することができる。
【００２８】
［適用例１２］上記適用例に係る液滴噴射装置において、前記目盛は、点、および線の少なくとも一つを含み構成されていることが好ましい。
【００２９】
本適用例の構成によれば、点、および線の少なくとも一つを含んで目盛を構成することによって、より視認性を高めた目盛を実現することができる。
【００３０】
［適用例１３］上記適用例に係る液滴噴射装置において、前記線は、実線および点線の少なくとも一つを含むことが好ましい。
【００３１】
本適用例の構成によれば、種々の線種を用いることにより、より視認性を高めた目盛を実現することができる。
【００３２】
［適用例１４］上記適用例に係る液滴噴射装置において、前記点、および前記線の、形状、色、色の濃淡の少なくとも一つを変えることによって前記液体の残量を区分していることが好ましい。
【００３３】
本適用例の構成によれば、液体の残量の区分を、点および線の、形状、色、色の濃淡などによって行うことによって見やすい区分となり、ユーザーの一目による視認性を向上させることができる。
【００３４】
［適用例１５］上記適用例に係る液滴噴射装置において、前記目盛は、前記外縁部に配置されていることが好ましい。
【００３５】
本適用例の構成によれば、透光部を通して視認することが可能な液体の量を、外縁部の目盛と対比して視認することができ、液体量（液体残量）を容易に視認することができる。
【００３６】
［適用例１６］上記適用例に係る液滴噴射装置において、前記識別マークは、前記外縁部に配置され、前記透光部、前記輪郭線および前記目盛の少なくとも一つと連接されていることが好ましい。
【００３７】
本適用例の構成によれば、外縁部に配置された識別マークが透光部、輪郭線および目盛の少なくとも一つと連接されていることにより、液体の種類と液体量（液体残量）との繋がりが明確になり、ユーザーの視認性を更に向上させることができる。
【図面の簡単な説明】
【００３８】
【図１】第１実施形態に係るプリンターの外観を示す斜視図。
【図２】第１実施形態に係るプリンターの外観を示す斜視図。
【図３】第１実施形態に係るプリンターの可視カバーの構成例を示す正面図。
【図４】第１実施形態に係るプリンターの主要構成を示す斜視図。
【図５】第２実施形態に係るプリンターの外観を示す斜視図。
【図６】第２実施形態に係るプリンターの外観を示す斜視図。
【図７】第２実施形態に係るプリンターの可視カバーの構成例を示す正面図。
【図８】第３実施形態に係るプリンターの外観を示す斜視図。
【図９】第３実施形態に係るプリンターの可視カバーの構成例を示す正面図。
【図１０】第４実施形態に係るプリンターの外観を示す斜視図。
【図１１】実施例１に係る透光部、目盛および識別マークを示す正面図。
【図１２】実施例２に係る透光部、目盛および識別マークを示す正面図。
【図１３】実施例３に係る透光部、目盛および識別マークを示す正面図。
【図１４】実施例４に係る透光部、目盛および識別マークを示す正面図。
【図１５】実施例５に係る透光部、目盛および識別マークを示す正面図。
【図１６】実施例６に係る透光部、目盛および識別マークを示す正面図。
【図１７】実施例７に係る透光部、目盛および識別マークを示す正面図。
【図１８】実施例８に係る透光部、目盛および識別マークを示す正面図。
【図１９】実施例９に係る透光部、目盛および識別マークを示す正面図。
【図２０】実施例１０に係る透光部、目盛および識別マークを示す正面図。
【図２１】実施例１１に係る透光部、目盛および識別マークを示す正面図。
【図２２】実施例１２に係る透光部、目盛および識別マークを示す正面図。
【図２３】実施例１３に係る透光部、目盛および識別マークを示す正面図。
【図２４】実施例１４に係る透光部、目盛および識別マークを示す正面図。
【図２５】実施例１５に係る透光部、目盛および識別マークを示す正面図。
【図２６】実施例１６に係る透光部、目盛および識別マークを示す正面図。
【図２７】実施例１７に係る透光部、目盛および識別マークを示す正面図。
【図２８】実施例１８に係る透光部、目盛および識別マークを示す正面図。
【図２９】実施例１９に係る透光部、目盛および識別マークを示す正面図。
【図３０】実施例２０に係る透光部、目盛および識別マークを示す正面図。
【図３１】実施例２１に係る透光部、目盛および識別マークを示す正面図。
【図３２】実施例２２に係る透光部、目盛および識別マーク示す正面図。
【図３３】実施例２３に係る透光部、目盛および識別マークを示す正面図。
【図３４】実施例２４に係る透光部、目盛および識別マークを示す正面図。
【図３５】実施例２５に係る透光部、目盛および識別マークを示す正面図。
【図３６】実施例２６に係る透光部、目盛および識別マークを示す正面図。
【図３７】実施例２７に係る透光部、目盛および識別マークを示す正面図。
【図３８Ａ】実施例２８に係る透光部、目盛および識別マークを示す正面図。
【図３８Ｂ】実施例２８に係る透光部、目盛および識別マークにおけるインク残量の視認例を示す正面図。
【図３９】実施例２９に係る透光部、目盛および識別マークを示す正面図。
【図４０】実施例３０に係る透光部、目盛および識別マークを示す正面図。
【図４１】実施例３１に係る透光部、目盛および識別マークを示す正面図。
【図４２】実施例３２に係る透光部、目盛および識別マークを示す正面図。
【図４３】実施例３３に係る透光部、目盛および識別マークを示す正面図。
【図４４】実施例３４に係る透光部、目盛および識別マークを示す正面図。
【図４５】実施例３５に係る透光部、目盛および識別マークを示す正面図。
【図４６】実施例３６に係る透光部、目盛および識別マークを示す正面図。
【図４７】実施例３７に係る透光部、目盛および識別マークを示す正面図。
【図４８】実施例３８に係る透光部、目盛および識別マークを示す正面図。
【図４９】実施例３９に係る透光部、目盛および識別マークを示す正面図。
【図５０】実施例４０に係る透光部、目盛および識別マークを示す正面図。
【図５１】実施例４１に係る透光部、目盛および識別マークを示す正面図。
【図５２】実施例４２に係る透光部、目盛および識別マークを示す正面図。
【図５３】実施例４３に係る透光部、目盛および識別マークを示す正面図。
【図５４】実施例４４に係る透光部、目盛および識別マークを示す正面図。
【図５５】実施例４５に係る透光部、目盛および識別マークを示す正面図。
【図５６】実施例４６に係る透光部、目盛および識別マークを示す正面図。
【図５７】実施例４７に係る透光部、目盛および識別マークを示す正面図。
【図５８】実施例４８に係る透光部、目盛および識別マークを示す正面図。
【図５９】実施例４９に係る透光部、目盛および識別マークを示す正面図。
【図６０】実施例５０に係る透光部、目盛および識別マークを示す正面図。
【図６１】実施例５１に係る透光部、目盛および識別マークを示す正面図。
【図６２】実施例５２に係る透光部、目盛および識別マークを示す正面図。
【図６３】実施例５３に係る透光部、目盛および識別マークを示す正面図。
【図６４】実施例５４に係る透光部、目盛および識別マークを示す正面図。
【図６５】実施例５５に係る透光部、目盛および識別マークを示す正面図。
【図６６】実施例５６に係る透光部、目盛および識別マークを示す正面図。
【図６７】実施例５７に係る透光部、目盛および識別マークを示す正面図。
【図６８】実施例５８に係る透光部、目盛および識別マークを示す正面図。
【図６９】実施例５９に係る透光部、目盛および識別マークを示す正面図。
【図７０】実施例６０に係る透光部、目盛および識別マークを示す正面図。
【発明を実施するための形態】
【００３９】
液滴噴射装置の一例であるインクジェットプリンター（以下、プリンターと呼ぶ）を例に、実施形態を説明する。以下の実施形態に係るプリンターは、液体の一例であるインクを噴射することによって、記録用紙などの記録媒体に印刷を行うことができる。第１、第２、第３、および第４実施形態に係るプリンターでは、基本構成が共通であって、タンクを覆うカバー部としてのタンクカバーにおいて、タンクに収容されているインクのインク量（インク残量）を視認するための構成が異なっている。また、各実施形態に係るプリンターにおいて、タンクに収容されているインクのインク量（インク残量）を視認性を向上させるために、タンクカバーに配設されている目盛や識別マークを様々に異ならせた実施例が用意されている。
【００４０】
以下に、各実施形態について、図面を参照しながら説明する。なお、各図面において、それぞれの構成を認識可能な程度の大きさにするために、構成や部材の縮尺が異なっていることがある。また、説明に必要な構成要素以外を省略することがある。
【００４１】
１．第１実施形態
先ず、図１、図２、および図３を参照して、第１実施形態に係るプリンター１Ａの外観における概略構成を説明する。図１および図２は、第１実施形態に係るプリンターの外観を示す斜視図である。詳しくは、図１は第１実施形態に係るプリンター１Ａを＋Ｘ方向側から見た斜視図であり、図２は−Ｘ方向側から見た斜視図である。図３は、第１実施形態に係るプリンターの可視カバーの構成例を示す正面図である。図１、図２、および図３には、相互に直交する座標軸であるＸＹＺ軸が付されている。本実施形態では、Ｘ軸とＹ軸とによって規定される水平な平面（ＸＹ平面）にプリンター１Ａを配置した状態が、プリンター１Ａの使用状態である。ＸＹ平面にプリンター１Ａを配置したときのプリンター１Ａの姿勢を、プリンター１Ａの使用姿勢と呼ぶ。なお、これ以降の実施形態を示す図についても、必要に応じてＸＹＺ軸が付されている。
【００４２】
Ｚ軸は、水平な平面に直交する軸である。プリンター１Ａの使用状態において、Ｚ軸に沿った方向が鉛直方向となる。そして、プリンター１Ａの使用状態では、図１および図２において、−Ｚ方向が鉛直下方向である。なお、ＸＹＺ軸のそれぞれにおいて、矢印の向きが＋（正）の方向を示し、矢印の向きとは反対の向きが−（負）の方向を示している。図１は、プリンター１Ａを＋Ｘ方向側から見た斜視図である。図２は、プリンター１Ａを−Ｘ方向側から見た斜視図である。
【００４３】
図１および図２に示すように、第１実施形態に係るプリンター１Ａは、筐体２と、操作パネル３と、排紙部４と、可視カバー５と、蓋部６と、カバー９と、カバー１０と、を有している。なお、可視カバー５および蓋部６によってタンクユニット２０（図４参照）を覆うカバー部としてのタンクカバー１８が構成される。また、プリンター１Ａは、スキャナーユニット（図示しない）を含んでいる。すなわち、プリンター１Ａは、スキャナーユニットを含む複合機である。なお、プリンター１Ａが複合機ではなく、スキャナーユニットを含まないプリンターであってもよい。
【００４４】
筐体２は、プリンター１Ａの外殻を構成している。操作パネル３は、筐体２の外側に配置されている。操作パネル３は、プリンター１Ａにおいて、排紙部４が配置された側の面（正面１１）に配置されている。操作パネル３は、電源ボタン７や、表示パネル８などを含んでいる。なお、表示パネル８としては、例えば、タッチパネルなどのユーザーによる入力を受け付け可能なパネルを採用することができる。また、操作パネル３の傾斜を調整（チルト調整とも呼ばれる）可能な構造としてもよい。操作パネル３の傾斜を調整することができれば、ユーザーが所望の傾斜で操作パネル３を見たり操作したりすることができるので、利便性が高められる。
【００４５】
排紙部４は、筐体２における操作パネル３と同じ側の面に設けられている。プリンター１Ａでは、排紙部４から記録媒体Ｐ（図４参照）が排出される。プリンター１Ａにおいて、排紙部４が設けられている面が正面１１とされている。プリンター１Ａの正面１１が筐体２の正面１１でもある。本実施例では、操作パネル３の外面および排紙部４の外面のＹ軸方向における位置は、筐体２の正面１１の外面のＹ軸方向における位置と略同一である。
【００４６】
筐体２は、正面１１と交差する上面１２と、正面１１および上面１２と交差する側壁１３および側壁１４とを有している。正面１１を正面に見たとき、すなわち正面１１を＋Ｙ方向側から平面視したとき、側壁１３は正面１１の＋Ｘ方向側に位置しており、側壁１４は正面１１の−Ｘ方向側に位置している。筐体２のうち、操作パネル３および排紙部４の＋Ｘ方向側（正面１１と側壁１３とのコーナー側）の部分は、操作パネル３および排紙部４が設けられた部分よりも＋Ｙ方向側に突出している。
【００４７】
可視カバー５は、筐体２の正面１１側に設けられている。可視カバー５は、筐体２のうち、操作パネル３および排紙部４が設けられた部分よりも＋Ｙ方向側に突出した部分に配置されている。したがって、可視カバー５は、Ｘ軸方向において操作パネル３および排紙部４よりも側壁１３側（＋Ｘ方向側）、かつ、Ｙ軸方向において操作パネル３および排紙部４よりも手前側（＋Ｙ方向側）に配置されている。
【００４８】
可視カバー５は、正面１１（ＸＺ平面）に沿った面を有している。詳細な図示は省略するが、筐体２の可視カバー５が配置される部分には開口部が設けられており、その開口部を塞ぐように、可視カバー５が設けられる。可視カバー５は、後述する蓋部６に接続され、タンクカバー１８を構成する。なお、可視カバー５は、プリンター１Ａの正面１１を＋Ｙ方向側から平面視したとき、図４を参照して後述するタンクユニット２０（五つのタンク２１）の透光性を有する部材の配置側と重なる位置に設けられる。
【００４９】
可視カバー５は、可視カバー５の内側（−Ｙ側）、即ちタンクユニット２０（図４参照）の視認が可能な透光部１９、透光部１９の外周側に配置された外縁部３０、透光部１９に設けられた目盛３１、および外縁部３０に設けられた識別マーク３２を備えている。ここで、図３も併せて参照し、以下にて可視カバー５の構成について詳細に説明する。
【００５０】
図３に示すように、可視カバー５は、可視カバー５の内側（−Ｙ側）を視認することが可能な程度の透光性を有する樹脂材料で形成されている。可視カバー５を樹脂材料で形成することで、ガラス等で形成する場合と比べて、容易に加工を行うことができるので、生産コストを低減することができる。
【００５１】
透光部１９は、図４を参照して後述するタンクユニット２０の五つのタンク２１のそれぞれに対応して、四隅を円弧状に丸めたＺ方向に縦長の概ね長方形をなした五つ（透光窓部１９ＢＫ，１９Ｃ，１９Ｙ，１９Ｍ，１９ＰＢ）を含んでいる。そして、透光部１９としての透光窓部１９ＢＫ，１９Ｃ，１９Ｙ，１９Ｍ，１９ＰＢのＸＺ平面外側に配置された外縁部３０は、この樹脂材料の表面に着色塗料を塗布したり、着色フィルムを貼付したり、或いは、シボ（皺）加工を施したりすることによって形成される。なお、シボ加工によって形成される模様には、皮革（ウロコ）、梨地、木目、岩目、砂目、布地模様、幾何学模様などがある。また、シボ加工には、筋目もしくはシルクラインと呼ばれるヘアライン仕上げやつや消し仕上げを含むことができる。このように外縁部３０を設けることにより、透光部１９としての透光窓部１９ＢＫ，１９Ｃ，１９Ｙ，１９Ｍ，１９ＰＢと外縁部３０との区分を明確にすることができ、ユーザーの視認性をより高めることができる。なお、透光部１９としての透光窓部１９ＢＫ，１９Ｃ，１９Ｙ，１９Ｍ，１９ＰＢの外縁には、それぞれの透光窓部１９ＢＫ，１９Ｃ，１９Ｙ，１９Ｍ，１９ＰＢの外縁に沿って配設された輪郭線３４を設けてもよい。なお、輪郭線３４は、例えばそれぞれのインク色に対応した個別色、統一された黒色、白抜き線など、どのような色調であってもよい。また、輪郭線３４は、外縁部３０に含まれることができる。
【００５２】
ユーザーは、プリンター１Ａの正面１１を＋Ｙ方向側から平面視したとき、この透光部１９において、タンクユニット２０（五つのタンク２１）を視認することができ、加えてタンクユニット２０（五つのタンク２１）の透光性を有する部材を透してタンクユニット２０（五つのタンク２１）内に収容されているインク（インクの残量）を視認することができる。なお、本実施形態では、最も−Ｘ側に位置するタンク２１にブラックインクが収容され、以降＋Ｘ軸に向かう順に、それぞれのタンク２１に、シアンインク、イエローインク、マゼンタインク、および顔料系のブラックインクが収容されている例を示している。
【００５３】
透光部１９を構成する透光窓部１９ＢＫ，１９Ｃ，１９Ｙ，１９Ｍ，１９ＰＢのそれぞれには、目盛３１として、例えば横線の上限目盛３１Ｕや横線と黒三角記号で構成された下限目盛３１Ｌ、上限目盛３１Ｕの横線よりも若干短い横線の上部目盛３１Ｆや中間目盛３１Ｃや下部目盛３１Ｋ、それぞれの横線間に複数の点によって設けられた細分目盛３１Ｂなどが配設されている。なお、目盛３１を構成する上限目盛３１Ｕ、下限目盛３１Ｌ、上部目盛３１Ｆ、中間目盛３１Ｃ、下部目盛３１Ｋ、および細分目盛３１Ｂは、例えばそれぞれのインク色に対応した個別色、統一された黒色、白抜き文字など、どのような色調であってもよい。
【００５４】
そして、ユーザーは、透光部１９を構成する透光窓部１９ＢＫ，１９Ｃ，１９Ｙ，１９Ｍ，１９ＰＢのそれぞれに設けられている目盛３１、および外縁部３０に設けられている、例えばインク種別を示す識別マーク３２(詳細は後述する)などと対比することによって、プリンター１Ａの正面１１を＋Ｙ方向側から可視カバー５を介してタンクユニット２０（五つのタンク２１）に収容されているインク３５ＩＢＫ，３５IＣ，３５ＩＹ，３５ＩＭ，３５ＩＰＢの量（インク残量）を視認し、把握することができるとともに、インクの種別や色違いによる誤注入を防止することができる。
【００５５】
また、目盛３１が、点、および線の少なくとも一つを含んで構成されていること、もしくは実線や点線などの少なくとも一つを含む種々の線種を用いることによって、より視認性を高めた目盛を実現することができる。また、インクの残量の区分を、点および線の、形状、色、色の濃淡などによって行うことによって見やすい区分となり、ユーザーの一目による視認性を向上させることができる。
【００５６】
本実施形態の識別マーク３２は、五つのタンク２１のそれぞれに収容されているインクの種別を示しており、例えばブラックインクを表す「白抜き○中にＢＫ」のマーク３２ＢＫ、シアンインクを表す「角丸の白抜き□中にＣ」のマーク３２Ｃ、イエローインクを表す「角丸の白抜き□中にＹ」のマーク３２Ｙ、マゼンタインクを表す「角丸の白抜き□中にＭ」のマーク３２Ｍ、および顔料系のブラックインクを表す「角丸の白抜き□中にＰＢ」のマーク３２ＰＢを含んでいる。なお、マーク３２ＢＫ，３２Ｃ，３２Ｙ，３２Ｍ，３２ＰＢは、例えばそれぞれのインク色に対応した個別色、統一された黒色、白抜き文字など、どのような色調であってもよい。
【００５７】
また、それぞれのマーク３２ＢＫ，３２Ｃ，３２Ｙ，３２Ｍ，３２ＰＢの上部（＋Ｚ方向側）には、それらのマーク３２ＢＫ，３２Ｃ，３２Ｙ，３２Ｍ，３２ＰＢに対応すると共に、インクの色を識別し易くするために各インク色（インクの種別）に対応した色の縦線のマーク３３ＢＫ，３３Ｃ，３３Ｙ，３３Ｍ，３３ＰＢが配置されている。具体的には、ブラックインクを表すマーク３２ＢＫには、黒系色のマーク３３ＢＫが対応して配置され、シアンインクを表すマーク３２Ｃには、青系色のマーク３３Ｃが対応して配置され、マゼンタインクを表すマーク３２Ｍには、赤系色のマーク３３Ｍが対応して配置され、イエローインクを表すマーク３２Ｙには、黄系色のマーク３３Ｙが対応して配置されている。さらに、顔料系インクのブラックインクを表すマーク３２ＰＢには、黒系色のマーク３３ＰＢが対応して配置されている。
【００５８】
また、目盛３１、および識別マーク３２は、本実施形態のように、目盛３１、および識別マーク３２の両方が設けられている構成でもよいし、目盛３１、および識別マーク３２の少なくとも一つが設けられている構成でもよい。このように、目盛３１、および識別マーク３２が設けられていることにより、いずれの場合もタンクユニット２０（五つのタンク２１）に収容されているインク３５ＩＢＫ，３５ＩＣ，３５ＩＹ，３５ＩＭ，３５ＩＰＢの量（インク残量）を視認し、把握することができる。
【００５９】
また、透光部１９、透光部１９の外周側に配置された外縁部３０、透光部１９に設けられた目盛３１、および外縁部３０に設けられた識別マーク３２の、種々の異なる配置例については、後述の各実施例において詳細に説明する。
【００６０】
蓋部６は、筐体２の正面１１側に設けられている。蓋部６は、筐体２のうち操作パネル３および排紙部４が設けられた部分よりも＋Ｙ方向側に突出した部分における、可視カバー５の上方側（＋Ｚ方向側）に配置されている。蓋部６は、透光部１９を有する可視カバー５と一体構造とすることができる。このように、透光部１９を有する可視カバー５と蓋部６とを一体構造とすることにより、容易に加工を行うことができるので、生産コストを低減することができる。また、透光部１９の設けられている部分の厚みが大きくなることを防止できるなど、デザイン性を損ねることなくタンクカバー１８を構成することができる。なお、蓋部６と透光部１９とは、別体構造とすることができる。
【００６１】
蓋部６は、筐体２に対して開閉可能に支持されている。より具体的には、蓋部６は、図１に矢印で示すＲ１方向に回動可能に構成されている。Ｒ１方向は、Ｘ軸に沿った軸を回転軸として、＋Ｘ方向側からＹＺ平面を平面視したときに時計回りの方向に相当する。蓋部６を筐体２に対してＲ１方向に回動させることによって、蓋部６を筐体２に対して開くことができる。換言すれば、蓋部６と可視カバー５とによって構成されるタンクカバー１８を筐体２に対して開くことができる。蓋部６が開いた状態から、蓋部６をＲ１方向とは反対方向に回動させることによって、蓋部６を筐体２に対して閉じることができる。換言すれば、タンクカバー１８をＲ１方向とは反対方向に回動させることによって、タンクカバー１８を筐体２に対して閉じることができる。
【００６２】
カバー９とカバー１０とは、それぞれ、筐体２の一部を構成している。カバー９とカバー１０とは、筐体２の上面１２に設けられている。カバー９は、上面１２のうち−Ｙ方向側の一端に設けられている。カバー１０は、カバー９の＋Ｙ方向側に位置している。
【００６３】
カバー９は、蓋部６と同様のＲ１方向に回動可能に構成されている。カバー９を筐体２に対してＲ１方向に回動させることによって、カバー９を筐体２に対して開くことができる。カバー９を開いた状態からカバー９をＲ１方向とは反対方向に回動させることによって、カバー９を筐体２に対して閉じることができる。このように、カバー９は、筐体２に対して開閉可能に構成されている。
【００６４】
カバー９を筐体２に対して開くと、給紙部（図示しない）が露呈する。給紙部から記録媒体Ｐをプリンター１Ａに供給することができる。給紙部から記録媒体Ｐをプリンター１Ａに供給するとき、カバー９で記録媒体Ｐを支えることができる。つまり、カバー９はペーパーサポートの機能を含んでいる。
【００６５】
カバー１０は、スキャナーユニット（図示しない）を覆っている。カバー１０は、蓋部６と同様のＲ１方向に回動可能に構成されている。カバー１０を筐体２に対してＲ１方向に回動させることによって、カバー１０を筐体２に対して開くことができる。カバー１０を開いた状態からカバー１０をＲ１方向とは反対方向に回動させることによって、カバー１０を筐体２に対して閉じることができる。このように、カバー１０は、筐体２に対して開閉可能に構成されている。
【００６６】
カバー１０を筐体２に対して開くと、スキャナーユニットが露呈する。スキャナーユニットは、フラットベッドタイプであり、イメージセンサーなどの撮像素子（図示せず）を有している。スキャナーユニットは、用紙などの媒体に記録された画像などを、撮像素子を介して画像データとして読み取ることができる。このため、スキャナーユニットは、画像などの読み取り装置として機能する。
【００６７】
Ｘ軸方向においては、筐体２の長さとカバー１０の長さとは略同一である。Ｙ軸方向においては、筐体２の操作パネル３が設けられた位置における長さはカバー１０の長さと略同一であるが、筐体２の可視カバー５および蓋部６が設けられた位置における長さはカバー１０の長さよりも長い。
【００６８】
したがって、プリンター１Ａの上面１２を＋Ｘ方向側から平面視したとき、カバー１０は筐体２のうち＋Ｙ方向側に突出している部分以外と重なる。すなわち、プリンター１Ａの上面１２を＋Ｘ方向側から平面視したとき、筐体２のうち＋Ｙ方向側に突出している部分に設けられた可視カバー５および蓋部６は、カバー１０と重ならないように配置されている。これにより、蓋部６を筐体２に対してＲ１方向に回動させる際、カバー１０に阻害されることなく蓋部６を回動させることができる。
【００６９】
次に、図４を参照して、第１実施形態に係るプリンター１Ａの筐体２内部の主要構成を説明する。図４は、第１実施形態に係るプリンターの主要構成を示す斜視図である。図４に示すように、プリンター１Ａは、記録部としての記録ヘッド１５と、制御部１６と、タンクユニット２０と、を有している。記録ヘッド１５と、制御部１６と、タンクユニット２０とは、筐体２に収容されている。
【００７０】
記録ヘッド１５は、インクをインク滴として吐出（噴射）して、記録媒体Ｐに記録を行う。記録ヘッド１５は、搬送装置（図示しない）で＋Ｙ方向に搬送される記録媒体Ｐに、インクで記録を行う。なお、搬送装置は、記録用紙などの記録媒体Ｐを、＋Ｙ方向に間欠的に搬送する。記録ヘッド１５は、移動装置（図示しない）によって、Ｘ軸に沿って往復移動可能に構成されている。制御部１６は、上記の各構成の駆動を制御する。
【００７１】
タンクユニット２０は、筐体２のうち操作パネル３および排紙部４よりも＋Ｙ方向側に突出した部分（図１および図２参照）の内側に配置されて保持されている。したがって、タンクユニット２０は、Ｘ軸方向において操作パネル３および排紙部４と側壁１３との間に位置している。他の観点では、プリンター１Ａを正面に見たとき、すなわちプリンター１Ａを＋Ｙ方向側から見たとき、タンクユニット２０は、可視カバー５および蓋部６で構成されるタンクカバー１８（図１および図２参照）の内側（−Ｙ方向側）に配置されている。
【００７２】
本実施形態では、タンクユニット２０が五つのタンク２１を含んでいる。なお、タンクユニット２０におけるタンク２１の個数は、五つに限定されず、四つを下回る個数や、五つを超える個数としてもよい。本実施形態では、五つのタンク２１がＸ軸に沿って並んで配置されている。本実施形態では、異なる色のインクがそれぞれのタンク２１に収容されている。本実施形態で示す具体例では、最も−Ｘ側に位置するタンク２１にブラックインクが収容され、ブラックインクが収容されたタンク２１の＋Ｘ側に位置するタンク２１にシアンインクが収容されている。以降＋Ｘ側に向かう順に、それぞれのタンク２１に、イエローインク、マゼンタインク、および顔料系のブラックインクが収容されている構成を例示している。
【００７３】
また、本実施形態では、複数のタンク２１が互いに別体で構成されている。しかしながら、タンク２１の構成は、これに限定されない。複数のタンク２１を一体にしてタンクユニット２０を１つの液体収容体とする構成としてもよい。このような構成の場合、タンクユニット２０は、互いに個別のタンク２１に仕切られ、異なる種類の液体を収容可能に構成される。この場合、例えば、複数のタンク２１に、異なる色のインクを個別に収容することができる。
【００７４】
タンク２１には、インクの注入口として、インクを注入可能な液体注入口２２が形成されている。タンク２１では、液体注入口２２を介してタンク２１の外部からタンク２１の内部にインクを注入することができる。なお、液体注入口２２をキャップ（図示しない）で封止する構成としてもよい。このような構成の場合、ユーザーは、タンク２１にインクを注入するときにキャップを開けて液体注入口２２を開放してからインクを注入することができる。
【００７５】
本実施形態では、液体注入口２２は、タンク２１の＋Ｚ方向側に位置する注入面２３に形成された開口として構成されている。そして、本実施形態では、プリンター１Ａの使用姿勢において、注入面２３が傾斜している。注入面２３は、＋Ｙ方向側から−Ｙ方向側に向かうにつれて＋Ｚ方向側に向かう向きに傾斜している。このため、注入面２３は、鉛直方向と交差する方向に向いている。
【００７６】
注入面２３が鉛直方向と交差する方向に向いていれば、注入面２３に埃などの異物が堆積しにくい。このため、注入面２３に埃などの異物が付着しにくい。これにより、液体注入口２２に埃などの異物が侵入することを避けやすい。なお、タンク２１の構成は、上記に限定されない。タンク２１の構成としては、例えば、タンク２１の外形面から突出する管状の液体注入部を設けた構成としてもよい。
【００７７】
タンク２１は、少なくとも一部が透光性を有する部材で構成されている。タンク２１の＋Ｙ方向に位置する視認面２４は透光性を有し、視認面２４からタンク２１内に収容されているインクの量（インク残量）を視認することが可能である。なお、タンク２１の視認面２４には、目盛やマークなどを設けてもよい。
【００７８】
タンク２１は、注入面２３および視認面２４と交差する側面２７と側面２８とを有している。タンク２１の視認面２４を＋Ｙ方向側から見たとき、側面２７は筐体２の側壁１３側（＋Ｘ方向側）に位置しており、側面２８は筐体２の側壁１４側（−Ｘ方向側）に位置している。
【００７９】
各タンク２１には、インク供給チューブ１７が接続される。タンク２１内のインクは、インク供給チューブ１７を介して記録ヘッド１５に供給される。そして、記録ヘッド１５に供給されたインクが、記録媒体Ｐ側に向けられたノズル（図示しない）からインク滴として吐出される。
【００８０】
インクは、水性インクと油性インクとのいずれか一方に限定されるものではない。また、水性インクとしては、水性溶媒に染料などの溶質が溶解した構成を有するもの、水性分散媒に顔料などの分散質が分散した構成を有するもののいずれでもよい。また、油性インクとしては、油性溶媒に染料などの溶質が溶解した構成を有するもの、油性分散媒に顔料などの分散質が分散した構成を有するもののいずれでもよい。
【００８１】
タンクユニット２０（五つのタンク２１）は、プリンター１Ａの正面１１を＋Ｙ方向側から平面視したとき、図１および図２に示すタンク２１を含むタンクユニット２０を覆うカバー部としてのタンクカバー１８を構成する可視カバー５と、少なくとも一部が重なる位置に配置されている。したがって、タンク２１の表面が外部に露出していなくても、ユーザーは、プリンター１Ａの外部から可視カバー５の透光窓部１９ＢＫ，１９Ｃ，１９Ｙ，１９Ｍ，１９ＰＢ（透光部１９）を透してタンク２１を視認することができる。そして、ユーザーは、プリンター１Ａの外部から、可視カバー５に設けられている目盛３１や識別マーク３２を目印にしてタンク２１に収容されているインクの量（インク残量）を把握することができる。
【００８２】
タンク２１にインクを補充する場合は、図１および図２に示すタンクカバー１８を筐体２に対してＲ１方向に回動させて、タンクカバー１８を筐体２に対して開く。これにより、タンクカバー１８が開いた部分から各タンク２１の一部（注入面２３）が露呈する。ユーザーは、タンクカバー１８を筐体２に対して開いた状態で、液体注入口２２を介して、プリンター１Ａの外部からタンク２１の内部にインクを注入することができる。インクを補充した後、タンクカバー１８を閉じると、液体注入口２２はタンクカバー１８で覆われる。
【００８３】
このように液体注入口２２からタンク２１にインクを注入する場合には、注入されるインクが液体注入口２２からこぼれたり、タンク２１の、例えば視認面２４などの外面にインクが付着してしまったりすることによって、タンク２１の外面が汚れてしまうことが有る。
【００８４】
しかしながら、第１実施形態に係るプリンター１Ａの構成では、収容されるインクなどによってタンク２１の外面が汚れても、タンクカバー１８を構成する可視カバー５、もしくは可視カバー５に備えられた透光部１９（透光窓部１９ＢＫ，１９Ｃ，１９Ｙ，１９Ｍ，１９ＰＢ）に設けられている目盛３１や識別マーク３２は汚れることが無い。したがって、タンク２１の透光性を有する部材およびタンクカバー１８の透光部（不図示）を介して、ユーザーがインクの量（インク残量）を視認する際の視認性を低下させることなく、視認性の良好な状態を維持することができる。これにより、ユーザーは、インクの種別や色違いによる誤注入を防止することができる。
【００８５】
また、タンクカバー１８により、プリンター１Ａ（筐体２）の外部からタンク２１への塵埃の侵入や、外部からの接触等によるタンクユニット２０の損傷を防止できる。したがって、タンク２１の表面が外部に露出している場合と比べて、外部からの塵埃や損傷などによる視認性への悪影響を抑止できる。なお、タンク２１が筐体２の突出する部分の内部に配置されているので、筐体２の幅（Ｘ軸方向の長さ）を抑えてタンク２１の容量を大きくできる。
【００８６】
２．第２実施形態
次に、図５、図６、および図７を参照して、第２実施形態に係るプリンター１Ｂの外観における概略構成を説明する。図５および図６は、第２実施形態に係るプリンターの外観を示す斜視図である。詳しくは、図５は第２実施形態に係るプリンター１Ａを＋Ｘ方向側から見た斜視図であり、図６は−Ｘ方向側から見た斜視図である。図７は、第２実施形態に係るプリンターの可視カバーの構成例を示す正面図である。
【００８７】
図５および図６に示すように、実施形態２に係るプリンター１Ｂは、筐体２と、操作パネル３と、排紙部４と、可視カバー５Ｂと、蓋部６と、カバー９と、カバー１０と、を有している。第２実施形態に係るプリンター１Ｂは、第１実施形態に係るプリンター１Ａと比べて、タンクユニット２０（図４参照）を覆うカバー部としてのタンクカバー１８Ｂの構成が異なる。タンクカバー１８Ｂは、可視カバー５Ｂおよび蓋部６によって構成される。なお、以下の説明では、第１実施形態に係るプリンター１Ａと同様な構成については、同符号を付してその説明を省略する。
【００８８】
第２実施形態に係るプリンター１Ｂは、第１実施形態に係るプリンター１Ａと比べて、タンクユニット２０（図４参照）を覆うカバー部としてのタンクカバー１８Ｂの構成が異なる。より詳細には、タンクカバー１８Ｂを構成する可視カバー５Ｂに設けられる透光部５９の構成、および目盛６１や識別マーク６３が異なる。以下、相違点を中心に説明し、第２実施形態に係るプリンター１Ｂにおける可視カバー５Ｂの配置や基本的な構成などの第１実施形態に係るプリンター１Ａと同様な構成要素については、同一の符号を付してその説明を省略する。なお、以降の各実施形態についても、前出の実施形態との相違点を説明し、同じ構成要素については同一の符号を付してその説明を省略する。
【００８９】
可視カバー５Ｂは、可視カバー５Ｂの内側（−Ｙ側）、即ちタンクユニット２０（図４参照）の視認が可能な透光部５９（透光窓部５９ＢＫ，５９Ｃ，５９Ｍ，５９Ｙ，５９ＰＢＫ）、透光部５９の外周側に配置された外縁部３０、透光窓部５９ＢＫ，５９Ｃ，５９Ｍ，５９Ｙ，５９ＰＢＫのそれぞれに設けられた実線の横線６１ａや点線の横線６１ｂで構成される目盛６１を備えている。なお、目盛６１を構成する実線の横線６１ａや点線の横線６１ｂは、例えばそれぞれのインク色に対応した個別色、統一された黒色、白抜き文字など、どのような色調であってもよい。
【００９０】
なお、透光窓部５９ＢＫ，５９Ｃ，５９Ｍ，５９Ｙ，５９ＰＢＫの外縁には、それぞれの透光窓部５９ＢＫ，５９Ｃ，５９Ｍ，５９Ｙ，５９ＰＢＫの外縁に沿って配設された輪郭線６４を設けてもよい。このときの、輪郭線６４は、例えばそれぞれのインク色に対応した個別色、統一された黒色、白抜き線など、どのような色調であってもよい。
【００９１】
透光部５９を構成する五つの透光窓部５９ＢＫ，５９Ｃ，５９Ｍ，５９Ｙ，５９ＰＢＫのそれぞれは、タンクユニット２０の五つのタンク２１のそれぞれに対応して配置され、上部（＋Ｚ方向）端から縦長の帯状で延伸し、下部（−Ｚ方向）の端部が円弧状に丸められた形状になっている。換言すれば、＋Ｙ軸方向からの平面視形状が所謂試験管形状を模した形状となっている。そして、透光窓部５９ＢＫ，５９Ｃ，５９Ｍ，５９Ｙ，５９ＰＢＫのそれぞれは、縦長の帯状部分が可視カバー５Ｂの正面１１（ＸＺ平面）に沿った外面から半円形状に突出し、そして下部（−Ｚ方向）の円弧状に丸められた部分は半球状に突出している。言い換えれば、試験管の一部が可視カバー５Ｂの正面１１（ＸＺ平面）に沿った外面から突出しているような形状を成している。
【００９２】
このように、透光窓部５９ＢＫ，５９Ｃ，５９Ｍ，５９Ｙ，５９ＰＢＫのそれぞれが、可視カバー５Ｂの正面１１（ＸＺ平面）に沿った外面から、断面を半円状に突出させることにより、正面１１（ＸＺ平面）以外の方向からインクの量（インク残量）を視認する場合におけるユーザーの視認性を向上させることができる。
【００９３】
可視カバー５Ｂは、可視カバー５Ｂの内側（−Ｙ側）を視認することが可能な程度の透光性を有する樹脂材料で、透光窓部５９ＢＫ，５９Ｃ，５９Ｍ，５９Ｙ，５９ＰＢＫが突出した形状で形成されている。そして、透光窓部５９ＢＫ，５９Ｃ，５９Ｍ，５９Ｙ，５９ＰＢＫのＸＺ平面外側に配置された外縁部３０は、この樹脂材料の表面に着色塗料を塗布したり、着色フィルムを貼付したり、或いは、シボ（皺）加工を施したりすることによって、透光窓部５９ＢＫ，５９Ｃ，５９Ｍ，５９Ｙ，５９ＰＢＫと異なる光透過率としたり、不透光性としたりすることができる。このように外縁部３０を設けることにより、透光窓部５９ＢＫ，５９Ｃ，５９Ｍ，５９Ｙ，５９ＰＢＫと外縁部３０との区分を明確にすることができ、ユーザーの視認性をより高めることができる。
【００９４】
蓋部６は、筐体２の正面１１側に設けられている。蓋部６は、筐体２のうち操作パネル３および排紙部４が設けられた部分よりも＋Ｙ方向側に突出した部分における、可視カバー５Ｂの上方側（＋Ｚ方向側）に配置されている。
【００９５】
蓋部６は、筐体２に対して開閉可能に構成されている。より具体的には、蓋部６は、図中矢印で示すＲ１方向に回動可能に構成されている。Ｒ１方向は、Ｘ軸に沿った軸を回転軸として、＋Ｘ方向側からＹＺ平面を平面視したときに時計回りの方向に相当する。蓋部６を筐体２に対してＲ１方向に回動させることによって、蓋部６を筐体２に対して開くことができる。換言すれば、蓋部６と可視カバー５Ｂとによって構成されるタンクカバー１８Ｂを筐体２に対して開くことができる。蓋部６が開いた状態から、蓋部６をＲ１方向とは反対方向に回動させることによって、蓋部６を筐体２に対して閉じることができる。換言すれば、タンクカバー１８ＢをＲ１方向とは反対方向に回動させることによって、タンクカバー１８Ｂを筐体２に対して閉じることができる。
【００９６】
また、蓋部６の筐体２の正面１１側に位置する面には、識別マーク６３が設けられている。識別マーク６３は、可視カバー５Ｂに設けられている透光窓部５９ＢＫ，５９Ｃ，５９Ｍ，５９Ｙ，５９ＰＢＫのそれぞれと対応する＋Ｚ側（上側）に配置されている。具体的には、透光窓部５９ＢＫに対応して設けられたブラックインクを表す「ＢＫ」のマーク６３ＢＫと、透光窓部５９Ｃに対応して設けられたシアンインクを表す「Ｃ」のマーク６３Ｃと、透光窓部５９Ｍに対応して設けられたマゼンタインクを表す「Ｍ」のマーク６３Ｍと、透光窓部５９Ｙに対応して設けられたイエローインクを表す「Ｙ」のマーク６３Ｙと、透光窓部５９ＰＢＫに対応して設けられた顔料系のブラックインクを表す「ＰＢＫ」のマーク６３ＰＢＫと、を含んでいる。なお、マーク６３ＢＫ，６３Ｃ，６３Ｍ，６３Ｙ，６３ＰＢＫは、例えばそれぞれのインク色に対応した個別色、統一された黒色、白抜き文字など、どのような色調であってもよい。
【００９７】
ユーザーは、プリンター１Ａの正面１１を＋Ｙ方向側から平面視したとき、この透光部５９において、五つのタンク２１（図４参照）を視認することができ、加えて五つのタンク２１の透光性を有する部材を透して五つのタンク２１内に収容されているインク（インクの残量）を視認することができる。なお、本実施形態では、最も−Ｘ側に位置するタンク２１にブラックインクが収容され、以降＋Ｘ側に向かう順のそれぞれのタンク２１に、シアンインク、マゼンタインク、イエローインク、および顔料系のブラックインクが収容されている例を示している。
【００９８】
そして、ユーザーは、透光部５９を構成する透光窓部５９ＢＫ，５９Ｃ，５９Ｍ，５９Ｙ，５９ＰＢＫのそれぞれに設けられている目盛６１、および蓋部６に設けられている、例えばインク種別を示す識別マーク６３などと対比することによって、プリンター１Ｂの正面１１を＋Ｙ方向側から可視カバー５Ｂを介してタンクユニット２０（五つのタンク２１）に収容されているインクの量（インク残量）を視認し、把握することができる。
【００９９】
第２実施形態に係るプリンター１Ｂの構成では、第１実施形態の効果に加えて、透光窓部５９ＢＫ，５９Ｃ，５９Ｍ，５９Ｙ，５９ＰＢＫのそれぞれが、可視カバー５Ｂの正面１１（ＸＺ平面）に沿った外面から半円状の断面形状に突出していることにより、正面１１（ＸＺ平面）以外の方向からインクの量（インク残量）を視認する場合におけるユーザーの視認性を向上させることができる。
【０１００】
３．第３実施形態
次に、図８、および図９を参照して、第３実施形態に係るプリンター１Ｃの外観における概略構成を説明する。図８は、第３実施形態に係るプリンターの外観を示す斜視図であり、第３実施形態に係るプリンター１Ｃを＋Ｘ方向側から見た斜視図である。図９は、第３実施形態に係るプリンターの可視カバーの構成例を示す正面図である。
【０１０１】
図８および図９に示すように、実施形態３に係るプリンター１Ｃは、筐体２と、操作パネル３と、排紙部４と、可視カバー５Ｃと、蓋部６と、カバー９と、カバー１０と、を有している。第２実施形態に係るプリンター１Ｃは、第１実施形態に係るプリンター１Ａと比べて、タンクユニット２０（図４参照）を覆うカバー部としてのタンクカバー１８Ｃの構成が異なる。タンクカバー１８Ｃは、可視カバー５Ｃおよび蓋部６によって構成され、プリンター１Ｃの正面１１を＋Ｙ方向側から平面視したとき、＋Ｘ方向側に位置する側壁１３側の可視カバー５Ｃの側面に透光部７９が配置されている。即ち、プリンター１Ｃにおいて、可視カバー５Ｃの内側に位置するタンクユニット２０は、透光性を有する部分を少なくとも＋Ｘ方向に向け、Ｙ方向に沿って複数のタンク２１（本例では五つのタンク２１）が配列されている。なお、以下の説明では、第１実施形態に係るプリンター１Ａと同様な構成については、同符号を付してその説明を省略する。
【０１０２】
第３実施形態に係るプリンター１Ｃは、第１実施形態に係るプリンター１Ａと比べて、タンクユニット２０（図４参照）を覆うカバー部としてのタンクカバー１８Ｃの構成が異なる。より詳細には、タンクカバー１８Ｃを構成する可視カバー５Ｃの設けられている位置（面）、および目盛８１や識別マーク８３の構成や配置が異なる。
【０１０３】
可視カバー５Ｃは、プリンター１Ｃの正面１１を＋Ｙ方向側から平面視したとき、＋Ｘ方向側に位置する側壁１３側に面した可視カバー５Ｃの側面に透光部７９が配置されている。透光部７９は、五つの透光窓部７９ＢＫ，７９Ｃ，７９Ｍ，７９Ｙ，７９ＰＢＫを有しており、可視カバー５Ｃの内側に配置されているタンクユニット２０（図４参照）を、＋Ｘ側から見て視認することが可能な透光性を有している。透光窓部７９ＢＫ，７９Ｃ，７９Ｍ，７９Ｙ，７９ＰＢＫは、タンクユニット２０の五つのタンクのそれぞれに対応して配置され、四隅を円弧状に丸めた縦長帯状の概ね長方形をなしている。そして、それぞれの透光窓部７９ＢＫ，７９Ｃ，７９Ｍ，７９Ｙ，７９ＰＢＫの外周側には、外縁部３０が配置されている。
【０１０４】
透光窓部７９ＢＫ，７９Ｃ，７９Ｍ，７９Ｙ，７９ＰＢＫは、実線の横線８１ａや点線の横線８１ｂで構成される目盛８１、およびマーク８３ＢＫ，８３Ｃ，８３Ｍ，８３Ｙ，８３ＰＢＫを含む識別マーク８３、を備えている。なお、目盛８１を構成する実線の横線８１ａや点線の横線８１ｂは、例えばそれぞれのインク色に対応した個別色、統一された黒色、白抜き文字など、どのような色調であってもよい。
【０１０５】
また、透光窓部７９ＢＫ，７９Ｃ，７９Ｍ，７９Ｙ，７９ＰＢＫの外縁には、それぞれの透光窓部７９ＢＫ，７９Ｃ，７９Ｍ，７９Ｙ，７９ＰＢＫの外縁に沿って配設された輪郭線８４を設けてもよい。このときの、輪郭線８４は、例えばそれぞれのインク色に対応した個別色、統一された黒色、白抜き線など、どのような色調であってもよい。
【０１０６】
マーク８３ＢＫ，８３Ｃ，８３Ｍ，８３Ｙ，８３ＰＢＫを含む識別マーク８３は、透光窓部７９ＢＫに設けられたブラックインクを表す「ＢＫ」のマーク８３ＢＫと、透光窓部７９Ｃに設けられたシアンインクを表す「Ｃ」のマーク８３Ｃと、透光窓部７９Ｍに設けられたマゼンタインクを表す「Ｍ」のマーク８３Ｍと、透光窓部７９Ｙに設けられたイエローインクを表す「Ｙ」のマーク８３Ｙと、透光窓部７９ＰＢＫに設けられた顔料系のブラックインクを表す「ＰＢＫ」のマーク８３ＰＢＫと、を含んでいる。なお、マーク８３ＢＫ，８３Ｃ，８３Ｍ，８３Ｙ，８３ＰＢＫは、例えばそれぞれのインク色に対応した個別色、統一された黒色、白抜き文字など、どのような色調であってもよい。
【０１０７】
可視カバー５Ｃは、可視カバー５Ｃの内側（−Ｙ側）を視認することが可能な程度の透光性を有する樹脂材料で形成されている。そして、透光窓部７９ＢＫ，７９Ｃ，７９Ｍ，７９Ｙ，７９ＰＢＫのＸＺ平面外側に配置された外縁部３０は、この樹脂材料の表面に着色塗料を塗布したり、着色フィルムを貼付したり、或いは、シボ（皺）加工を施したりすることによって、透光窓部７９ＢＫ，７９Ｃ，７９Ｍ，７９Ｙ，７９ＰＢＫと異なる光透過率としたり、不透光性としたりすることができる。このように外縁部３０を設けることにより、透光窓部７９ＢＫ，７９Ｃ，７９Ｍ，７９Ｙ，７９ＰＢＫと外縁部３０との区分を明確にすることができ、ユーザーの視認性をより高めることができる。
【０１０８】
蓋部６は、筐体２の正面１１側に設けられている。蓋部６は、筐体２のうち操作パネル３および排紙部４が設けられた部分よりも＋Ｙ方向側に突出した部分における、可視カバー５Ｃの上方側（＋Ｚ方向側）に配置されている。
【０１０９】
蓋部６は、筐体２に対して開閉可能に構成されている。より具体的には、蓋部６は、図中矢印で示すＲ１方向に回動可能に構成されている。Ｒ１方向は、Ｘ軸に沿った軸を回転軸として、＋Ｘ方向側からＹＺ平面を平面視したときに時計回りの方向に相当する。蓋部６を筐体２に対してＲ１方向に回動させることによって、蓋部６を筐体２に対して開くことができる。換言すれば、蓋部６と可視カバー５Ｃとによって構成されるタンクカバー１８Ｃを筐体２に対して開くことができる。蓋部６が開いた状態から、蓋部６をＲ１方向とは反対方向に回動させることによって、蓋部６を筐体２に対して閉じることができる。換言すれば、タンクカバー１８ＣをＲ１方向とは反対方向に回動させることによって、タンクカバー１８Ｃを筐体２に対して閉じることができる。
【０１１０】
ユーザーは、プリンター１Ｃの側壁１３を＋Ｘ方向側から平面視したとき、この透光部７９において、五つのタンク２１（図４参照）を視認することができ、加えて五つのタンク２１の透光性を有する部材を透してタンク五つのタンク２１内に収容されているインク（インクの残量）を視認することができる。なお、本実施形態では、最も＋Ｙ側に位置するタンク２１にブラックインクが収容され、以降−Ｙ側に向かう順のそれぞれのタンク２１に、シアンインク、マゼンタインク、イエローインク、および顔料系のブラックインクが収容されている例を示している。
【０１１１】
そして、ユーザーは、透光部７９を構成する透光窓部７９ＢＫ，７９Ｃ，７９Ｍ，７９Ｙ，７９ＰＢＫのそれぞれに設けられている目盛８１、および、例えばインク種別を示す識別マーク８３などと対比することによって、プリンター１Ｃの側壁１３側から可視カバー５Ｃを介してタンクユニット２０（五つのタンク２１）に収容されているインクの量（インク残量）を視認し、把握することができる。
【０１１２】
第３実施形態に係るプリンター１Ｃの構成によれば、プリンター１Ｃの側壁１３側（＋Ｘ方向側）から、タンクユニット２０（五つのタンク２１）に収容されているインクの量（インク残量）を視認し、把握することができる。
【０１１３】
４．第４実施形態
次に、図１０を参照して、第４実施形態に係るプリンター１Ｄの外観における概略構成を説明する。図１０は、第４実施形態に係るプリンターの外観を示す斜視図であり、第４実施形態に係るプリンター１Ｃを＋Ｘ方向側から見た斜視図である。
【０１１４】
図１０に示すように、第４実施形態に係るプリンター１Ｄは、筐体２と、操作パネル３と、排紙部４と、カバー９と、カバー１０と、タンクカバー１８Ｄと、を有している。第４実施形態に係るプリンター１Ｄは、第１実施形態に係るプリンター１Ａと比べて、タンクユニット２０（図４参照）を覆うカバー部としてのタンクカバー１８Ｄの構成が異なる。以下、相違点を中心に説明し、第４実施形態に係るプリンター１Ｄの基本的な構成などの第１実施形態に係るプリンター１Ａと同様な構成要素については、同一の符号を付してその説明を省略する。
【０１１５】
第１実施形態に係るプリンター１Ａのタンクカバー１８は、可視カバー５と蓋部６とを含む構成であったが、第４実施形態に係るタンクカバー１８Ｄは、第１実施形態に係るプリンター１Ａの可視カバー５と蓋部６とが連設された構成となっている。換言すれば、第４実施形態に係るタンクカバー１８Ｄでは、＋Ｚ方向に面した蓋部に相当する部分と、＋Ｙ方向に面した可視カバーに相当する部分とが、例えば折り曲げ形状などによって連続的に成形された一体構造をなしている。
【０１１６】
プリンター１Ｄにおいては、第１実施形態と同様に、最も−Ｘ側に位置するタンク２１（図４参照）にブラックインクが収容され、以降＋Ｘ側に向かう順のそれぞれのタンク２１に、シアンインク、マゼンタインク、イエローインク、および顔料系のブラックインクが収容されている例を示している。タンクカバー１８Ｄの内側に位置するタンクユニット２０は、透光性を有する部分を少なくとも＋Ｘ方向に向け、Ｙ方向に沿って複数のタンク２１が配列されている。
【０１１７】
タンクカバー１８Ｄは、プリンター１Ｄの正面１１を＋Ｙ方向側から平面視したとき、＋Ｘ方向側に位置し、正面１１に沿ったタンクカバー１８Ｄの正面に透光部１９が配置されている。透光部１９（透光窓部１９ＢＫ，１９Ｃ，１９Ｙ，１９Ｍ，１９ＰＢ）のＸＺ平面外側には、配置された外縁部３０が設けられている。透光部１９および外縁部３０は、第１実施形態と同様であるので、以下では概要について説明し、詳細な説明を省略する。
【０１１８】
透光部１９は、四隅を円弧状に丸めた縦長の概ね長方形をなした五つの透光窓部１９ＢＫ，１９Ｃ，１９Ｙ，１９Ｍ，１９ＰＢ（図３参照）を含んでいる。透光窓部１９ＢＫ，１９Ｃ，１９Ｙ，１９Ｍ，１９ＰＢのそれぞれには、第１実施形態と同様な構成の目盛３１が設けられている。また、外縁部３０には、例えばインク種別を示す識別マーク３２が、透光窓部１９ＢＫ，１９Ｃ，１９Ｙ，１９Ｍ，１９ＰＢのそれぞれに対応して設けられている。
【０１１９】
タンクカバー１８Ｄは、筐体２の正面１１側に設けられている。タンクカバー１８Ｄは、筐体２のうち操作パネル３および排紙部４が設けられた部分よりも＋Ｙ方向側に突出した部分に配置されている。
タンクカバー１８Ｄは、筐体２に対して開閉可能に構成されている。より具体的には、タンクカバー１８Ｄは、図１０に矢印で示すＲ２方向に回動可能に構成されている。Ｒ２方向は、Ｘ軸に沿った軸を回転軸として、＋Ｘ方向側からＹＺ平面を平面視したときに時計回りの方向に相当する。タンクカバー１８Ｄを筐体２に対してＲ２方向に回動させることによって、タンクカバー１８Ｄを筐体２に対して開くことができる。タンクカバー１８Ｄを開いた状態からタンクカバー１８ＤをＲ２方向とは反対方向に回動させることによって、タンクカバー１８Ｄを筐体２に対して閉じることができる。
【０１２０】
タンク２１にインクを補充する場合は、タンクカバー１８Ｄを筐体２に対してＲ２方向に回動させて、タンクカバー１８Ｄを筐体２に対して開く。これにより、タンクカバー１８Ｄが開いた部分から各タンク２１の一部（注入面２３）が露呈する。ユーザーは、タンクカバー１８Ｄを筐体２に対して開いた状態で、液体注入口２２を介して、プリンター１Ｄの外部からタンク２１の内部にインクを注入することができる。インクを補充した後、タンクカバー１８Ｄを閉じると、液体注入口２２はタンクカバー１８Ｄで覆われる。
【０１２１】
このような構成の第４実施形態に係るプリンター１Ｄでは、収容されるインクなどによってタンク２１の外面が汚れても、タンクカバー１８Ｄに備えられた透光部１９（透光窓部１９ＢＫ，１９Ｃ，１９Ｙ，１９Ｍ，１９ＰＢ）に設けられている目盛３１や識別マーク３２は汚れることが無い。したがって、タンク２１の透光性を有する部材およびカバー部の透光部（不図示）を介して、ユーザーがインクの量（インク残量）を視認する際の視認性を低下させることなく、視認性の良好な状態を維持することができる。
【０１２２】
以上説明した各実施形態に係るプリンター１Ａ，１Ｂ，１Ｃ，１Ｄによれば、カバー部としてのタンクカバー１８，１８Ｂ，１８Ｃ，１８Ｄの少なくとも一部に備えられた透光部１９，５９，７９に目盛３１，６１，８１および識別マーク３２，６３，８３の少なくとも一つが設けられているため、例えば収容されたインクなどによってタンク２１の外面が汚れても、目盛３１，６１，８１や識別マーク３２，６３，８３が汚れることが無い。したがって、透光性を有する部材のタンク２１およびタンクカバー１８，１８Ｂ，１８Ｃ，１８Ｄの透光部１９，５９，７９を介して、ユーザーがインク量（インク残量）を視認する際の視認性を低下させることなく、視認性の良好な状態を維持することができる。
また、ユーザーは、インクの量に対応する目盛３１，６１，８１と、インクの種別に対応する識別マーク３２，６３，８３とにより、インクの種類別の量（インク残量）を容易に視認することができる。
【０１２３】
なお、上述した各実施形態において目盛３１，６１，８１、および識別マーク３２，６３，８３の少なくともいずれかを透明シートに設け、目盛３１，６１，８１、および識別マーク３２，６３，８３の少なくともいずれかが設けられた透明シートを透光部１９，５９，７９に貼り付ける構成とすることができる。このような構成とすれば、透明シートを貼りかえることにより、種々のデザインの目盛３１，６１，８１や識別マーク３２，６３，８３を容易に用いたり変更したりすることができる。
【０１２４】
また、上述した各実施形態においては、可視カバー５，５Ｂ，５Ｃを透光性を有する樹脂材料で形成し、透光窓部１９ＢＫ，１９Ｃ，１９Ｙ，１９Ｍ，１９ＰＢの外縁部３０を着色塗料を塗布したり、着色フィルムを貼付したり、或いは、シボ（皺）加工を施したりする一体構成の可視カバー５，５Ｂ，５Ｃについて説明したがこれに限らない。他の構成の可視カバーとしては、透光部を構成する透光窓部１９ＢＫ，１９Ｃ，１９Ｙ，１９Ｍ，１９ＰＢに相当する部分のカバー壁面に貫通孔を設け、該貫通孔を覆うように、例えば透明ガラス、透明フィルムなどの透光板を備える構成でもよい。この場合、透光板に、目盛や識別マークを形成することができる。このような構成の可視カバーであっても、比較的容易な加工である貫通孔および透光板によって透光部を構成することができる。また、透光板に目盛や識別マークを形成することができることから、種々のデザインの目盛や識別マークを容易に形成することが可能となる。
【０１２５】
また、上述した各実施形態において目盛３１，６１，８１、および識別マーク３２，６３，８３の少なくともいずれかを可視カバー５，５Ｂ，５Ｃに設けるため、例えば目盛３１，６１，８１、および識別マーク３２，６３，８３の少なくともいずれかを可視カバー５，５Ｂ，５Ｃから突出させる構成とし、ユニバーサルデザイン（Universal Design）に対応する目盛や識別マークとすることができる。
【０１２６】
また、上述した各実施形態においては、目盛３１，６１，８１、および識別マーク３２，６３，８３の少なくともいずれかを、可視カバー５，５Ｂ，５Ｃに配置した、例えば液晶表示装置などを用いたデジタルによって行うことができる。
【０１２７】
５．可視カバー（透光部、目盛、および識別マーク）の実施例
以上説明した各実施形態においては、透光部１９，５９，７９、透光部１９，５９，７９の外周側に配置された外縁部３０、透光部１９，５９，７９、もしくは外縁部３０に設けられた目盛３１、および識別マーク３２を備えた可視カバー５の構成例を例示して説明したが、可視カバー５（目盛３１、および識別マーク３２）の構成はこれに限らない。以下、可視カバー５に配置された目盛３１、および識別マーク３２の構成の種々の実施例を、図１１〜図７０を参照しながら順次説明する。図１１〜図７０は、それぞれの実施例に係る可視カバーに配置された目盛、および識別マークを示す正面図である。なお、以下では、上述した各実施形態に係るプリンター１Ａ，１Ｂ，１Ｃ，１Ｄの説明において用いた符号を適用して説明することがある。また、上述した各実施形態に係るプリンター１Ａ，１Ｂ，１Ｃ，１Ｄの図示＋Ｚ方向を上側、その反対方向である−Ｚ方向を下側として説明する。
【０１２８】
５．１．実施例１
図１１を参照して、実施例１に係る透光部、目盛、および識別マークについて説明する。実施例１に係る目盛は、所謂インジケーターランプ風の配置デザインであり、それに併せて識別マークが配置されているデザインである。
【０１２９】
図１１に示すように、実施例１に係る透光窓部１９ＢＫ，１９Ｃ，１９Ｍ，１９Ｙ，１９ＰＢＫは、透光性を有する横長丸形状の複数のスリット窓８９ａ，８９ｂ，…，８９ｍが、上側から下側に亘って帯状に配列されて構成されている。スリット窓８９ａ，８９ｂ，…，８９ｍの外縁より外側には、着色塗料の塗布や着色フィルムの貼付、もしくはシボ（皺）加工などにより、スリット窓８９ａ，８９ｂ，…，８９ｍと区分された外縁部３０が設けられている。そして、目盛３１として、例えばスリット窓８９ａを、例えばインク量の上限を示す目盛として用い、またスリット窓８９ｍをインク量の下限を示す目盛として用いることができる。
【０１３０】
透光窓部１９ＢＫ，１９Ｃ，１９Ｍ，１９Ｙ，１９ＰＢＫのそれぞれのスリット窓８９ａ側の近傍には、識別マーク３２が設けられている。識別マーク３２は、具体的に、透光窓部１９ＢＫに対応して設けられたブラックインクを表す「ＢＫ」のマーク６３ＢＫと、透光窓部１９Ｃに対応して設けられたシアンインクを表す「Ｃ」のマーク６３Ｃと、透光窓部１９Ｍに対応して設けられたマゼンタインクを表す「Ｍ」のマーク６３Ｍと、透光窓部１９Ｙに対応して設けられたイエローインクを表す「Ｙ」のマーク６３Ｙと、透光窓部１９ＰＢＫに対応して設けられた顔料系のブラックインクを表す「ＰＢＫ」のマーク６３ＰＢＫと、を含んでいる。なお、マーク６３ＢＫ，６３Ｃ，６３Ｍ，６３Ｙ，６３ＰＢＫは、例えばそれぞれのインク色に対応した個別色、統一された黒色、白抜き文字など、どのような色調であってもよい。
【０１３１】
５．２．実施例２
図１２を参照して、実施例２に係る透光部、目盛、および識別マークについて説明する。実施例２は、図１２に示すように、カラーライン枠（以下、輪郭線９０ＢＫ，９０Ｃ，９０Ｍ，９０Ｙ，９０ＰＢＫという）が設けられた透光窓部７９ＢＫ，７９Ｃ，７９Ｍ，７９Ｙ，７９ＰＢＫを有している。なお、本実施例では、透光窓部７９ＢＫがブラックインク、透光窓部７９Ｃがシアンインク、透光窓部７９Ｍがマゼンタインク、透光窓部７９Ｙがイエローインク、および透光窓部７９ＰＢＫが顔料系のブラックインクを、それぞれ収容したタンク２１（図４参照）に対向している。そして、透光窓部７９ＢＫ，７９Ｃ，７９Ｍ，７９Ｙ，７９ＰＢＫの外側には、外縁部３０が設けられている。
【０１３２】
実施例２に係る透光部１９を構成する透光窓部７９ＢＫ，７９Ｃ，７９Ｍ，７９Ｙ，７９ＰＢＫは、透光性を有し、上側から下側に沿って縦長の概ね長方形をなしている。なお、概ね長方形の透光窓部７９ＢＫ，７９Ｃ，７９Ｍ，７９Ｙ，７９ＰＢＫの四隅は円弧状に丸められている。そして、透光窓部７９ＢＫ，７９Ｃ，７９Ｍ，７９Ｙ，７９ＰＢＫのそれぞれの外縁には、該外縁に沿って配設された輪郭線９０ＢＫ，９０Ｃ，９０Ｍ，９０Ｙ，９０ＰＢＫが設けられている。
【０１３３】
輪郭線９０ＢＫ，９０Ｃ，９０Ｍ，９０Ｙ，９０ＰＢＫは、それぞれ対応するインクの色と同系色に着色されている。詳細には、ブラックインクに対応する透光窓部７９ＢＫに配設された輪郭線９０ＢＫには黒系色、シアンインクに対応する透光窓部７９Ｃに配設された輪郭線９０Ｃには青系色、マゼンタインクに対応する透光窓部７９Ｍに配設された輪郭線９０Ｍには赤系色、イエローインクに対応する透光窓部７９Ｙに配設された輪郭線９０Ｙには黄系色、顔料系のブラックインクに対応する透光窓部７９ＰＢＫに配設された輪郭線９０ＰＢＫには黒系色、がそれぞれ用いられている。
【０１３４】
透光窓部７９ＢＫ，７９Ｃ，７９Ｍ，７９Ｙ，７９ＰＢＫには、実線の横線８１ａや点線の横線８１ｂで構成される目盛３１、およびマーク８３ＢＫ，８３Ｃ，８３Ｍ，８３Ｙ，８３ＰＢＫを含む識別マーク３２、を備えている。
【０１３５】
マーク８３ＢＫ，８３Ｃ，８３Ｍ，８３Ｙ，８３ＰＢＫを含む識別マーク８３は、透光窓部７９ＢＫに設けられたブラックインクを表す「ＢＫ」のマーク８３ＢＫと、透光窓部７９Ｃに設けられたシアンインクを表す「Ｃ」のマーク８３Ｃと、透光窓部７９Ｍに設けられたマゼンタインクを表す「Ｍ」のマーク８３Ｍと、透光窓部７９Ｙに設けられたイエローインクを表す「Ｙ」のマーク８３Ｙと、透光窓部７９ＰＢＫに設けられた顔料系のブラックインクを表す「ＰＢＫ」のマーク８３ＰＢＫと、を含んでいる。
【０１３６】
なお、目盛３１を構成する実線の横線８１ａや点線の横線８１ｂ、およびマーク８３ＢＫ，８３Ｃ，８３Ｍ，８３Ｙ，８３ＰＢＫは、例えばそれぞれのインク色に対応した個別色、統一された黒色、白抜き文字など、どのような色調であってもよい。
【０１３７】
５．３．実施例３
図１３を参照して、実施例３に係る透光部、目盛、および識別マークについて説明する。実施例３は、図１３に示すように、透光部１９を構成する透光窓部５９ＢＫ，５９Ｃ，５９Ｍ，５９Ｙ，５９ＰＢＫが、試験管をモチーフにした外形形状となっている。なお、本実施例では、透光窓部５９ＢＫがブラックインク、透光窓部５９Ｃがシアンインク、透光窓部５９Ｍがマゼンタインク、透光窓部５９Ｙがイエローインク、および透光窓部５９ＰＢＫが顔料系のブラックインクを、それぞれ収容したタンク２１（図４参照）に対向している。そして、透光窓部５９ＢＫ，５９Ｃ，５９Ｍ，５９Ｙ，５９ＰＢＫの外側には、外縁部３０が設けられている。
【０１３８】
透光窓部５９ＢＫ，５９Ｃ，５９Ｍ，５９Ｙ，５９ＰＢＫのそれぞれには、実線の横線８１ａや点線の横線８１ｂで構成される目盛３１、およびマーク８３ＢＫ，８３Ｃ，８３Ｍ，８３Ｙ，８３ＰＢＫを含む識別マーク３２、を備えている。
【０１３９】
マーク８３ＢＫ，８３Ｃ，８３Ｍ，８３Ｙ，８３ＰＢＫを含む識別マーク３２は、透光窓部５９ＢＫに設けられたブラックインクを表す「ＢＫ」のマーク８３ＢＫと、透光窓部５９Ｃに設けられたシアンインクを表す「Ｃ」のマーク８３Ｃと、透光窓部５９Ｍに設けられたマゼンタインクを表す「Ｍ」のマーク８３Ｍと、透光窓部５９Ｙに設けられたイエローインクを表す「Ｙ」のマーク８３Ｙと、透光窓部５９ＰＢＫに設けられた顔料系のブラックインクを表す「ＰＢＫ」のマーク８３ＰＢＫと、を含んでいる。
【０１４０】
なお、目盛３１を構成する実線の横線８１ａや点線の横線８１ｂ、およびマーク８３ＢＫ，８３Ｃ，８３Ｍ，８３Ｙ，８３ＰＢＫは、例えばそれぞれのインク色に対応した個別色、統一された黒色、白抜き文字など、どのような色調であってもよい。
【０１４１】
透光部１９を構成する五つの透光窓部５９ＢＫ，５９Ｃ，５９Ｍ，５９Ｙ，５９ＰＢＫのそれぞれは、タンクユニット２０の五つのタンク２１のそれぞれに対応して配置され、上部端（識別マーク３２の配置側）から縦長の帯状で延伸し、下部（点線の横線８１ｂの配置側）の端部が円弧状に丸められた、所謂試験管形状を模した形状となっている。
【０１４２】
５．４．実施例４
図１４を参照して、実施例４に係る透光部、目盛、および識別マークについて説明する。実施例４は、図１４に示すように、顔料系のブラックインクに対向した透光窓部７９ＰＢＫには、単独の輪郭線９１Ｂが配設され、他の４色のインクに対応した透光窓部７９ＢＫ，７９Ｃ，７９Ｍ，７９Ｙには、透光窓部７９ＢＫ，７９Ｃ，７９Ｍ，７９Ｙを括った枠線９１Ａが配設されている。なお、本実施例では、透光窓部７９ＢＫがブラックインク、透光窓部７９Ｃがシアンインク、透光窓部７９Ｍがマゼンタインク、透光窓部７９Ｙがイエローインク、および透光窓部７９ＰＢＫが顔料系のブラックインクを、それぞれ収容したタンク２１（図４参照）に対向している。そして、透光窓部７９ＢＫ，７９Ｃ，７９Ｍ，７９Ｙ，７９ＰＢＫの外側には、外縁部３０が設けられている。
【０１４３】
実施例４に係る透光部１９を構成する透光窓部７９ＢＫ，７９Ｃ，７９Ｍ，７９Ｙ，７９ＰＢＫは、透光性を有している。透光窓部７９ＢＫおよび透光窓部７９Ｙは、三隅を円弧状に丸めた縦長の概ね長方形をなし、透光窓部７９Ｃおよび透光窓部７９Ｍは、点線の横線８１ｂ側の二隅を円弧状に丸めた縦長の概ね長方形をなしている。透光窓部７９ＰＢＫは、四隅を円弧状に丸めた縦長の概ね長方形をなしている。透光窓部７９ＰＢＫには、該外縁に沿って配設された輪郭線９１Ｂが設けられている。また、他の透光窓部７９ＢＫ，７９Ｃ，７９Ｍ，７９Ｙには、四つの透光窓部７９ＢＫ，７９Ｃ，７９Ｍ，７９Ｙの外縁部分を括った枠線９１Ａが設けられている。
【０１４４】
透光窓部７９ＢＫ，７９Ｃ，７９Ｍ，７９Ｙ，７９ＰＢＫには、実線の横線８１ａや点線の横線８１ｂで構成される目盛３１、およびマーク８３ＢＫ，８３Ｃ，８３Ｍ，８３Ｙ，８３ＰＢＫを含む識別マーク３２、を備えている。
【０１４５】
マーク８３ＢＫ，８３Ｃ，８３Ｍ，８３Ｙ，８３ＰＢＫを含む識別マーク３２は、透光窓部７９ＢＫに設けられたブラックインクを表す「ＢＫ」のマーク８３ＢＫと、透光窓部７９Ｃに設けられたシアンインクを表す「Ｃ」のマーク８３Ｃと、透光窓部７９Ｍに設けられたマゼンタインクを表す「Ｍ」のマーク８３Ｍと、透光窓部７９Ｙに設けられたイエローインクを表す「Ｙ」のマーク８３Ｙと、透光窓部７９ＰＢＫに設けられた顔料系のブラックインクを表す「ＰＢＫ」のマーク８３ＰＢＫと、を含んでいる。また、識別マーク３２は、枠線９１Ａの上側に設けられた「Ｐｈｏｔｏ」や、輪郭線９１Ｂの上側に設けられた「Ｔｅｘｔ」含んでいる。
【０１４６】
なお、枠線９１Ａや輪郭線９１Ｂ、目盛３１を構成する実線の横線８１ａや点線の横線８１ｂ、およびマーク８３ＢＫ，８３Ｃ，８３Ｍ，８３Ｙ，８３ＰＢＫは、例えばそれぞれのインク色に対応した個別色、統一された黒色、白抜き文字など、どのような色調であってもよい。
【０１４７】
５．５．実施例５
図１５を参照して、実施例５に係る透光部、目盛、および識別マークについて説明する。実施例５は、図１５に示すように、透光窓部７９ＢＫ，７９Ｃ，７９Ｍ，７９Ｙ，７９ＰＢＫの下側の外縁部３０にインクの色に対応して着色された識別マーク３２（アプリアイコンともいう）が設けられている。外縁部３０は、透光窓部７９ＢＫ，７９Ｃ，７９Ｍ，７９Ｙ，７９ＰＢＫの外側に設けられている領域である。なお、本実施例では、透光窓部７９ＢＫがブラックインク、透光窓部７９Ｃがシアンインク、透光窓部７９Ｍがマゼンタインク、透光窓部７９Ｙがイエローインク、および透光窓部７９ＰＢＫが顔料系のブラックインクを、それぞれ収容したタンク２１（図４参照）に対向している。
【０１４８】
実施例５に係る透光部１９を構成する透光窓部７９ＢＫ，７９Ｃ，７９Ｍ，７９Ｙ，７９ＰＢＫは、透光性を有し、上側から下側に沿って縦長の概ね長方形をなしている。なお、概ね長方形の透光窓部７９ＢＫ，７９Ｃ，７９Ｍ，７９Ｙ，７９ＰＢＫの下側の二隅は円弧状に丸められている。
【０１４９】
透光窓部７９ＢＫ，７９Ｃ，７９Ｍ，７９Ｙ，７９ＰＢＫのそれぞれには、透光窓部７９ＢＫ，７９Ｃ，７９Ｍ，７９Ｙ，７９ＰＢＫを横切る実線の横線８２ａや点線の横線８２ｂで構成される目盛３１が設けられている。なお、目盛３１を構成する実線の横線８２ａや点線の横線８２ｂは、例えばそれぞれのインク色に対応した個別色、統一された黒色、白抜き文字など、どのような色調であってもよい。
【０１５０】
透光窓部７９ＢＫ，７９Ｃ，７９Ｍ，７９Ｙ，７９ＰＢＫの下側の外縁部３０に設けられている識別マーク３２は、マーク４２ＢＫ，４２Ｃ，４２Ｍ，４２Ｙ，４２ＰＢＫを含む。透光窓部７９ＢＫの下側に設けられたマーク４２ＢＫは、黒系色の概四角枠の中にブラックインクを表す「ＢＫ」が設けられている。透光窓部７９Ｃの下側に設けられたマーク４２Ｃは、青系色の概四角枠の中にシアンインクを表す「Ｃ」が設けられている。透光窓部７９Ｍの下側に設けられたマーク４２Ｍは、赤系色の概四角枠の中にマゼンタインクを表す「Ｍ」が設けられている。透光窓部７９Ｙの下側に設けられたマーク４２Ｙは、黄系色の概四角枠の中にイエローインクを表す「Ｙ」が設けられている。透光窓部７９ＰＢＫの下側に設けられたマーク４２ＰＢＫは、黒系色の概四角枠の中に顔料系のブラックインクを表す「ＰＢＫ」が設けられている。なお、それぞれの概四角枠には、その外縁に枠線が設けられてもよい。
【０１５１】
５．６．実施例６
図１６を参照して、実施例６に係る透光部、目盛、および識別マークについて説明する。実施例６は、図１６に示すように、透光窓部１９ＰＢＫ，１９Ｃ，１９Ｍ，１９Ｙ，１９ＢＫに、各タンク２１（図４参照）のタンク容量を示す数字目盛が設けられ、透光窓部１９ＰＢＫ，１９Ｃ，１９Ｍ，１９Ｙ，１９ＢＫの上側の外縁部３０に識別マーク３２が設けられている。外縁部３０は、透光窓部１９ＰＢＫ，１９Ｃ，１９Ｍ，１９Ｙ，１９ＢＫの外側に設けられている領域である。なお、本実施例では、透光窓部１９ＰＢＫが顔料系のブラックインク、透光窓部１９Ｃがシアンインク、透光窓部１９Ｍがマゼンタインク、透光窓部１９Ｙがイエローインク、および透光窓部１９ＢＫがブラックインクを、それぞれ収容したタンク２１（図４参照）に対向している。
【０１５２】
実施例６に係る透光部１９を構成する透光窓部１９ＰＢＫ，１９Ｃ，１９Ｍ，１９Ｙ，１９ＢＫは、透光性を有し、上側から下側に沿って縦長の概ね長方形をなしている。なお、概ね長方形の透光窓部１９ＰＢＫ，１９Ｃ，１９Ｍ，１９Ｙ，１９ＢＫの四隅は円弧状に丸められている。なお、透光窓部１９ＰＢＫ，１９Ｃ，１９Ｍ，１９Ｙ，１９ＢＫは、その外縁を囲む輪郭線３４ＰＢＫ，３４Ｃ，３４Ｍ，３４Ｙ，３４ＢＫを設けることができる。
【０１５３】
透光窓部１９ＰＢＫには、顔料系のブラックインクを収容するタンク２１（図４参照）のタンク容量を示す数字目盛３５と、目盛線３５Ｆ，３５Ｌ，３５Ｃ，３５Ｂとが設けられている。なお、数字目盛３５は、顔料系のブラックインクを収容するタンク２１の最大値として「１００」の数値で示している。
【０１５４】
透光窓部１９Ｃ，１９Ｍ，１９Ｙ，１９ＢＫのそれぞれには、対応するインクを収容するタンク２１のタンク容量を示す数字目盛３６と、目盛線３６Ｆ，３６Ｌ，３６Ｃ，３６Ｂとが設けられている。なお、数字目盛３６は、シアンインク、マゼンタインク、イエローインク、およびブラックインクをそれぞれ収容するタンク２１の最大値として「７０」の数値で示している。
【０１５５】
なお、目盛３１を構成する数字目盛３５，３６、および目盛線３５Ｆ，３５Ｌ，３５Ｃ，３５Ｂ，３６Ｆ，３６Ｌ，３６Ｃ，３６Ｂは、例えばそれぞれのインク色に対応した個別色、統一された黒色、白抜き文字など、どのような色調であってもよい。
【０１５６】
本実施例の識別マーク３２は、五つのタンク２１のそれぞれに収容されているインクの種別を示しており、透光窓部１９ＰＢＫ，１９Ｃ，１９Ｍ，１９Ｙ，１９ＢＫの上側にマーク６３ＰＢＫ，６３Ｃ，６３Ｍ，６３Ｙ，６３ＢＫが配置され、その上側に横線のマーク３３ＰＢＫ，３３Ｃ，３３Ｍ，３３Ｙ，３３ＢＫが配置されている。具体的には、例えば顔料系のブラックインクを表す「ＰＢＫ」のマーク６３ＰＢＫとマーク３３ＰＢＫ、シアンインクを表す「Ｃ」のマーク６３Ｃとマーク３３Ｃ、マゼンタインクを表す「Ｍ」のマーク６３Ｍとマーク３３Ｍ、イエローインクを表す「Ｙ」のマーク６３Ｙとマーク３３Ｙ、およびブラックインクを表す「ＢＫ」のマーク６３ＢＫとマーク３３ＢＫを含んでいる。なお、マーク３３ＰＢＫは黒系色、マーク３３Ｃは青系色、マーク３３Ｍは赤系色、マーク３３Ｙは黄系色、マーク３３ＢＫは黒系色のように、インクの色に対応した着色がなされている。また、マーク６３ＰＢＫ，６３Ｃ，６３Ｙ，６３Ｍ，６３ＢＫは、例えばそれぞれのインク色に対応した個別色、統一された黒色、白抜き文字などに着色されてもよい。
【０１５７】
５．７．実施例７
図１７を参照して、実施例７に係る透光部、目盛、および識別マークについて説明する。実施例７は、図１７に示すように、透光窓部７９Ｃ，７９Ｍ，７９Ｙ，７９ＰＢＫの下側の外縁部３０にインクの色に対応して着色された識別マーク３２が設けられている。外縁部３０は、透光窓部７９Ｃ，７９Ｍ，７９Ｙ，７９ＰＢＫの外側に設けられている領域である。なお、本実施例では、透光窓部７９Ｃがシアンインク、透光窓部７９Ｍがマゼンタインク、透光窓部７９Ｙがイエローインク、および透光窓部７９ＰＢＫが顔料系のブラックインクを、それぞれ収容したタンク２１（図４参照）に対向している。
【０１５８】
実施例７に係る透光部１９を構成する透光窓部７９Ｃ，７９Ｍ，７９Ｙ，７９ＰＢＫは、透光性を有し、上側から下側に沿って縦長の概ね長方形をなしている。なお、概ね長方形の透光窓部７９Ｃ，７９Ｍ，７９Ｙ，７９ＰＢＫの下側の二隅は円弧状に丸められている。
【０１５９】
透光窓部７９Ｃ，７９Ｍ，７９Ｙ，７９ＰＢＫのそれぞれには、透光窓部７９Ｃ，７９Ｍ，７９Ｙ，７９ＰＢＫを横切る実線の横線８２ａや点線の横線８２ｂで構成される目盛３１が設けられている。なお、目盛３１を構成する実線の横線８２ａや点線の横線８２ｂは、例えばそれぞれのインク色に対応した個別色、統一された黒色、白抜き文字など、どのような色調であってもよい。
【０１６０】
透光窓部７９Ｃ，７９Ｍ，７９Ｙ，７９ＰＢＫの下側の外縁部３０に設けられている識別マーク３２は、マーク４２Ｃ，４２Ｍ，４２Ｙ，４２ＰＢＫを含む。透光窓部７９Ｃの下側に設けられたマーク４２Ｃは、青系色の概四角枠の中にシアンインクを表す「Ｃ」が設けられている。透光窓部７９Ｍの下側に設けられたマーク４２Ｍは、赤系色の概四角枠の中にマゼンタインクを表す「Ｍ」が設けられている。透光窓部７９Ｙの下側に設けられたマーク４２Ｙは、黄系色の概四角枠の中にイエローインクを表す「Ｙ」が設けられている。透光窓部７９ＰＢＫの下側に設けられたマーク４２ＰＢＫは、黒系色の概四角枠の中に顔料系のブラックインクを表す「ＰＢＫ」が設けられている。なお、それぞれの概四角枠には、その外縁に枠線が設けられてもよい。
【０１６１】
５．８．実施例８
図１８を参照して、実施例８に係る透光部、目盛、および識別マークについて説明する。実施例８は、図１８に示すように、カラーライン枠（以下、輪郭線９０Ｃ，９０Ｍ，９０Ｙ，９０ＰＢＫという）が設けられた透光窓部７９Ｃ，７９Ｍ，７９Ｙ，７９ＰＢＫを有している。なお、本実施例では、透光窓部７９Ｃがシアンインク、透光窓部７９Ｍがマゼンタインク、透光窓部７９Ｙがイエローインク、および透光窓部７９ＰＢＫが顔料系のブラックインクを、それぞれ収容したタンク２１（図４参照）に対向している。そして、透光窓部７９Ｃ，７９Ｍ，７９Ｙ，７９ＰＢＫの外側には、外縁部３０が設けられている。
【０１６２】
実施例８に係る透光部１９を構成する透光窓部７９Ｃ，７９Ｍ，７９Ｙ，７９ＰＢＫは、透光性を有し、上側から下側に沿って縦長の概ね長方形をなしている。なお、概ね長方形の透光窓部７９Ｃ，７９Ｍ，７９Ｙ，７９ＰＢＫの四隅は円弧状に丸められている。そして、透光窓部７９Ｃ，７９Ｍ，７９Ｙ，７９ＰＢＫのそれぞれの外縁には、該外縁に沿って配設された輪郭線９０Ｃ，９０Ｍ，９０Ｙ，９０ＰＢＫが設けられている。
【０１６３】
輪郭線９０Ｃ，９０Ｍ，９０Ｙ，９０ＰＢＫは、それぞれ対応するインクの色と同系色に着色されている。詳細には、シアンインクに対応する透光窓部７９Ｃに配設された輪郭線９０Ｃには青系色、マゼンタインクに対応する透光窓部７９Ｍに配設された輪郭線９０Ｍには赤系色、イエローインクに対応する透光窓部７９Ｙに配設された輪郭線９０Ｙには黄系色、顔料系のブラックインクに対応する透光窓部７９ＰＢＫに配設された輪郭線９０ＰＢＫには黒系色、がそれぞれ用いられている。
【０１６４】
透光窓部７９Ｃ，７９Ｍ，７９Ｙ，７９ＰＢＫには、実線の横線８１ａや点線の横線８１ｂで構成される目盛３１、およびマーク８３Ｃ，８３Ｍ，８３Ｙ，８３ＰＢＫを含む識別マーク３２、を備えている。
【０１６５】
マーク８３Ｃ，８３Ｍ，８３Ｙ，８３ＰＢＫを含む識別マーク３２は、透光窓部７９Ｃに設けられたシアンインクを表す「Ｃ」のマーク８３Ｃと、透光窓部７９Ｍに設けられたマゼンタインクを表す「Ｍ」のマーク８３Ｍと、透光窓部７９Ｙに設けられたイエローインクを表す「Ｙ」のマーク８３Ｙと、透光窓部７９ＰＢＫに設けられた顔料系のブラックインクを表す「ＰＢＫ」のマーク８３ＰＢＫと、を含んでいる。
【０１６６】
なお、目盛３１を構成する実線の横線８１ａや点線の横線８１ｂ、およびマーク８３Ｃ，８３Ｍ，８３Ｙ，８３ＰＢＫは、例えばそれぞれのインク色に対応した個別色、統一された黒色、白抜き文字など、どのような色調であってもよい。
【０１６７】
５．９．実施例９
図１９を参照して、実施例９に係る透光部、目盛、および識別マークについて説明する。実施例９は、図１９に示すように、透光窓部１９Ｃ，１９Ｍ，１９Ｙ，１９Ｋの上側の端部に識別マーク３２が設けられている。なお、本実施例では、透光窓部１９Ｃがシアンインク、透光窓部１９Ｍがマゼンタインク、透光窓部１９Ｙがイエローインク、および透光窓部１９Ｋがブラックインクを、それぞれ収容したタンク２１（図４参照）に対向している。そして、透光窓部１９Ｃ，１９Ｍ，１９Ｙ，１９Ｋの外側には、外縁部３０が設けられている。
【０１６８】
実施例９に係る透光部１９を構成する透光窓部１９Ｃ，１９Ｍ，１９Ｙ，１９Ｋは、透光性を有し、上側から下側に沿って縦長の概ね長方形をなしている。なお、概ね長方形の透光窓部１９Ｃ，１９Ｍ，１９Ｙ，１９Ｋの四隅は円弧状に丸められている。
【０１６９】
透光窓部１９Ｃ，１９Ｍ，１９Ｙ，１９Ｋのそれぞれには、目盛３１として、例えば横線の上限目盛３７Ｕ、横線の上部目盛３７Ｆ、中間目盛３７Ｃ、および横線の下限目盛３７Ｌ、上限目盛３７Ｕ、上部目盛３７Ｆ、中間目盛３７Ｃ、および下限目盛３７のそれぞれの間に設けられた細分目盛３７Ｂなどが配設されている。なお、中間目盛３７Ｃは、上部目盛３７Ｆ、および横線の下限目盛３７Ｌよりも僅かに短い横線で構成されている。また、目盛３１を構成する上限目盛３７Ｕ、上部目盛３７Ｆ、中間目盛３７Ｃ、下限目盛３７Ｌ、および細分目盛３７Ｂは、それぞれのインク色に対応した個別色、統一された黒色、白抜き文字など、どのような色調であってもよい。
【０１７０】
透光窓部１９Ｃ，１９Ｍ，１９Ｙ，１９Ｋの上側の端部に設けられている識別マーク３２は、マーク４２Ｃ，４２Ｍ，４２Ｙ，４２Ｋを含む。透光窓部１９Ｃの上側に設けられたマーク４２Ｃは、青系色の背景にシアンインクを表す「Ｃ」が設けられている。透光窓部１９Ｍの上側に設けられたマーク４２Ｍは、赤系色の背景の中にマゼンタインクを表す「Ｍ」が設けられている。透光窓部１９Ｙの上側に設けられたマーク４２Ｙは、黄系色の背景の中にイエローインクを表す「Ｙ」が設けられている。透光窓部１９Ｋの上側に設けられたマーク４２Ｋは、黒系色の背景の中にブラックインクを表す「Ｋ」が設けられている。なお、それぞれの概四角枠には、その外縁に枠線が設けられてもよい。
【０１７１】
５．１０．実施例１０
図２０を参照して、実施例１０に係る透光部、目盛、および識別マークについて説明する。実施例１０は、図２０に示すように、透光窓部１９Ｃ，１９Ｍ，１９Ｙ，１９Ｋの外側には、外縁部３０が設けられている。そして、透光窓部１９Ｃ，１９Ｍ，１９Ｙ，１９Ｋの上側の外縁部３０が、第１の区分線４７ａと第２の区分線４７ｂとによって三つの領域に区分けされている。そして、第１の区分線４７ａの上側に区分された領域３０１にカラーライン３３Ａを含む識別マーク３２が設けられている。なお、本実施例では、透光窓部１９Ｃがシアンインク、透光窓部１９Ｍがマゼンタインク、透光窓部１９Ｙがイエローインク、および透光窓部１９Ｋがブラックインクを、それぞれ収容したタンク２１（図４参照）に対向している。
【０１７２】
実施例１０に係る透光部１９を構成する透光窓部１９Ｃ，１９Ｍ，１９Ｙ，１９Ｋは、透光性を有し、上側から下側に沿って縦長の概ね長方形をなしている。なお、概ね長方形の透光窓部１９Ｃ，１９Ｍ，１９Ｙ，１９Ｋの四隅は円弧状に丸められている。
【０１７３】
透光窓部１９Ｃ，１９Ｍ，１９Ｙ，１９Ｋのそれぞれには、目盛３１として、例えば三角マークの上限目盛３８Ｆや下限目盛３８Ｌ、小さめの三角マークの中間目盛３８Ｃなどが配設されている。なお、目盛３１を構成する上限目盛３８Ｆ、下限目盛３８Ｌ、および中間目盛３８Ｃは、それぞれのインク色に対応した個別色、統一された黒色、白抜き文字など、どのような色調であってもよい。
【０１７４】
領域３０１に設けられている識別マーク３２は、四つのタンク２１のそれぞれに収容されているインクの種別を示しており、各透光窓部１９Ｃ，１９Ｍ，１９Ｙ，１９Ｋに対応したマーク６３Ｃ，６３Ｍ，６３Ｙ，６３Ｋと、マーク６３Ｃ，６３Ｍ，６３Ｙ，６３Ｋの下側に配置されたトラック状の横線マーク５３Ｃ，５３Ｍ，５３Ｙ，５３Ｋと、６３Ｃ，６３Ｍ，６３Ｙ，６３Ｋの上側に配置されたカラーライン３３Ａとを含んでいる。
【０１７５】
具体的には、シアンインクを表す「Ｃ」のマーク６３Ｃと横線マーク５３Ｃ、マゼンタインクを表す「Ｍ」マーク６３Ｍと横線マーク５３Ｍ、イエローインクを表す「Ｙ」のマーク６３Ｙと横線マーク５３Ｙ、およびブラックインクを表す「Ｋ」のマーク６３Ｋと横線マーク５３Ｋが配置されている。なお、マーク６３Ｃと横線マーク５３Ｃは青系色、マーク６３Ｍと横線マーク５３Ｍは赤系色、マーク６３Ｙと横線マーク５３Ｙは黄系色、マーク６３Ｋと横線マーク５３Ｋは黒系色のように、インクの色に対応した着色がなされている。
【０１７６】
カラーライン３３Ａは、マーク６３Ｃ、マーク６３Ｍ、マーク６３Ｙ、およびマーク６３Ｋに対応し、それぞれの色と同系色に色分けされている。本例では、マーク６３Ｃに対応した青系色、マーク６３Ｍに対応した赤系色、マーク６３Ｙに対応した黄系色、およびマーク６３Ｋに対応した黒系色の順に配色されている。
【０１７７】
５．１１．実施例１１
図２１を参照して、実施例１１に係る透光部、目盛、および識別マークについて説明する。実施例１１は、図２１に示すように、透光窓部１９Ｋ，１９Ｃ，１９Ｍ，１９Ｙに、インク残量の目安となる透光窓部１９Ｋ，１９Ｃ，１９Ｍ，１９Ｙを横切る横長線の目盛３１が設けられている。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１７８】
実施例１１に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１７９】
透光窓部１９Ｋ，１９Ｃ，１９Ｍ，１９Ｙのそれぞれには、目盛３１として、例えば透光窓部１９Ｋ，１９Ｃ，１９Ｍ，１９Ｙを横切る横長の一点鎖線で示された上限目盛１８２Ｆや横長の三点鎖線で示された下限目盛１８２Ｌ、横長の二点鎖線で示された中間目盛１８２Ｃ、中間目盛１８２Ｃと上限目盛１８２Ｆおよび下限目盛１８２Ｌとの間に設けられた細分目盛１８２Ｂなどが配設されている。なお、目盛３１を構成する上限目盛１８２Ｆ、下限目盛１８２Ｌ、中間目盛１８２Ｃ、および細分目盛１８２Ｂは、それぞれのインク色に対応した個別色、統一された黒色、白抜き文字など、どのような色調であってもよい。
【０１８０】
第１の区分線４８ａの上側に設けられている識別マーク３２は、四つのタンク２１のそれぞれに収容されているインクの種別を示しており、各透光窓部１９Ｋ，１９Ｃ，１９Ｍ，１９Ｙに対応したマーク６３Ｋ，６３Ｃ，６３Ｍ，６３Ｙを含んでいる。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０１８１】
５．１２．実施例１２
図２２を参照して、実施例１２に係る透光部、目盛、および識別マークについて説明する。実施例１２は、図２２に示すように、透光窓部１９Ｋ，１９Ｃ，１９Ｍ，１９Ｙにインク残量の目安となる短めの横長線の目盛３１が設けられている。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１８２】
実施例１２に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１８３】
透光窓部１９Ｋ，１９Ｃ，１９Ｍ，１９Ｙのそれぞれには、目盛３１として、例えば横長の一点で示された上限目盛８４Ｆや横長の三点で示された下限目盛８４Ｌ、横長の二点で示された中間目盛８４Ｃ、および中間目盛８４Ｃと上限目盛８４Ｆおよび下限目盛８４Ｌとの間に設けられた細分目盛８４Ｂなどが配設されている。なお、目盛３１を構成する上限目盛８４Ｆ、下限目盛８４Ｌ、中間目盛８４Ｃ、および細分目盛８４Ｂは、それぞれのインク色に対応した個別色、統一された黒色、白抜き文字など、どのような色調であってもよい。
【０１８４】
第１の区分線４８ａの上側に設けられている識別マーク３２は、四つのタンク２１のそれぞれに収容されているインクの種別を示しており、各透光窓部１９Ｋ，１９Ｃ，１９Ｍ，１９Ｙに対応したマーク６３Ｋ，６３Ｃ，６３Ｍ，６３Ｙを含んでいる。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０１８５】
５．１３．実施例１３
図２３を参照して、実施例１３に係る透光部、目盛、および識別マークについて説明する。実施例１３は、図２３に示すように、横長帯状の枠６７が四つに区切られたそれぞれの領域の中に、各透光窓部１９Ｋ，１９Ｃ，１９Ｍ，１９Ｙに対応したマーク６３Ｋ，６３Ｃ，６３Ｍ，６３Ｙが設けられた識別マーク３２を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１８６】
実施例１３に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１８７】
透光窓部１９Ｋ，１９Ｃ，１９Ｍ，１９Ｙのそれぞれには、目盛３１として、例えば横長の一点で示された上限目盛８４Ｆや横長の三点で示された下限目盛８４Ｌ、横長の二点で示された中間目盛８４Ｃなどが配設されている。また、透光窓部１９Ｋ，１９Ｃ，１９Ｍ，１９Ｙの一方の縦枠に沿って細分目盛８４Ｓが配設されている。なお、目盛３１を構成する上限目盛８４Ｆ、下限目盛８４Ｌ、中間目盛８４Ｃ、および細分目盛８４Ｓは、それぞれのインク色に対応した個別色、統一された黒色、白抜き文字など、どのような色調であってもよい。
【０１８８】
第１の区分線４８ａの上側に設けられている識別マーク３２は、四つのタンク２１のそれぞれに収容されているインクの種別を示しており、横長帯状（本例では長方形の四隅が丸められた形状）枠６７が四つに区切られたそれぞれの領域の中に、各透光窓部１９Ｋ，１９Ｃ，１９Ｍ，１９Ｙに対応したマーク６３Ｋ，６３Ｃ，６３Ｍ，６３Ｙが設けられている。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０１８９】
５．１４．実施例１４
図２４を参照して、実施例１４に係る透光部、目盛、および識別マークについて説明する。実施例１４は、図２４に示すように、波紋風の枠線６８ａ，６８ｂによって四つに区切られたそれぞれの枠中に、各透光窓部１９Ｋ，１９Ｃ，１９Ｍ，１９Ｙに対応したマーク６３Ｋ，６３Ｃ，６３Ｍ，６３Ｙが設けられた識別マーク３２を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１９０】
実施例１４に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１９１】
透光窓部１９Ｋ，１９Ｃ，１９Ｍ，１９Ｙのそれぞれには、目盛３１として、例えば横長の実線で示された上限目盛８５Ｆや下限目盛８５Ｌ、上限目盛８５Ｆよりも僅かに短い実線で示された中間目盛８５Ｃ、および中間目盛８５Ｃと上限目盛８５Ｆおよび下限目盛８５Ｌとの間にドット状に設けられた細分目盛８５Ｂなどが配設されている。なお、上限目盛８５Ｆ、下限目盛８５Ｌ、および中間目盛８５Ｃは、透光窓部１９Ｋ，１９Ｃ，１９Ｍ，１９Ｙの幅方向の中央からずれて、本例では右側にずれて配置されている。また、目盛３１を構成する上限目盛８５Ｆ、下限目盛８５Ｌ、中間目盛８５Ｃ、および細分目盛８５Ｂは、それぞれのインク色に対応した個別色、統一された黒色、白抜き文字など、どのような色調であってもよい。
【０１９２】
第１の区分線４８ａの上側に設けられている識別マーク３２は、四つのタンク２１のそれぞれに収容されているインクの種別を示しており、枠線６８ａで区切られた大きめの枠内に透光窓部１９Ｋに対応したマーク６３Ｋが配置され、枠線６８ｂで区切られた比較的小さめの三つの枠内にそれぞれ透光窓部１９Ｃ，１９Ｍ，１９Ｙに対応したマーク６３Ｃ，６３Ｍ，６３Ｙが配置されている。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０１９３】
５．１５．実施例１５
図２５を参照して、実施例１５に係る透光部、目盛、および識別マークについて説明する。実施例１５は、図２５に示すように、例えば角丸の白抜き□中に「Ｋ」が設けられたマーク３２Ｋなどを含む識別マーク３２を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１９４】
実施例１５に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１９５】
透光窓部１９Ｋ，１９Ｃ，１９Ｍ，１９Ｙのそれぞれには、目盛３１として、例えば横長の実線で示された上部目盛３１Ｆや下限目盛３１Ｌ、上部目盛３１Ｆよりも僅かに短い実線で示された中間目盛３１Ｃ、および中間目盛３１Ｃと上部目盛３１Ｆおよび下限目盛３１Ｌとの間にドット状に設けられた細分目盛３１Ｂなどが配設されている。なお、目盛３１を構成する上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０１９６】
第１の区分線４８ａの上側に設けられている識別マーク３２は、四つのタンク２１のそれぞれに収容されているインクの種別を示しており、例えばブラックインクを表す「角丸の白抜き□中にＫ」のマーク３２Ｋ、シアンインクを表す「角丸の白抜き□中にＣ」のマーク３２Ｃ、マゼンタインクを表す「角丸の白抜き□中にＭ」のマーク３２Ｍ、およびイエローインクを表す「角丸の白抜き□中にＹ」のマーク３２Ｙを含んでいる。なお、マーク３２Ｋ，３２Ｃ，３２Ｍ，３２Ｙは、例えばそれぞれのインク色に対応した個別色、統一された黒色、白抜き文字など、どのような色調であってもよい。
【０１９７】
５．１６．実施例１６
図２６を参照して、実施例１６に係る透光部、目盛、および識別マークについて説明する。実施例１６は、図２６に示すように、例えば白抜きの○中に「Ｋ」が設けられたマーク３３Ｋなどを含む識別マーク３２を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０１９８】
実施例１６に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０１９９】
透光窓部１９Ｋ，１９Ｃ，１９Ｍ，１９Ｙのそれぞれには、目盛３１として、例えば横並びの三点で示された上限目盛３１１Ｆや下限目盛３１１Ｌ、および上限目盛３１１Ｆと下限目盛３１１Ｌとの間にドット状に配置された細分目盛３１１Ｂなどが配設されている。なお、目盛３１を構成する上限目盛３１１Ｆ、下限目盛３１１Ｌ、および細分目盛３１１Ｂは、それぞれのインク色に対応した個別色、統一された黒色、白抜き文字など、どのような色調であってもよい。
【０２００】
第１の区分線４８ａの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２０１】
５．１７．実施例１７
図２７を参照して、実施例１７に係る透光部、目盛、および識別マークについて説明する。実施例１７は、図２７に示すように、例えば白抜きの○中に「Ｋ」が設けられたマーク３３Ｋなどを含む識別マーク３２と、透光窓部１９Ｋ，１９Ｃ，１９Ｍ，１９Ｙに設けられた横並びのドットマークを実線で結んだ、例えば上限目盛３１２Ｆなどを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２０２】
実施例１７に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２０３】
透光窓部１９Ｋ，１９Ｃ，１９Ｍ，１９Ｙのそれぞれには、目盛３１として、例えば横並びのドットマークを実線で結んだ上限目盛３１２Ｆ、下限目盛３１２Ｌ、および中間目盛３１２Ｃや中間目盛３１２Ｃと上限目盛３１２Ｆおよび下限目盛３１２Ｌとのそれぞれの間に配置された細分目盛３１２Ｂなどが配設されている。なお、目盛３１を構成する上限目盛３１２Ｆ、下限目盛３１２Ｌ、および中間目盛３１２Ｃや細分目盛３１２Ｂは、それぞれのインク色に対応した個別色、統一された黒色、白抜き文字など、どのような色調であってもよい。
【０２０４】
第１の区分線４８ａの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２０５】
５．１８．実施例１８
図２８を参照して、実施例１８に係る透光部、目盛、および識別マークについて説明する。実施例１８は、図２８に示すように、例えば白抜きの○中に「Ｋ」が設けられたマーク３３Ｋなどを含む識別マーク３２と、透光窓部１９Ｋ，１９Ｃ，１９Ｍ，１９Ｙに設けられた目盛３１に並設されたカラー柱４５Ｋ，４５Ｃ，４５Ｍ，４５Ｙと、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２０６】
実施例１８に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。
【０２０７】
透光窓部１９Ｋ，１９Ｃ，１９Ｍ，１９Ｙのそれぞれには、上限目盛３１３Ｆ、下限目盛３１３Ｌ、中間目盛３１３Ｃ、および中間目盛３１３Ｃと上限目盛３１３Ｆおよび下限目盛３１３Ｌとのそれぞれの間に配置された細分目盛３１３Ｂなどが、目盛３１として配設されている。なお、目盛３１を構成する上限目盛３１３Ｆ、下限目盛３１３Ｌ、中間目盛３１３Ｃ、および細分目盛３１３Ｂは、それぞれのインク色に対応した個別色、統一された黒色、白抜き文字など、どのような色調であってもよい。
【０２０８】
透光窓部１９Ｋ，１９Ｃ，１９Ｍ，１９Ｙには、それぞれに設けられている目盛３１の横に並ぶ縦長のカラー柱４５Ｋ，４５Ｃ，４５Ｍ，４５Ｙが設けられている。カラー柱４５Ｋ，４５Ｃ，４５Ｍ，４５Ｙは、インクの種別に対応した色で構成され、例えば透光窓部１９Ｋのカラー柱４５Ｋは黒系色、透光窓部１９Ｃのカラー柱４５Ｃは青系色、透光窓部１９Ｍのカラー柱４５Ｍは赤系色、透光窓部１９Ｙのカラー柱４５Ｙは黄系色、で構成されている。
【０２０９】
透光窓部１９Ｋ，１９Ｃ，１９Ｍ，１９Ｙの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２１０】
５．１９．実施例１９
図２９を参照して、実施例１９に係る透光部、目盛、および識別マークについて説明する。実施例１９は、図２９に示すように、例えば白抜きの○中に「Ｋ」が設けられたマーク３３Ｋなどを含む識別マーク３２と、透光窓部１９Ｋ，１９Ｃ，１９Ｍ，１９Ｙに設けられた鉤括弧状の上限目盛３１４Ｆ、下限目盛３１４Ｌ、および細分目盛３１４Ｂを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２１１】
実施例１９に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。
【０２１２】
透光窓部１９Ｋ，１９Ｃ，１９Ｍ，１９Ｙのそれぞれには、鉤括弧の一方を下側に向けて配置した形状の上限目盛３１４Ｆ、鉤括弧の一方を上側に向けて配置した形状の下限目盛３１４Ｌ、上限目盛３１４Ｆと下限目盛３１４Ｌとの間に配置され、横長の実線で示す細分目盛３１４Ｂなどが、目盛３１として配設されている。なお、目盛３１を構成する上限目盛３１４Ｆ、下限目盛３１４Ｌ、および細分目盛３１４Ｂは、それぞれのインク色に対応した個別色、統一された黒色、白抜き文字など、どのような色調であってもよい。
【０２１３】
透光窓部１９Ｋ，１９Ｃ，１９Ｍ，１９Ｙの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２１４】
５．２０．実施例２０
図３０を参照して、実施例２０に係る透光部、目盛、および識別マークについて説明する。実施例２０は、図３０に示すように、例えば白抜きの○中に「Ｋ」が設けられたマーク３３Ｋなどを含む識別マーク３２と、透光窓部１９Ｋ，１９Ｃ，１９Ｍ，１９Ｙに設けられた上限目盛３１５Ｆ、中間目盛３１５Ｃ、下限目盛３１５Ｌ、例えば透光窓部１９Ｋおよび透光窓部１９Ｃのように隣り合う透光窓部間の外縁部３０に設けられた丸型アイコン４６Ｆ，４６Ｌ，４６Ｃなどを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２１５】
実施例２０に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。
【０２１６】
透光窓部１９Ｋには、隣の透光窓部１９Ｃ側の外縁に沿って、上限目盛３１５Ｆ、中間目盛３１５Ｃ、下限目盛３１５Ｌが設けられている。透光窓部１９Ｃおよび透光窓部１９Ｍには、幅方向の外縁に沿った両側に、上限目盛３１５Ｆ、中間目盛３１５Ｃ、下限目盛３１５Ｌが設けられている。透光窓部１９Ｙには、隣の透光窓部１９Ｍ側の外縁に沿って、上限目盛３１５Ｆ、中間目盛３１５Ｃ、下限目盛３１５Ｌが設けられている。そして、中間目盛３１５Ｃと上限目盛３１５Ｆおよび下限目盛３１５Ｌとのそれぞれの間に配置された細分目盛３１５Ｂが設けられている。
【０２１７】
上限目盛３１５Ｆ、中間目盛３１５Ｃ、下限目盛３１５Ｌと、隣の上限目盛３１５Ｆ、中間目盛３１５Ｃ、下限目盛３１５Ｌとの間の三か所の外縁部３０には、丸型アイコン４６Ｆ，４６Ｌ，４６Ｃが設けられている。丸型アイコン４６Ｆは、上限目盛３１５Ｆの横に並ぶ位置に配置され、タンク２１内のインクがフル注入されている状態を表す着色の丸マークで構成される。丸型アイコン４６Ｌは、下限目盛３１５Ｌの横に並ぶ位置に配置され、タンク２１内のインクが略空の状態を表す無着色の丸マークで構成される。丸型アイコン４６Ｃは、中間目盛３１５Ｃの横に並ぶ位置に配置され、タンク２１内のインクが略半分の状態を表す半着色の丸マークで構成される。
【０２１８】
なお、目盛３１を構成する上限目盛３１５Ｆ、中間目盛３１５Ｃ、下限目盛３１５Ｌ、細分目盛３１５Ｂ、および丸型アイコン４６Ｆ，４６Ｌ，４６Ｃは、それぞれのインク色に対応した個別色、統一された黒色、白抜き文字など、どのような色調であってもよい。
【０２１９】
透光窓部１９Ｋ，１９Ｃ，１９Ｍ，１９Ｙの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２２０】
５．２１．実施例２１
図３１を参照して、実施例２１に係る透光部、目盛、および識別マークについて説明する。実施例２１は、図３１に示すように、例えば上側に円弧を有し下側に該円弧から延伸して交わる角部を有する、所謂風船様の枠内に、インクの種別を表す、例えば「Ｋ」の文字が設けられたマーク４７Ｋなどを含む識別マーク３２と、透光窓部１９Ｋ，１９Ｃ，１９Ｍ，１９Ｙを横断する上限目盛３１６Ｆなどを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２２１】
実施例２１に係る透光部１９を構成する透光窓部１９Ｋ，１９Ｃ，１９Ｍ，１９Ｙは、透光性を有し、上側から下側に沿って縦長の概ね長方形をなしている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２２２】
透光窓部１９Ｋ，１９Ｃ，１９Ｍ，１９Ｙのそれぞれには、目盛３１として、透光窓部１９Ｋ，１９Ｃ，１９Ｍ，１９Ｙを横長に横断する実線の上限目盛３１６Ｆ、同様に横長に横断する点線の下限目盛３１６Ｌ、および同様に横長に横断する実線の中間目盛３１６Ｃなどが配設されている。なお、目盛３１を構成する上限目盛３１６Ｆ、下限目盛３１６Ｌ、および中間目盛３１６Ｃは、それぞれのインク色に対応した個別色、統一された黒色、白抜き文字など、どのような色調であってもよい。
【０２２３】
第１の区分線４８ａの上側の外縁部３０に設けられている識別マーク３２は、四つのタンク２１のそれぞれに収容されているインクの種別を示しており、上側に円弧を有し下側に該円弧から延伸して交わる角部を有する、所謂風船様の枠内に、インクの種別を表す文字が設けられた構成のマーク４７Ｋ，４７Ｃ，４７Ｍ、４７Ｙを有している。具体的には、ブラックインクを表す黒系色の風船様の枠内に、「Ｋ」の文字が記されたマーク４７Ｋ、シアンインクを表す青系色の風船様の枠内に、「Ｃ」の文字が記されたマーク４７Ｃ、マゼンタインクを表す赤系色の風船様の枠内に、「Ｍ」の文字が記されたマーク４７Ｍ、イエローインクを表す黄系色の風船様の枠内に、「Ｙ」の文字が記されたマーク４７Ｙが設けられている。なお、マーク４７Ｋ，４７Ｃ，４７Ｍ，４７Ｙに用いられている文字色は、例えば統一された黒色、白抜き文字など、どのような色調であってもよい。
【０２２４】
５．２２．実施例２２
図３２を参照して、実施例２２に係る透光部、目盛、および識別マークについて説明する。実施例２２は、図３２に示すように、各透光窓部１９Ｋ，１９Ｃ，１９Ｍ，１９Ｙに対応してインクに種別を示すマーク６３Ｋ，６３Ｃ，６３Ｍ，６３Ｙと、その下側に配置されたカラーライン３３Ｂと、カラーライン３３Ｂから下側に向かって延伸し、湾曲しながら透光窓部１９Ｋ，１９Ｃ，１９Ｍ，１９Ｙに架かる縦長ライン１２５Ｋ，１２５Ｃ，１２５Ｍ，１２５Ｙとを含む識別マーク３２を有している。さらに、実施例２２は、透光窓部１９Ｋ，１９Ｃ，１９Ｍ，１９Ｙを横断する上限目盛３１６Ｆなどを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２２５】
実施例２２に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２２６】
透光窓部１９Ｋ，１９Ｃ，１９Ｍ，１９Ｙのそれぞれには、目盛３１として、透光窓部１９Ｋ，１９Ｃ，１９Ｍ，１９Ｙを横長に横断する実線の上限目盛３１６Ｆ、同様に横長に横断する点線の下限目盛３１６Ｌ、および同様に横長に横断する実線の中間目盛３１６Ｃなどが配設されている。なお、目盛３１を構成する上限目盛３１６Ｆ、下限目盛３１６Ｌ、および中間目盛３１６Ｃは、それぞれのインク色に対応した個別色、統一された黒色、白抜き文字など、どのような色調であってもよい。
【０２２７】
第１の区分線４８ａの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応して横並びに配置されたマーク６３Ｋ，６３Ｃ，６３Ｍ，６３Ｙと、カラーライン３３Ｂと、縦長ライン１２５Ｋ，１２５Ｃ，１２５Ｍ，１２５Ｙと、を含んでいる。以下、具体的に説明する。
【０２２８】
マーク６３Ｋは、ブラックインクを表す「Ｋ」が配置され、マーク６３Ｃは、シアンインクを表す「Ｃ」が配置され、マーク６３Ｍは、マゼンタインクを表す「Ｍ」が配置され、マーク６３Ｙは、イエローインクを表す「Ｙ」が配置されている。なお、マーク６３Ｋ，６３Ｃ，６３Ｍ，６３Ｙは、それぞれのインク色に対応した個別色、統一された黒色、白抜き文字など、どのような色調であってもよい。
【０２２９】
カラーライン３３Ｂは、マーク６３Ｋ，６３Ｃ，６３Ｍ，６３Ｙの下側に横長に配置されている。カラーライン３３Ｂは、マーク６３Ｋ、マーク６３Ｃ、マーク６３Ｍ、およびマーク６３Ｙに対応した領域に区分され、それぞれの領域が対応するインクの色と同系色に色分けされている。本例では、マーク６３Ｋに対応した黒系色、マーク６３Ｃに対応した青系色、マーク６３Ｍに対応した赤系色、およびマーク６３Ｙに対応した黄系色の順に配色されている。
【０２３０】
縦長ライン１２５Ｋ，１２５Ｃ，１２５Ｍ，１２５Ｙは、カラーライン３３Ｂにおいて色分けされている領域ごとに、透光窓部１９Ｋ，１９Ｃ，１９Ｍ，１９Ｙのそれぞれに向かって延伸されている。延伸された縦長ライン１２５Ｋ，１２５Ｃ，１２５Ｍ，１２５Ｙは、その開放端部において湾曲しながら透光窓部１９Ｋ，１９Ｃ，１９Ｍ，１９Ｙに架かっている。縦長ライン１２５Ｋ，１２５Ｃ，１２５Ｍ，１２５Ｙは、カラーライン３３Ｂにおいて色分けされている領域の色と同系色に着色されている。具体的には、縦長ライン１２５Ｋは黒系色、縦長ライン１２５Ｃは青系色、縦長ライン１２５Ｍは赤系色、縦長ライン１２５Ｙは黄系色に着色されている。
【０２３１】
このような縦長ライン１２５Ｋ，１２５Ｃ，１２５Ｍ，１２５Ｙを設けることにより、識別マーク３２が透光窓部１９Ｋ，１９Ｃ，１９Ｍ，１９Ｙと連接されるため、インクの種類とインク量（インク残量）との繋がりが明確になり、ユーザーの視認性を向上させることができる。
【０２３２】
５．２３．実施例２３
図３３を参照して、実施例２３に係る透光部、目盛、および識別マークについて説明する。実施例２３は、図３３に示すように、例えば円形のカラー枠の中に「Ｋ」が設けられたマーク１４２Ｋなどを含む識別マーク３２と、透光窓部１９Ｋ，１９Ｃ，１９Ｍ，１９Ｙに設けられたドットによる上限目盛１４６Ｆや下限目盛１４６Ｌなどを含む目盛３１と、円形のカラー枠から延伸し、ドットによる上限目盛１４６Ｆや下限目盛１４６Ｌなどと連接する縦長ライン１３５Ｋ，１３５Ｃ，１３５Ｍ，１３５Ｙと、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２３３】
実施例２３に係る透光部１９を構成する透光窓部１９Ｋ，１９Ｃ，１９Ｍ，１９Ｙは、透光性を有し、上側から下側に沿って縦長の概ね長方形をなしている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２３４】
透光窓部１９Ｋ，１９Ｃ，１９Ｍ，１９Ｙのそれぞれには、目盛３１として、ドットで示す上限目盛１４６Ｆ、同様にドットで示す下限目盛１４６Ｌ、および同様にドットで示す中間目盛１４６Ｃなどが配設されている。なお、目盛３１を構成する上限目盛１４６Ｆ、下限目盛１４６Ｌ、および中間目盛１４６Ｃは、それぞれのインク色に対応した個別色、統一された黒色、白抜き文字など、どのような色調であってもよい。
【０２３５】
第１の区分線４８ａの上側の外縁部３０に設けられている識別マーク３２は、四つのタンク２１のそれぞれに収容されているインクの種別を示しており、円形のカラー枠の中にインクの種別を示す記号が設けられている。具体的には、ブラックインクを表す黒系色の円形のカラー枠の枠内に、「Ｋ」の文字が記されたマーク１４２Ｋ、シアンインクを表す青系色の円形のカラー枠の枠内に、「Ｃ」の文字が記されたマーク１４２Ｃ、マゼンタインクを表す赤系色の円形のカラー枠の枠内に、「Ｍ」の文字が記されたマーク１４２Ｍ、イエローインクを表す黄系色の円形のカラー枠の枠内に、「Ｙ」の文字が記されたマーク１４２Ｙが設けられている。なお、マーク１４２Ｋ，１４２Ｃ，１４２Ｍ，１４２Ｙに用いられている文字色は、例えば統一された黒色、白抜き文字など、どのような色調であってもよい。
【０２３６】
縦長ライン１３５Ｋ，１３５Ｃ，１３５Ｍ，１３５Ｙは、マーク１４２Ｋ，１４２Ｃ，１４２Ｍ，１４２Ｙのそれぞれから透光窓部１９Ｋ，１９Ｃ，１９Ｍ，１９Ｙに向かって延伸されている。延伸された縦長ライン１３５Ｋ，１３５Ｃ，１３５Ｍ，１３５Ｙは、上限目盛１４６Ｆ、下限目盛１４６Ｌ、および中間目盛１４６Ｃと連接されている。縦長ライン１３５Ｋ，１３５Ｃ，１３５Ｍ，１３５Ｙは、延伸元となるマーク１４２Ｋ，１４２Ｃ，１４２Ｍ，１４２Ｙの色と同系色に着色されている。具体的には、縦長ライン１３５Ｋは黒系色、縦長ライン１３５Ｃは青系色、縦長ライン１３５Ｍは赤系色、縦長ライン１３５Ｙは黄系色に着色されている。
【０２３７】
このような縦長ライン１３５Ｋ，１３５Ｃ，１３５Ｍ，１３５Ｙを設けることにより、識別マーク３２が透光窓部１９Ｋ，１９Ｃ，１９Ｍ，１９Ｙの上限目盛１４６Ｆ、下限目盛１４６Ｌ、および中間目盛１４６Ｃと連接されているため、インクの種類とインク量（インク残量）との繋がりが明確になり、ユーザーの視認性を向上させることができる。
【０２３８】
５．２４．実施例２４
図３４を参照して、実施例２４に係る透光部、目盛、および識別マークについて説明する。実施例２４は、図３４に示すように、例えば円形のカラー枠の中に「Ｋ」が設けられたマーク１４２Ｋなどを含む識別マーク３２と、透光窓部１９Ｋ，１９Ｃ，１９Ｍ，１９Ｙに設けられたドットによる上限目盛１４６Ｆや下限目盛１４６Ｌなどを含む目盛３１と、円形のカラー枠から延伸し、ドットによる上限目盛１４６Ｆや下限目盛１４６Ｌなどと連接する縦長ライン１３５Ｋ，１３５Ｃ，１３５Ｍ，１３５Ｙと、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２３９】
実施例２４に係る透光部１９を構成する透光窓部１９Ｋ，１９Ｃ，１９Ｍ，１９Ｙは、透光性を有し、上側から下側に沿って縦長の概ね長方形をなしている。透光窓部１９Ｋ，１９Ｃ，１９Ｍ，１９Ｙの上側の端は、半円形状ＲＬ１に丸められている。透光窓部１９Ｋは、対向する長辺ＳＬ１，ＳＬ２を有している。長辺ＳＬ１の下側の端は、内側に曲がる曲線部ＲＬ２を有し、長辺ＳＬ２の下側の端は、外側に曲がる曲線部ＲＬ３を有している。透光窓部１９Ｃ、および透光窓部１９Ｍは、対向する長辺ＳＬ５，ＳＬ６を有している。長辺ＳＬ５，ＳＬ６の下側の端は、それぞれ外側に曲がる曲線部ＲＬ４を有している。透光窓部１９Ｙは、対向する長辺ＳＬ３，ＳＬ４を有している。長辺ＳＬ３の下側の端は、内側に曲がる曲線部ＲＬ２を有し、長辺ＳＬ４の下側の端は、外側に曲がる曲線部ＲＬ３を有している。
【０２４０】
透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２４１】
透光窓部１９Ｋ，１９Ｃ，１９Ｍ，１９Ｙのそれぞれには、目盛３１として、ドットで示す上限目盛１４６Ｆ、同様にドットで示す下限目盛１４６Ｌ、および同様にドットで示す中間目盛１４６Ｃなどが配設されている。なお、目盛３１を構成する上限目盛１４６Ｆ、下限目盛１４６Ｌ、および中間目盛１４６Ｃは、それぞれのインク色に対応した個別色、統一された黒色、白抜き文字など、どのような色調であってもよい。
【０２４２】
第１の区分線４８ａの上側の外縁部３０に設けられている識別マーク３２は、四つのタンク２１のそれぞれに収容されているインクの種別を示しており、円形のカラー枠の中にインクの種別を示す記号が設けられている。具体的には、ブラックインクを表す黒系色の円形のカラー枠の枠内に、「Ｋ」の文字が記されたマーク１４２Ｋ、シアンインクを表す青系色の円形のカラー枠の枠内に、「Ｃ」の文字が記されたマーク１４２Ｃ、マゼンタインクを表す赤系色の円形のカラー枠の枠内に、「Ｍ」の文字が記されたマーク１４２Ｍ、イエローインクを表す黄系色の円形のカラー枠の枠内に、「Ｙ」の文字が記されたマーク１４２Ｙが設けられている。なお、マーク１４２Ｋ，１４２Ｃ，１４２Ｍ，１４２Ｙに用いられている文字色は、例えば統一された黒色、白抜き文字など、どのような色調であってもよい。
【０２４３】
縦長ライン１３５Ｋ，１３５Ｃ，１３５Ｍ，１３５Ｙは、マーク１４２Ｋ，１４２Ｃ，１４２Ｍ，１４２Ｙのそれぞれから透光窓部１９Ｋ，１９Ｃ，１９Ｍ，１９Ｙに向かって延伸されている。延伸された縦長ライン１３５Ｋ，１３５Ｃ，１３５Ｍ，１３５Ｙは、上限目盛１４６Ｆ、下限目盛１４６Ｌ、および中間目盛１４６Ｃと連接されている。縦長ライン１３５Ｋ，１３５Ｃ，１３５Ｍ，１３５Ｙは、延伸元となるマーク１４２Ｋ，１４２Ｃ，１４２Ｍ，１４２Ｙの色と同系色に着色されている。具体的には、縦長ライン１３５Ｋは黒系色、縦長ライン１３５Ｃは青系色、縦長ライン１３５Ｍは赤系色、縦長ライン１３５Ｙは黄系色に着色されている。
【０２４４】
５．２５．実施例２５
図３５を参照して、実施例２５に係る透光部、目盛、および識別マークについて説明する。実施例２５は、図３５に示すように、外縁部３０に設けられた識別マーク３２と、透光窓部１９Ｋ，１９Ｃ，１９Ｍ，１９Ｙに設けられたインク残量の目安となる水滴マーク風のアイコン４９Ｆと横線４９ＦＬで構成された上限目盛３２０Ｆをなど含む目盛３１とを有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２４５】
実施例２５に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２４６】
透光窓部１９Ｋ，１９Ｃ，１９Ｍ，１９Ｙのそれぞれには、目盛３１として、水滴マーク風のアイコン４９Ｆと、アイコン４９Ｆの両側に配置された横線４９ＦＬとで構成される上限目盛３２０Ｆ、水滴マーク風のアイコン４９Ｌと、アイコン４９Ｌの両側に配置された横線４９ＬＬとで構成される下限目盛３２０Ｌ、および水滴マーク風のアイコン４９Ｃと、アイコン４９Ｃの両側に配置された横線４９ＣＬとで構成される中間目盛３２０Ｃが配設されている。水滴マーク風のアイコン４９Ｆは、タンク２１内のインクがフル注入されている状態を表すように全着色で構成される。アイコン４９Ｌは、タンク２１内のインクが略空の状態を表すように無着色で構成される。アイコン４９Ｃは、タンク２１内のインクが略半分の状態を表すように半着色で構成される。なお、目盛３１を構成する上限目盛３２０Ｆ、下限目盛３２０Ｌ、および中間目盛３２０Ｃは、それぞれのインク色に対応した個別色、統一された黒色、白抜き文字など、どのような色調であってもよい。
【０２４７】
第１の区分線４８ａの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応したマーク６３Ｋ，６３Ｃ，６３Ｍ，６３Ｙを含んでいる。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０２４８】
５．２６．実施例２６
図３６を参照して、実施例２６に係る透光部、目盛、および識別マークについて説明する。実施例２６は、図３６に示すように、外縁部３０に設けられた識別マーク３２と、透光窓部１９Ｋ，１９Ｃ，１９Ｍ，１９Ｙに設けられたインク残量の目安となる四角のアイコンで構成された上限目盛１８４Ｆを含む目盛３１とを有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２４９】
実施例２６に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。透光窓部１９Ｋ，１９Ｃ，１９Ｍ，１９Ｙは、それぞれの上側の外縁を括る第１の区分線４８ａと、それぞれの下側の外縁を括る第２の区分線４８ｂと、例えば透光窓部１９Ｋおよび透光窓部１９Ｃのように隣り合う透光窓部間で第１の区分線４８ａと第２の区分線４８ｂとを繋ぐ第３の区分線４８ｃと、によって区切られている。
【０２５０】
透光窓部１９Ｋ，１９Ｃ，１９Ｍ，１９Ｙのそれぞれには、目盛３１として、着色された四角のアイコンで構成された上限目盛１８４Ｆ、中間目盛１８４Ｇ、および中間目盛１８４Ｈと、横並びのドットで構成された下限目盛１８４Ｌとが設けられている。なお、ここで用いられている四角のアイコンは、上限目盛１８４Ｆ、中間目盛１８４Ｇ、中間目盛１８４Ｈの順に、少しずつ小さくなるように表現されている。なお、目盛３１を構成する上限目盛１８４Ｆ、下限目盛１８４Ｌ、および中間目盛１８４Ｇ，１８４Ｈは、それぞれのインク色に対応した個別色、統一された黒色、白抜き文字など、どのような色調であってもよい。
【０２５１】
第１の区分線４８ａの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応したマーク６３Ｋ，６３Ｃ，６３Ｍ，６３Ｙを含んでいる。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０２５２】
５．２７．実施例２７
図３７を参照して、実施例２７に係る透光部、目盛、および識別マークについて説明する。実施例２７に係る目盛は、所謂インジケーターランプ風の配置デザインであり、インク残量を多数のトラック形状によって視認可能である。
【０２５３】
図３７に示すように、実施例２７に係る透光窓部１９Ｋ，１９Ｃ，１９Ｍ，１９Ｙは、透光性を有する横長丸形状（トラック形状）の複数のスリット窓８９ａ，８９ｂ，…，８９ｍが、上側から下側に亘って帯状に配列されて構成されている。スリット窓８９ａ，８９ｂ，…，８９ｍの外縁より外側には、着色塗料の塗布や着色フィルムの貼付、もしくはシボ（皺）加工などにより、スリット窓８９ａ，８９ｂ，…，８９ｍと区分された外縁部３０が設けられている。そして、透光窓部１９Ｋと透光窓部１９Ｃとの間、透光窓部１９Ｃと透光窓部１９Ｍとの間、および透光窓部１９Ｍと透光窓部１９Ｙとの間の外縁部３０には、黒点で示す目盛マーク１４６ＦＤ，１４６ＣＤ，１４６ＬＤが設けられている。目盛マーク１４６ＦＤ，１４６ＣＤ，１４６ＬＤは、例えばインク量の上限を示すマークとして用いることができる。
【０２５４】
透光窓部１９Ｋ，１９Ｃ，１９Ｍ，１９Ｙの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応したマーク６３Ｋ，６３Ｃ，６３Ｍ，６３Ｙを含んでいる。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０２５５】
５．２８．実施例２８
図３８Ａおよび図３８Ｂを参照して、実施例２８に係る透光部、目盛、および識別マークについて説明する。実施例２８に係る目盛は、マトリックス状に小窓を配列した配置デザインであり、インク残量を多数の小窓によって視認可能である。
【０２５６】
図３８Ａに示すように、実施例２８に係る透光窓部１９Ｋ，１９Ｃ，１９Ｍ，１９Ｙは、小丸形状もしくは小四辺形状の複数のスリット窓１８９ａ，１８９ｂ，…，１８９ｍが、横４列のマトリックス状に配列されている。この内の一列（本例では、最右翼の一列）は不透光窓であり、他の３列は透光性を有している。スリット窓１８９ａ，１８９ｂ，…，１８９ｍの外縁より外側には、着色塗料の塗布や着色フィルムの貼付、もしくはシボ（皺）加工などにより、スリット窓１８９ａ，１８９ｂ，…，１８９ｍと区分された外縁部３０が設けられている。そして、最右翼の一列の所定の位置には、目盛３１として、インク色に対応した色を着色した目盛マーク２８４Ｇ，２８４Ｈ，２８４Ｌが設けられている。目盛マーク２８４Ｇ，２８４Ｈ，２８４Ｌは、下側に位置する程淡い色で表示される。目盛マーク２８４Ｇ，２８４Ｈ，２８４Ｌは、インクの残量を示すマークとして用いることができる。
【０２５７】
透光窓部１９Ｋ，１９Ｃ，１９Ｍ，１９Ｙの上側の外縁部３０に配置された識別マーク３２は、四つのタンク２１のそれぞれに収容されているインクの種別を示しており、例えばブラックインクを表す「角丸の白抜き□中にＫ」のマーク３２Ｋ、シアンインクを表す「角丸の白抜き□中にＣ」のマーク３２Ｃ、マゼンタインクを表す「角丸の白抜き□中にＭ」のマーク３２Ｍ、およびイエローインクを表す「角丸の白抜き□中にＹ」のマーク３２Ｙを含んでいる。なお、マーク３２Ｋ，３２Ｃ，３２Ｍ，３２Ｙは、例えばそれぞれのインク色に対応した個別色、統一された黒色、白抜き文字など、どのような色調であってもよい。
【０２５８】
ここで図３８Ｂを参照して、実施例２８にかかる透光部、目盛および識別マークを用いた場合の、インク残量の視認例を例示する。図３８Ｂに示すように、目盛マーク２８４Ｇ，２８４Ｈ，２８４Ｌが設けられていないマトリックス状のスリット窓１８９ａ，１８９ｂ，…，１８９ｍで構成される透光窓部１９Ｋ，１９Ｃ，１９Ｍ，１９Ｙにタンク２１（図４参照）に収容されているインクを透視することができる。透光窓部１９Ｋにはブラックインクの残量ＫＬ、透光窓部１９Ｃにはシアンインクの残量ＣＬ、透光窓部１９Ｍにはマゼンタインクの残量ＭＬ、透光窓部１９Ｙにはイエローインクの残量ＹＬを、それぞれ視認することができる。
【０２５９】
５．２９．実施例２９
図３９を参照して、実施例２９に係る透光部、目盛、および識別マークについて説明する。実施例２９は、図３９に示すように、例えば白抜きの○中に「Ｋ」が設けられたマーク３３Ｋなどを含む識別マーク３２と、透光窓部１９Ｋ，１９Ｃ，１９Ｍ，１９Ｙに設けられた上限目盛４１６Ｆ、中間目盛４１６Ｃ、下限目盛４１６Ｌ、透光窓部１９Ｋに対して透光窓部１９Ｃと反対側の外縁部３０に設けられた丸型アイコン４６Ｆ，４６Ｌ，４６Ｃなどを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２６０】
実施例２９に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。また、透光窓部１９Ｋは、他の透光窓部１９Ｃ，１９Ｍ，１９Ｙよりも横幅が広く構成されている。
【０２６１】
透光窓部１９Ｋ，１９Ｃ，１９Ｍ，１９Ｙのそれぞれには、目盛３１として、透光窓部１９Ｋ，１９Ｃ，１９Ｍ，１９Ｙを横長に横断する実線の上限目盛４１６Ｆ、横長に横断する点線の下限目盛４１６Ｌ、横長に横断する実線の中間目盛４１６Ｃ、および上限目盛４１６Ｆ、下限目盛４１６Ｌ、中間目盛４１６Ｃのそれぞれの間に有って横長の細分目盛４１６Ｂが配設されている。なお、目盛３１を構成する上限目盛４１６Ｆ、下限目盛４１６Ｌ、中間目盛４１６Ｃや細分目盛４１６Ｂは、それぞれのインク色に対応した個別色、統一された黒色、白抜き文字など、どのような色調であってもよい。
【０２６２】
透光窓部１９Ｋに対して透光窓部１９Ｃと反対側に位置する外縁部３０には、丸型アイコン４６Ｆ，４６Ｌ，４６Ｃが設けられている。丸型アイコン４６Ｆは、上限目盛４１６Ｆの横に並ぶ位置に配置され、タンク２１内のインクがフル注入されている状態を表す着色の丸マークで構成される。丸型アイコン４６Ｌは、下限目盛４１６Ｌの横に並ぶ位置に配置され、タンク２１内のインクが略空の状態を表す無着色の丸マークで構成される。丸型アイコン４６Ｃは、中間目盛４１６Ｃの横に並ぶ位置に配置され、タンク２１内のインクが略半分の状態を表す半着色の丸マークで構成される。
【０２６３】
なお、目盛３１を構成する上限目盛４１６Ｆ、中間目盛４１６Ｃ、下限目盛４１６Ｌ、細分目盛４１６Ｂ、および丸型アイコン４６Ｆ，４６Ｌ，４６Ｃは、それぞれのインク色に対応した個別色、統一された黒色、白抜き文字など、どのような色調であってもよい。
【０２６４】
透光窓部１９Ｋ，１９Ｃ，１９Ｍ，１９Ｙの上側に設けられている識別マーク３２は、四つのタンク２１のそれぞれに収容されているインクの種別を示しており、例えばブラックインクを表す「白抜きの○中にＫ」のマーク３３Ｋ、シアンインクを表す「白抜きの○中にＣ」のマーク３３Ｃ、マゼンタインクを表す「白抜きの○中にＭ」のマーク３３Ｍ、およびイエローインクを表す「白抜きの○中にＹ」のマーク３３Ｙを含んでいる。なお、マーク３３Ｋ，３３Ｃ，３３Ｍ，３３Ｙは、例えばそれぞれのインク色に対応した個別色、統一された黒色、白抜き文字など、どのような色調であってもよい。
【０２６５】
５．３０．実施例３０
図４０を参照して、実施例３０に係る透光部、目盛、および識別マークについて説明する。実施例３０は、図４０に示すように、横長の帯状の枠内を４分割した各領域内にインクの種別を示す、例えば「Ｋ」の文字が配置されたマーク１４３Ｋを含む識別マーク３２と、透光窓部１９Ｋ，１９Ｃ，１９Ｍ，１９Ｙに設けられた鉤括弧状の上限目盛３１４Ｆ、下限目盛３１４Ｌ、および細分目盛３１４Ｂを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。そして、透光窓部１９Ｋ，１９Ｃ，１９Ｍ，１９Ｙの外側には、外縁部３０が設けられている。
【０２６６】
実施例３０に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。また、透光窓部１９Ｋは、他の透光窓部１９Ｃ，１９Ｍ，１９Ｙよりも横幅が広く構成されている。
【０２６７】
透光窓部１９Ｋ，１９Ｃ，１９Ｍ，１９Ｙのそれぞれには、鉤括弧の一方を下側に向けて配置した形状の上限目盛３１４Ｆ、鉤括弧の一方を上側に向けて配置した形状の下限目盛３１４Ｌ、上限目盛３１４Ｆと下限目盛３１４Ｌとの間に配置され、横長の実線で示す細分目盛３１４Ｂなどが、目盛３１として配設されている。なお、目盛３１を構成する上限目盛３１４Ｆ、下限目盛３１４Ｌ、および細分目盛３１４Ｂは、それぞれのインク色に対応した個別色、統一された黒色、白抜き文字など、どのような色調であってもよい。
【０２６８】
透光窓部１９Ｋ，１９Ｃ，１９Ｍ，１９Ｙの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応したカラーマーク１４３Ｋ，１４３Ｃ，１４３Ｍ，１４３Ｙを含んでいる。識別マーク３２は、横長の帯状（本例では横長の長方形）の枠内を４分割した四つの領域を有し、各領域はインクの種別に対応した色に着色され、その中にインクの種類を示す記号（アルファベット）が記載されている。具体的には、透光窓部１９Ｋに対応し、黒系色の背景にブラックインクを表す「Ｋ」のマークが示されたカラーマーク１４３Ｋ、透光窓部１９Ｃに対応し、青系色の背景にシアンインクを表す「Ｃ」のマークが示されたカラーマーク１４３Ｃ、透光窓部１９Ｍに対応し、赤系色の背景にマゼンタインクを表す「Ｍ」のマークが示されたカラーマーク１４３Ｍ、および透光窓部１９Ｙに対応し、黄系色の背景にイエローインクを表す「Ｙ」のマークが示されたカラーマーク１４３Ｙが配置されている。
【０２６９】
５．３１．実施例３１
図４１を参照して、実施例３１に係る透光部、目盛、および識別マークについて説明する。実施例３１は、図４１に示すように、横長実線１５１上に各透光窓部１９Ｋ，１９Ｃ，１９Ｍ，１９Ｙに対応した区切り線５１Ｋ，５１Ｃ，５１Ｍ，５１Ｙが設けられ、区切り線５１Ｋ，５１Ｃ，５１Ｍ，５１Ｙの上側に、マーク６３Ｋ，６３Ｃ，６３Ｍ，６３Ｙが設けられた識別マーク３２を有している。また、透光窓部１９Ｋ，１９Ｃ，１９Ｍ，１９Ｙに設けられた横長実線で示す上限目盛８４Ｆ、三点で示す下限目盛８４Ｌ、および二点で示す中間目盛８４Ｃを含む目盛３１を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９Ｋ，１９Ｃ，１９Ｍ，１９Ｙの外側に設けられている。
【０２７０】
実施例３１に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。また、透光窓部１９Ｋは、他の透光窓部１９Ｃ，１９Ｍ，１９Ｙよりも横幅が広く構成されている。
【０２７１】
透光窓部１９Ｋ，１９Ｃ，１９Ｍ，１９Ｙのそれぞれには、目盛３１として、例えば横長の実線で示された上限目盛８４Ｆや横長の三点で示された下限目盛８４Ｌ、横長の二点で示された中間目盛８４Ｃなどが配設されている。なお、上限目盛８４Ｆには、下側に向けたポイントＱ１が設けられ、下限目盛８４Ｌには、上側に向けたポイントＱ２が設けられている。なお、目盛３１を構成する上限目盛８４Ｆ、下限目盛８４Ｌ、および中間目盛８４Ｃは、それぞれのインク色に対応した個別色、統一された黒色、白抜き文字など、どのような色調であってもよい。
【０２７２】
透光窓部１９Ｋ，１９Ｃ，１９Ｍ，１９Ｙの上側の外縁部３０に設けられている識別マーク３２は、透光窓部１９Ｋ，１９Ｃ，１９Ｍ，１９Ｙの上側に配置された横長実線１５１と、横長実線１５１の上側に設けられたマーク６３Ｋ，６３Ｃ，６３Ｍ，６３Ｙとを有している。横長実線１５１上には、各透光窓部１９Ｋ，１９Ｃ，１９Ｍ，１９Ｙに対応した区切り線５１Ｋ，５１Ｃ，５１Ｍ，５１Ｙが設けられている。そして、各区切り線５１Ｋ，５１Ｃ，５１Ｍ，５１Ｙの上側に、マーク６３Ｋ，６３Ｃ，６３Ｍ，６３Ｙが設けられている。マーク６３Ｋ，６３Ｃ，６３Ｍ，６３Ｙは、四つのタンク２１のそれぞれに収容されているインクの種別を示している。具体的には、ブラックインクを表す「Ｋ」のマーク６３Ｋ、シアンインクを表す「Ｃ」のマーク６３Ｃ、マゼンタインクを表す「Ｍ」のマーク６３Ｍ、およびイエローインクを表す「Ｙ」のマーク６３Ｙが配置されている。なお、マーク６３Ｋ，６３Ｃ，６３Ｍ，６３Ｙは、それぞれのインク色に対応した個別色、統一された黒色、白抜き文字など、どのような色調であってもよい。
【０２７３】
５．３２．実施例３２
図４２を参照して、実施例３２に係る透光部、目盛、および識別マークについて説明する。実施例３２は、図４２に示すように、外縁部３０の上部に配置され、比較的大きな白抜き□中に「Ｋ」が設けられたマーク３２Ｋなどを含む識別マーク３２と、透光窓部１９Ｋ，１９Ｃ，１９Ｍ，１９Ｙに設けられた横長実線で示す上限目盛８４Ｆ、三点で示す下限目盛８４Ｌ、および二点で示す中間目盛８４Ｃを含む目盛３１と、を有している。なお、本実施例では、透光窓部１９Ｋがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９Ｋ，１９Ｃ，１９Ｍ，１９Ｙの外側に設けられている。
【０２７４】
実施例３２に係る透光部１９を構成する透光窓部１９Ｋ，１９Ｃ，１９Ｍ，１９Ｙは、透光性を有し、上側から下側に沿って縦長の概ね長方形をなしている。なお、概ね長方形の透光窓部１９Ｋ，１９Ｃ，１９Ｍ，１９Ｙの四隅は円弧状に丸められている。また、透光窓部１９Ｋは、他の透光窓部１９Ｃ，１９Ｍ，１９Ｙよりも横幅が広く構成されている。
【０２７５】
透光窓部１９Ｋ，１９Ｃ，１９Ｍ，１９Ｙのそれぞれには、目盛３１として、例えば横長の実線で示された上限目盛８４Ｆ、横長の三点で示された下限目盛８４Ｌ、横長の二点で示された中間目盛８４Ｃなどが配設されている。なお、上限目盛８４Ｆ、下限目盛８４Ｌ、および中間目盛８４Ｃには、それぞれ透光窓部１９Ｋ，１９Ｃ，１９Ｍ，１９Ｙの幅方向に向かう横長の実線８３Ｆ，８３Ｌ，８３Ｃが設けられている。なお、目盛３１を構成する上限目盛８４Ｆ、下限目盛８４Ｌ、および中間目盛８４Ｃや実線８３Ｆ，８３Ｌ，８３Ｃは、それぞれのインク色に対応した個別色、統一された黒色、白抜き文字など、どのような色調であってもよい。
【０２７６】
透光窓部１９Ｋ，１９Ｃ，１９Ｍ，１９Ｙの上側の外縁部３０に設けられている識別マーク３２は、四つのタンク２１のそれぞれに収容されているインクの種別を示しており、例えばブラックインクを表す「白抜き□中にＫ」のマーク３２Ｋ、シアンインクを表す「白抜き□中にＣ」のマーク３２Ｃ、マゼンタインクを表す「白抜き□中にＭ」のマーク３２Ｍ、およびイエローインクを表す「白抜き□中にＹ」のマーク３２Ｙを含んでいる。なお、マーク３２Ｋ，３２Ｃ，３２Ｍ，３２Ｙは、例えばそれぞれのインク色に対応した個別色、統一された黒色、白抜き文字など、どのような色調であってもよい。
【０２７７】
５．３３．実施例３３
図４３を参照して、実施例３３に係る透光部、目盛、および識別マークについて説明する。実施例３３は、図４３に示すように、外縁部３０に配置され、白抜き丸枠中に「ＢＫ」が設けられたマーク３３ＢＫ、および白抜き□中に「Ｃ」が設けられたマーク３２Ｃなどを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０２７８】
実施例３３に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０２７９】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、上部目盛３１Ｆと下限目盛３１Ｌとの間にドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０２８０】
透光窓部１９ＢＫ，１９Ｃ，１９Ｍ，１９Ｙの上側の外縁部３０に設けられている識別マーク３２は、四つのタンク２１のそれぞれに収容されているインクの種別を示しており、例えばブラックインクを表す「白抜きの丸枠の中にＢＫ」のマーク３３ＢＫ、シアンインクを表す「白抜き□中にＣ」のマーク３２Ｃ、マゼンタインクを表す「白抜き□中にＭ」のマーク３２Ｍ、およびイエローインクを表す「白抜き□中にＹ」のマーク３２Ｙを含んでいる。なお、マーク３３ＢＫ，３２Ｃ，３２Ｍ，３２Ｙは、例えばそれぞれのインク色に対応した個別色、統一された黒色、白抜き文字など、どのような色調であってもよい。
【０２８１】
５．３４．実施例３４
図４４を参照して、実施例３４に係る透光部、目盛、および識別マークについて説明する。実施例３４は、図４４に示すように、図４３を参照して説明した実施例３３の識別マーク３２を構成する、例えばマーク３３ＢＫなどの枠線をより太くした、マーク１３３ＢＫを有するデザインである。したがって、透光窓部１９ＢＫ，１９Ｃ，１９Ｍ，１９Ｙや目盛３１は、実施例３３と同様であるので、ここでの説明は省略する。
【０２８２】
透光窓部１９ＢＫ，１９Ｃ，１９Ｍ，１９Ｙの上側の外縁部３０に設けられている識別マーク３２は、四つのタンク２１のそれぞれに収容されているインクの種別を示しており、例えばブラックインクを表す「太い実線で囲まれた白抜きの丸枠の中にＢＫ」のマーク１３３ＢＫ、シアンインクを表す「太い実線で囲まれた白抜き□中にＣ」のマーク１３２Ｃ、マゼンタインクを表す「太い実線で囲まれた白抜き□中にＭ」のマーク１３２Ｍ、およびイエローインクを表す「太い実線で囲まれた白抜き□中にＹ」のマーク１３２Ｙを含んでいる。なお、マーク１３３ＢＫ，１３２Ｃ，１３２Ｍ，１３２Ｙは、例えばそれぞれのインク色に対応した個別色、統一された黒色、白抜き文字など、どのような色調であってもよい。
【０２８３】
５．３５．実施例３５
図４５を参照して、実施例３５に係る透光部、目盛、および識別マークについて説明する。実施例３５は、図４５に示すように、図４３を参照して説明した実施例３３の識別マーク３２を構成する、例えばマーク３３ＢＫなどの枠線をインクの種類に対応した色で着色したマーク２３３ＢＫを有するデザインである。したがって、透光窓部１９ＢＫ，１９Ｃ，１９Ｍ，１９Ｙや目盛３１において、実施例３３と同様の構成は、ここでの説明は省略する。
【０２８４】
透光窓部１９ＢＫ，１９Ｃ，１９Ｍ，１９Ｙの上側の外縁部３０に設けられている識別マーク３２は、四つのタンク２１のそれぞれに収容されているインクの種別を示しており、例えばブラックインクを表す「黒系色の実線で囲まれた白抜きの丸枠の中にＢＫ」のマーク２３３ＢＫ、シアンインクを表す「青系色の実線で囲まれた白抜き□中にＣ」のマーク２３２Ｃ、マゼンタインクを表す「赤系色の実線で囲まれた白抜き□中にＭ」のマーク２３２Ｍ、およびイエローインクを表す「黄系色の実線で囲まれた白抜き□中にＹ」のマーク２３２Ｙを含んでいる。なお、マーク２３３ＢＫ，２３２Ｃ，２３２Ｍ，２３２Ｙの記号（アルファベット）は、例えばそれぞれのインク色に対応した個別色、統一された黒色、白抜き文字など、どのような色調であってもよい。
【０２８５】
透光窓部１９ＢＫ，１９Ｃ，１９Ｍ，１９Ｙのそれぞれに設けられた目盛３１は、中間目盛３１２Ｃが、実施例３３の中間目盛３１Ｃと異なる。中間目盛３１２Ｃは、上部目盛３１Ｆと下限目盛３１Ｌとの間に位置し、上部目盛３１Ｆよりも僅かに短い横長の二点ドットで構成されている。
【０２８６】
５．３６．実施例３６
図４６を参照して、実施例３６に係る透光部、目盛、および識別マークについて説明する。実施例３６は、図４６に示すように、外縁部３０に設けられ、丸枠の中がインクの種類に対応した色で着色されたマーク３３３ＢＫ，３３３Ｃ，３３３Ｍ，３３３Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０２８７】
実施例３６に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０２８８】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、を含んでいる。なお、目盛３１を構成する上限目盛３１Ｕ、上部目盛３１Ｆ、下限目盛３１Ｌ、および中間目盛３１Ｃは、それぞれのインク色に対応した個別色、統一された黒色、白抜き文字など、どのような色調であってもよい。
【０２８９】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す丸枠の中が黒系色で着色されたマーク３３３ＢＫ、シアンインクを表す丸枠の中が青系色で着色されたマーク３３３Ｃ、マゼンタインクを表す丸枠の中が赤系色で着色されたマーク３３３Ｍ、およびイエローインクを表す丸枠の中が黄系色で着色されたマーク３３３Ｙを含んでいる。なお、マーク３３３ＢＫ，３３３Ｃ，３３３Ｍ，３３３Ｙは、横並びに配列されている。
【０２９０】
５．３７．実施例３７
図４７を参照して、実施例３７に係る透光部、目盛、および識別マークについて説明する。実施例３７は、図４７に示すように、外縁部３０に設けられ、丸枠がインクの種類に対応した色で着色されたマーク３３４ＢＫ，３３４Ｃ，３３４Ｍ，３３４Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０２９１】
実施例３７に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０２９２】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとのそれぞれの間にドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０２９３】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す丸枠が黒系色で着色されたマーク３３４ＢＫ、シアンインクを表す丸枠が青系色で着色されたマーク３３４Ｃ、マゼンタインクを表す丸枠が赤系色で着色されたマーク３３４Ｍ、およびイエローインクを表す丸枠が黄系色で着色されたマーク３３４Ｙを含んでいる。なお、マーク３３４ＢＫ，３３４Ｃ，３３４Ｍ，３３４Ｙは、横並びに配列されている。
【０２９４】
５．３８．実施例３８
図４８を参照して、実施例３８に係る透光部、目盛、および識別マークについて説明する。実施例３８は、図４８に示すように、外縁部３０に設けられ、前述の実施例３７よりもやや小さく且つ太い丸枠がインクの種類に対応した色で着色されたマーク３３５ＢＫ，３３５Ｃ，３３５Ｍ，３３５Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０２９５】
実施例３８に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０２９６】
透光窓部１９ＢＫ，１９Ｃ，１９Ｍ，１９Ｙのそれぞれに設けられた目盛３１は、例えば横長の実線で示された上限目盛３１Ｕ、上限目盛３１Ｕよりもやや長い横長の実線で示された上部目盛３１Ｆおよび下限目盛３１Ｌと、上部目盛３１Ｆと下限目盛３１Ｌとの間に位置し、上限目盛３１Ｕとほぼ同じ長さの横長の実線で示された中間目盛３１Ｃと、中間目盛３１Ｃと上部目盛３１Ｆおよび下限目盛３１Ｌとのそれぞれの間にドット状の実線で示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０２９７】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、前述の実施例３７よりもやや小さく且つ太い丸枠がインクの種類に対応した色で着色されている。識別マーク３２は、例えばブラックインクを表す丸枠が黒系色で着色されたマーク３３５ＢＫ、シアンインクを表す丸枠が青系色で着色されたマーク３３５Ｃ、マゼンタインクを表す丸枠が赤系色で着色されたマーク３３５Ｍ、およびイエローインクを表す丸枠が黄系色で着色されたマーク３３５Ｙを含んでいる。なお、マーク３３５ＢＫ，３３５Ｃ，３３５Ｍ，３３５Ｙは、横並びに配列されている。
【０２９８】
５．３９．実施例３９
図４９を参照して、実施例３９に係る透光部、目盛、および識別マークについて説明する。実施例３９は、図４９に示すように、外縁部３０に設けられ、インクの種類に対応した色で着色されたトラック状の横線マーク３３６ＢＫ，３３６Ｃ，３３６Ｍ，３３６Ｙを含む識別マーク３２と、透光窓部１９ＢＫ，１９Ｃ，１９Ｍ，１９Ｙに設けられた横長二重線で示す上限目盛３１９Ｕ、上部目盛３１９Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０２９９】
実施例３９に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３００】
透光窓部１９ＢＫ，１９Ｃ，１９Ｍ，１９Ｙのそれぞれに設けられた目盛３１は、例えば横長の二重線で示された上限目盛３１９Ｕ、上部目盛３１９Ｆ、および下限目盛３１９Ｌと、上部目盛３１９Ｆと下限目盛３１９Ｌとの間に位置し、上部目盛３１９Ｆよりも僅かに短い二重線で示された中間目盛３１９Ｃと、中間目盛３１９Ｃと上部目盛３１９Ｆおよび下限目盛３１９Ｌとのそれぞれの間にドット状の実線で示された細分目盛３１９Ｂと、を含んでいる。なお、目盛３１を構成する上限目盛３１９Ｕ、上部目盛３１９Ｆ、下限目盛３１９Ｌ、中間目盛３１９Ｃ、および細分目盛３１９Ｂは、それぞれのインク色に対応した個別色、統一された黒色、白抜き文字など、どのような色調であってもよい。
【０３０１】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、インクの種類に対応した色で着色された横長のトラック状をなした横線マーク３３６ＢＫ，３３６Ｃ，３３６Ｍ，３３６Ｙを含んでいる。具体的に識別マーク３２は、例えばブラックインクを表すように黒系色で着色された横線マーク３３６ＢＫ、シアンインクを表すように青系色で着色された横線マーク３３６Ｃ、マゼンタインクを表すように赤系色で着色された横線マーク３３６Ｍ、およびイエローインクを表すように黄系色で着色された横線マーク３３６Ｙを含んでいる。なお、横線マーク３３６ＢＫ，３３６Ｃ，３３６Ｍ，３３６Ｙは、横並びに配列されている。
【０３０２】
５．４０．実施例４０
図５０を参照して、実施例４０に係る透光部、目盛、および識別マークについて説明する。実施例４０は、図５０に示すように、外縁部３０に設けられ、インクの種類に対応した色で着色された縦長ラインの縦線マーク３３７ＢＫ，３３７Ｃ，３３７Ｍ，３３７Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３０３】
実施例４０に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３０４】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとのそれぞれの間にドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３０５】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、外縁部３０の上端から透光窓部１９ＢＫ，１９Ｃ，１９Ｍ，１９Ｙの上側の端に亘って設けられている、インクの種類に対応した色で着色された縦長ライン状の縦線マーク３３７ＢＫ，３３７Ｃ，３３７Ｍ，３３７Ｙを含んでいる。具体的に識別マーク３２は、例えばブラックインクを表すように黒系色で着色された縦線マーク３３７ＢＫ、シアンインクを表すように青系色で着色された縦線マーク３３７Ｃ、マゼンタインクを表すように赤系色で着色された縦線マーク３３７Ｍ、およびイエローインクを表すように黄系色で着色された縦線マーク３３７Ｙを含んでいる。なお、縦線マーク３３７ＢＫ，３３７Ｃ，３３７Ｍ，３３７Ｙは、横並びに配列されている。
【０３０６】
５．４１．実施例４１
図５１を参照して、実施例４１に係る透光部、目盛、および識別マークについて説明する。実施例４１は、図５１に示すように、外縁部３０に設けられ、インクの種類に対応した色で着色された縦長ラインの縦線マーク３３７ＢＫ，３３７Ｃ，３３７Ｍ，３３７Ｙを含む識別マーク３２と、透光窓部１９ＢＫ，１９Ｃ，１９Ｍ，１９Ｙに設けられた横長実線の上限目盛４３２Ｕ、上部目盛４３２Ｆ、下限目盛４３２Ｌなどが枠線４３２によって囲まれた構成の目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３０７】
実施例４１に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３０８】
透光窓部１９ＢＫ，１９Ｃ，１９Ｍ，１９Ｙのそれぞれの中央部には、縦長の長方形の枠線４３２が設けられている。そして、枠線４３２の内には、目盛３１が設けられている。目盛３１は、枠線４３２の上側の辺に重なるように横長の実線で示された上限目盛４３２Ｕと、枠線４３２の下側の辺に重なるように横長の実線で示された下限目盛４３２Ｌと、上限目盛４３２Ｕの下側にあって横長の実線で示された上部目盛４３２Ｆと、上部目盛４３２Ｆと下限目盛４３２Ｌとの間にあって上部目盛４３２Ｆよりも僅かに短い横長の実線で示された中間目盛４３２Ｃと、中間目盛４３２Ｃと上部目盛４３２Ｆおよび下限目盛４３２Ｌとのそれぞれの間にドットで示された細分目盛４３２Ｂと、を含んでいる。なお、目盛３１を構成する枠線４３２、上限目盛４３２Ｕ、上部目盛４３２Ｆ、下限目盛４３２Ｌ、中間目盛４３２Ｃ、および細分目盛４３２Ｂは、それぞれのインク色に対応した個別色、統一された黒色、白抜き文字など、どのような色調であってもよい。
【０３０９】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、透光窓部１９ＢＫ，１９Ｃ，１９Ｍ，１９Ｙのそれぞれの上側に位置し、インクの種類に対応した色で着色された縦長ライン状の縦線マーク３３７ＢＫ，３３７Ｃ，３３７Ｍ，３３７Ｙを含んでいる。具体的に識別マーク３２は、例えばブラックインクを表すように黒系色で着色された縦線マーク３３７ＢＫ、シアンインクを表すように青系色で着色された縦線マーク３３７Ｃ、マゼンタインクを表すように赤系色で着色された縦線マーク３３７Ｍ、およびイエローインクを表すように黄系色で着色された縦線マーク３３７Ｙを含んでいる。なお、縦線マーク３３７ＢＫ，３３７Ｃ，３３７Ｍ，３３７Ｙは、横並びに配列されている。
【０３１０】
５．４２．実施例４２
図５２を参照して、実施例４２に係る透光部、目盛、および識別マークについて説明する。実施例４２は、図５２に示すように、外縁部３０に設けられ、略正方形の枠線がインクの種類に対応した色で着色されたマーク３３８ＢＫ，３３８Ｃ，３３８Ｍ，３３８Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、および縦長線３１Ｊなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３１１】
実施例４２に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３１２】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとのそれぞれの間に設けられた中央部が幅広の縦長線３１Ｊと、を含んでいる。なお、目盛３１を構成する上限目盛３１Ｕ、上部目盛３１Ｆ、下限目盛３１Ｌ、中間目盛３１Ｃ、および縦長線３１Ｊは、それぞれのインク色に対応した個別色、統一された黒色、白抜き文字など、どのような色調であってもよい。
【０３１３】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す略正方形の枠線が黒系色で着色されたマーク３３８ＢＫ、シアンインクを表す略正方形の枠線が青系色着色されたマーク３３８Ｃ、マゼンタインクを表す略正方形の枠線が赤系色で着色されたマーク３３８Ｍ、およびイエローインクを表す略正方形の枠線が黄系色で着色されたマーク３３８Ｙを含んでいる。なお、マーク３３８ＢＫ，３３８Ｃ，３３８Ｍ，３３８Ｙは、横並びに配列されている。
【０３１４】
５．４３．実施例４３
図５３を参照して、実施例４３に係る透光部、目盛、および識別マークについて説明する。実施例４３は、図５３に示すように、外縁部３０に配置され、角丸の略正方形の枠線がインクの種類に対応した色で着色されたマーク３３９ＢＫ，３３９Ｃ，３３９Ｍ，３３９Ｙを含む識別マーク３２と、透光窓部１９ＢＫ，１９Ｃ，１９Ｍ，１９Ｙに設けられた長めの横長実線で示す上限目盛３１Ｕ、上部目盛３１Ｆ、および細分目盛３１Ｂなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３１５】
実施例４３に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３１６】
透光窓部１９ＢＫ，１９Ｃ，１９Ｍ，１９Ｙのそれぞれに設けられた目盛３１は、例えば長めの横長の実線で示された上限目盛３１Ｕ、上部目盛３１Ｆ、下限目盛３１Ｌと、上部目盛３１Ｆと下限目盛３１Ｌとの間に位置し、上部目盛３１Ｆの半分程度の長さの横長の実線で示された中間目盛３１Ｃと、中間目盛３１Ｃと上部目盛３１Ｆおよび下限目盛３１Ｌとのそれぞれの間に複数のドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３１７】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す角丸の略正方形の枠線が黒系色で着色されたマーク３３９ＢＫ、シアンインクを表す角丸の略正方形の枠線が青系色着色されたマーク３３９Ｃ、マゼンタインクを表す角丸の略正方形の枠線が赤系色で着色されたマーク３３９Ｍ、およびイエローインクを表す角丸の略正方形の枠線が黄系色で着色されたマーク３３９Ｙを含んでいる。なお、マーク３３９ＢＫ，３３９Ｃ，３３９Ｍ，３３９Ｙは、横並びに配列されている。
【０３１８】
５．４４．実施例４４
図５４を参照して、実施例４４に係る透光部、目盛、および識別マークについて説明する。実施例４４は、図５４に示すように、外縁部３０に設けられ、角丸の略正方形の枠線の中がインクの種類に対応した色で着色されたマーク３４０ＢＫ，３４０Ｃ，３４０Ｍ，３４０Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３１９】
実施例４４に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３２０】
透光窓部１９ＢＫ，１９Ｃ，１９Ｍ，１９Ｙのそれぞれに設けられた目盛３１は、例えば横長の実線で示された上限目盛３１Ｕおよび上部目盛３１Ｆと、横並びの三点ドットで示された下限目盛３１２Ｌと、上部目盛３１Ｆと下限目盛３１２Ｌとの間にあって横並びの二点ドットで示された中間目盛３１２Ｃと、中間目盛３１２Ｃと上部目盛３１Ｆおよび下限目盛３１２Ｌとのそれぞれの間に複数のドットで示された細分目盛３１Ｂと、を含んでいる。なお、目盛３１を構成する上限目盛３１Ｕ、上部目盛３１Ｆ、下限目盛３１２Ｌ、中間目盛３１２Ｃ、および細分目盛３１Ｂは、それぞれのインク色に対応した個別色、統一された黒色、白抜き文字など、どのような色調であってもよい。
【０３２１】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す角丸の略正方形の枠線の中が黒系色で着色されたマーク３４０ＢＫ、シアンインクを表す角丸の略正方形の枠線の中が青系色で着色されたマーク３４０Ｃ、マゼンタインクを表す角丸の略正方形の枠線の中が赤系色で着色されたマーク３４０Ｍ、およびイエローインクを表す角丸の略正方形の枠線の中が黄系色で着色されたマーク３４０Ｙを含んでいる。なお、マーク３４０ＢＫ，３４０Ｃ，３４０Ｍ，３４０Ｙは、横並びに配列されている。
【０３２２】
５．４５．実施例４５
図５５を参照して、実施例４５に係る透光部、目盛、および識別マークについて説明する。実施例４５は、図５５に示すように、外縁部３０に配置され、やや小さめの略正方形の枠線の中がインクの種類に対応した色で着色され、横並びに配置されたマーク３４１ＢＫ，３４１Ｃ，３４１Ｍ，３４１Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、上限目盛３１Ｕの上側の三角マーク３１８などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３２３】
実施例４５に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３２４】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとの間のそれぞれに複数のドットで示された細分目盛３１Ｂと、を含んでいる。さらに、目盛３１は、上限目盛３１Ｕの上側にあって、下側に一頂点を向けた三角マーク３１８を含んでいる。なお、目盛３１を構成する上限目盛３１Ｕ、上部目盛３１Ｆ、下限目盛３１Ｌ、中間目盛３１Ｃ、細分目盛３１Ｂ、および三角マーク３１８は、それぞれのインク色に対応した個別色、統一された黒色、白抜き文字など、どのような色調であってもよい。
【０３２５】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す略正方形の枠線の中が黒系色で着色されたマーク３４１ＢＫ、シアンインクを表す略正方形の枠線の中が青系色で着色されたマーク３４１Ｃ、マゼンタインクを表す略正方形の枠線の中が赤系色で着色されたマーク３４１Ｍ、およびイエローインクを表す略正方形の枠線の中が黄系色で着色されたマーク３４１Ｙを含んでいる。なお、マーク３４１ＢＫ，３４１Ｃ，３４１Ｍ，３４１Ｙは、横並びに配列されている。
【０３２６】
５．４６．実施例４６
図５６を参照して、実施例４６に係る透光部、目盛、および識別マークについて説明する。実施例４６は、図５６に示すように、外縁部３０に配置され、横長の長方形の枠線の中がインクの種類に対応した色で着色され、横並びに配置されたマーク３４２ＢＫ，３４２Ｃ，３４２Ｍ，３４２Ｙを含む識別マーク３２と、透光窓部１９ＢＫ，１９Ｃ，１９Ｍ，１９Ｙに設けられた横長実線で示す上限目盛３１Ｕ、上部目盛３１Ｆなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３２７】
実施例４６に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３２８】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆの半分程度の長さの横長の実線で示された中間目盛３１Ｃと、中間目盛３１Ｃと上部目盛３１Ｆおよび下限目盛３１Ｌとのそれぞれの間にドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３２９】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す横長の長方形の枠線の中が黒系色で着色されたマーク３４２ＢＫ、シアンインクを表す横長の長方形の枠線の中が青系色で着色されたマーク３４２Ｃ、マゼンタインクを表す横長の長方形の枠線の中が赤系色で着色されたマーク３４２Ｍ、およびイエローインクを表す横長の長方形の枠線の中が黄系色で着色されたマーク３４２Ｙを含んでいる。なお、マーク３４２ＢＫ，３４２Ｃ，３４２Ｍ，３４２Ｙは、横並びに配列されている。
【０３３０】
５．４７．実施例４７
図５７を参照して、実施例４７に係る透光部、目盛、および識別マークについて説明する。実施例４７は、図５７に示すように、横長の細帯状のカラーライン３３Ａの枠内を４分割した各領域内が、インクの種別を示す色で着色されたカラーマーク３４３ＢＫ，３４３Ｃ，３４３Ｍ，３４３Ｙを含む識別マーク３２と、透光窓部１９ＢＫ，１９Ｃ，１９Ｍ，１９Ｙに設けられた中抜き線の上限目盛３１７Ｕ、上部目盛３１７Ｆ、下限目盛３１７Ｌ、中間目盛３１７Ｃおよび細分目盛３１７Ｂを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３３１】
実施例４７に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３３２】
透光窓部１９ＢＫ，１９Ｃ，１９Ｍ，１９Ｙのそれぞれに設けられた目盛３１は、例えば長めの横長の中抜き線で示された上限目盛３１７Ｕ、上部目盛３１７Ｆ、下限目盛３１７Ｌと、上部目盛３１７Ｆと下限目盛３１７Ｌとの間に位置し、上部目盛３１７Ｆの半分程度の長さの横長の中抜き線で示された中間目盛３１７Ｃと、中間目盛３１７Ｃと上部目盛３１７Ｆおよび下限目盛３１７Ｌとのそれぞれの間に複数の中抜きドットで示された細分目盛３１７Ｂと、を含んでいる。なお、目盛３１を構成する上限目盛３１７Ｕ、上部目盛３１７Ｆ、下限目盛３１７Ｌ、中間目盛３１７Ｃ、および細分目盛３１７Ｂは、それぞれのインク色に対応した個別色、統一された黒色、白抜き文字など、どのような色調であってもよい。
【０３３３】
透光窓部１９Ｋ，１９Ｃ，１９Ｍ，１９Ｙの上側の外縁部３０に設けられている識別マーク３２は、四つのタンク２１のそれぞれに収容されているインクの種別を示しており、各透光窓部１９Ｋ，１９Ｃ，１９Ｍ，１９Ｙに対応したカラーマーク３４３ＢＫ，３４３Ｃ，３４３Ｍ，３４３Ｙを含んでいる。識別マーク３２は、横長の細帯状のカラーライン３３Ａの枠内を４分割した横長の帯状（本例では横長の長方形）領域を有し、各領域はインクの種別に対応した色に着色されている。具体的には、透光窓部１９Ｋに対応し、黒系色に着色されてブックインクを表すカラーマーク３４３ＢＫ、透光窓部１９Ｃに対応し、青系色に着色されてシアンインクを表すカラーマーク３４３Ｃ、透光窓部１９Ｍに対応し、赤系色に着色されてマゼンタインクを表すカラーマーク３４３Ｍ、および透光窓部１９Ｙに対応し、黄系色に着色されてイエローインクを表すカラーマーク３４３Ｙが配列されている。
【０３３４】
５．４８．実施例４８
図５８を参照して、実施例４８に係る透光部、目盛、および識別マークについて説明する。実施例４８は、図５８に示すように、略正方形の枠線の中がインクの種類に対応した色で着色されたマーク３４４ＢＫ，３４４Ｃ，３４４Ｍ，３４４Ｙが、２列×２行のマトリックス状に配置された識別マーク３２と、透光窓部１９ＢＫ，１９Ｃ，１９Ｍ，１９Ｙに設けられた横長の実線の上限目盛３１Ｕ、上部目盛３１Ｆ、下限目盛３１Ｌ、中間目盛３１Ｃ、マトリックス状にドットが配置された細分目盛３１ＢＴを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３３５】
実施例４８に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３３６】
透光窓部１９ＢＫ，１９Ｃ，１９Ｍ，１９Ｙのそれぞれに設けられた目盛３１は、例えば長めの横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも短い横長の実線で示された中間目盛３１Ｃと、中間目盛３１Ｃと上部目盛３１Ｆおよび下限目盛３１Ｌとのそれぞれの間にあって、複数のドットがマトリックス状に配置された細分目盛３１ＢＴと、を含んでいる。なお、目盛３１を構成する上限目盛３１Ｕ、上部目盛３１Ｆ、下限目盛３１Ｌ、中間目盛３１Ｃ、および細分目盛３１ＢＴは、それぞれのインク色に対応した個別色、統一された黒色、白抜き文字など、どのような色調であってもよい。
【０３３７】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す略正方形の枠線の中が黒系色で着色されたマーク３４４ＢＫ、シアンインクを表す略正方形の枠線の中が青系色で着色されたマーク３４４Ｃ、マゼンタインクを表す略正方形の枠線の中が赤系色で着色されたマーク３４４Ｍ、およびイエローインクを表す略正方形の枠線の中が黄系色で着色されたマーク３４４Ｙを含んでいる。そして、マーク３４４ＢＫとマーク３４４Ｙとが上段の行に並び、マーク３４４Ｃとマーク３４４Ｍとが下段の行に並んでいる。換言すれば、４つのマーク３４４ＢＫ，３４４Ｃ，３４４Ｍ，３４４Ｙが、２列×２行のマトリックス状に配置された四角形をなして配置されている。
【０３３８】
５．４９．実施例４９
図５９を参照して、実施例４９に係る透光部、目盛、および識別マークについて説明する。実施例４９は、図５９に示すように、略正方形の枠線の中がインクの種類に対応した色で着色されたマーク３４５ＢＫ，３４５Ｃ，３４５Ｍ，３４５Ｙを、それぞれ４５度傾け、マーク３４５ＢＫを上側の頂部、マーク３４５Ｍを下側の頂部、マーク３４５Ｃを左側の頂部、マーク３４５Ｙを右側の頂部に配置した、所謂菱形状をなした識別マーク３２を有している。透光窓部１９ＢＫ，１９Ｃ，１９Ｍ，１９Ｙ、および透光窓部１９ＢＫ，１９Ｃ，１９Ｍ，１９Ｙに設けられた上限目盛３１Ｕ、上部目盛３１Ｆ、下限目盛３１Ｌ、中間目盛３１Ｃ、細分目盛３１ＢＷを含む目盛３１の構成は、前述の実施例４８と同様であるので説明を省略する。
【０３３９】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、例えばブラックインクを表す略正方形の枠線の中が黒系色で着色されたマーク３４５ＢＫ、シアンインクを表す略正方形の枠線の中が青系色で着色されたマーク３４５Ｃ、マゼンタインクを表す略正方形の枠線の中が赤系色で着色されたマーク３４５Ｍ、およびイエローインクを表す略正方形の枠線の中が黄系色で着色されたマーク３４５Ｙを含んでいる。そして、マーク３４５ＢＫを上側の頂部、マーク３４５Ｍを下側の頂部、マーク３４５Ｃを左側の頂部、マーク３４５Ｙを右側の頂部とした、所謂菱形状をなして配置されている。
【０３４０】
５．５０．実施例５０
図６０を参照して、実施例５０に係る透光部、目盛、および識別マークについて説明する。実施例５０は、図６０に示すように、略正方形の枠線の中がインクの種類に対応した色で着色された小マークを２列×２行のマトリックス状に配置した４個のマーク３４６ＢＫ，３４６Ｃ，３４６Ｍ，３４６Ｙが横並びに配列された識別マーク３２と、透光窓部１９ＢＫ，１９Ｃ，１９Ｍ，１９Ｙに設けられた横長の実線の上限目盛３１Ｕ、上部目盛３１Ｆ、下限目盛３１Ｌなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３４１】
実施例５０に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３４２】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとの間のそれぞれに複数のドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３４３】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、ブラックインクを表す略正方形の枠線の中が黒系色で着色された小マークを正方形にマトリックス状に四つ並べたマーク３４６ＢＫ、シアンインクを表す略正方形の枠線の中が青系色で着色された小マークを正方形にマトリックス状に四つ並べたマーク３４６Ｃ、マゼンタインクを表す略正方形の枠線の中が赤系色で着色された小マークを正方形にマトリックス状に四つ並べたマーク３４６Ｍ、およびイエローインクを表す略正方形の枠線の中が黄系色で着色された小マークを正方形にマトリックス状に四つ並べたマーク３４６Ｙ、を含んでいる。そして、４個のマーク３４６ＢＫ，３４６Ｃ，３４６Ｍ，３４６Ｙが横並びに配列されて識別マーク３２を構成している。
【０３４４】
５．５１．実施例５１
図６１を参照して、実施例５１に係る透光部、目盛、および識別マークについて説明する。実施例５１は、図６１に示すように、丸枠線の中がインクの種類に対応した色で着色された三つの小マークをそれぞれ横並びに配置したマーク３４７ＢＫ，３４７Ｃ，３４７Ｍ，３４７Ｙが横並びに配列された識別マーク３２と、透光窓部１９ＢＫ，１９Ｃ，１９Ｍ，１９Ｙに設けられた横長の実線の上限目盛３１Ｕ、上部目盛３１Ｆ、下限目盛３１Ｌなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３４５】
実施例５１に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３４６】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆの半分程度の長さの横長の実線で示された中間目盛３１Ｃと、中間目盛３１Ｃと上部目盛３１Ｆおよび下限目盛３１Ｌとの間のそれぞれに複数のドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３４７】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、ブラックインクを表す丸枠線の中が黒系色で着色された三つの小マークを横並びに配置したマーク３４７ＢＫ、シアンインクを表す丸枠線の中が青系色で着色された三つの小マークを横並びに配置したマーク３４７Ｃ、マゼンタインクを表す丸枠線の中が赤系色で着色された三つの小マークを横並びに配置したマーク３４７Ｍ、およびイエローインクを表す丸枠線の中が黄系色で着色された三つの小マークを横並びに配置したマーク３４７Ｙ、を含んでいる。そして、４個のマーク３４７ＢＫ，３４７Ｃ，３４７Ｍ，３４７Ｙが横並びに配列されて識別マーク３２を構成している。
【０３４８】
５．５２．実施例５２
図６２を参照して、実施例５２に係る透光部、目盛、および識別マークについて説明する。実施例５２は、図６２に示すように、四角の枠線の中がインクの種類に対応した色で着色された七つの小マークを、それぞれ縦並びに配置したマーク３４８ＢＫ，３４８Ｃ，３４８Ｍ，３４８Ｙが横並びに配列された識別マーク３２と、透光窓部１９ＢＫ，１９Ｃ，１９Ｍ，１９Ｙに設けられた横長の枠付き線の上限目盛３１７Ｕ、上部目盛３１７Ｆ、下限目盛３１７Ｌなどを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３４９】
実施例５２に係る透光部１９を構成する透光窓部１９ＢＫ，１９Ｃ，１９Ｍ，１９Ｙは、透光性を有し、上側から下側に沿って縦長の概ね長方形をなしている。なお、透光窓部１９ＢＫは、他の透光窓部１９Ｃ，１９Ｍ，１９Ｙよりも横幅が広く構成されている。
【０３５０】
透光窓部１９ＢＫ，１９Ｃ，１９Ｍ，１９Ｙのそれぞれに設けられた目盛３１は、例えば横長の中抜き線で示された上限目盛３１７Ｕ、上部目盛３１７Ｆ、下限目盛３１７Ｌと、上部目盛３１７Ｆと下限目盛３１７Ｌとの間に位置し、上部目盛３１７Ｆの半分程度の長さの横長の中抜き線で示された中間目盛３１７Ｃと、中間目盛３１７Ｃと上部目盛３１７Ｆおよび下限目盛３１７Ｌとの間のそれぞれに複数の枠付きドットで示された細分目盛３１７Ｂと、を含んでいる。なお、目盛３１を構成する上限目盛３１７Ｕ、上部目盛３１７Ｆ、下限目盛３１７Ｌ、中間目盛３１７Ｃ、および細分目盛３１７Ｂは、それぞれのインク色に対応した個別色、統一された黒色、白抜き文字など、どのような色調であってもよい。
【０３５１】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、四角の枠線の中がブラックインクを表す黒系色で着色された七つの小マークを、それぞれ縦並びに配置したマーク３４８ＢＫ、四角の枠線の中がシアンインクを表す青系色で着色された七つの小マークを、それぞれ縦並びに配置したマーク３４８Ｃ、四角の枠線の中がマゼンタインクを表す赤系色で着色された七つの小マークを、それぞれ縦並びに配置したマーク３４８Ｍ、および四角の枠線の中がイエローインクを表す黄系色で着色された七つの小マークを、それぞれ縦並びに配置したマーク３４８Ｙを含んでいる。なお、マーク３４８ＢＫ，３４８Ｃ，３４８Ｍ，３４８Ｙを構成するそれぞれの小マークは、中央部の小マークの高さが最も大きく、両端に近づくほど小マークの高さが小さくなるように形成されている。そして、４個のマーク３４８ＢＫ，３４８Ｃ，３４８Ｍ，３４８Ｙが横並びに配列されて識別マーク３２を構成している。
【０３５２】
５．５３．実施例５３
図６３を参照して、実施例５３に係る透光部、目盛、および識別マークについて説明する。実施例５３は、図６３に示すように、外縁部３０に設けられ、インクの種類に対応した色で着色された複数の縦長ラインが横並びに配置された縦線マーク３４９ＢＫ，３４９Ｃ，３４９Ｍ，３４９Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３５３】
実施例５３に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３５４】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとの間のそれぞれに複数のドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３５５】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、外縁部３０の上端から透光窓部１９ＢＫ，１９Ｃ，１９Ｍ，１９Ｙの上側の端に亘って設けられている、インクの種類に対応した色で着色された複数の縦長ラインが横並びに配置された縦線マーク３４９ＢＫ，３４９Ｃ，３４９Ｍ，３４９Ｙを含んでいる。具体的に識別マーク３２は、例えばブラックインクを表すように黒系色で着色された複数の縦長ラインが横並びに配置された縦線マーク３４９ＢＫ、シアンインクを表すように青系色で着色された複数の縦長ラインが横並びに配置された縦線マーク３４９Ｃ、マゼンタインクを表すように赤系色で着色された複数の縦長ラインが横並びに配置された縦線マーク３４９Ｍ、およびイエローインクを表すように黄系色で着色された複数の縦長ラインが横並びに配置された縦線マーク３４９Ｙを含んでいる。なお、縦線マーク３４９ＢＫ，３４９Ｃ，３４９Ｍ，３４９Ｙは、横並びに配列されている。
【０３５６】
５．５４．実施例５４
図６４を参照して、実施例５４に係る透光部、目盛、および識別マークについて説明する。実施例５４は、図６４に示すように、外縁部３０に設けられ、インクの種類に対応した色で着色された縦長ラインの縦線マーク３５０ＢＫ，３５０Ｃ，３５０Ｍ，３５０Ｙを含む識別マーク３２と、透光窓部１９ＢＫ，１９Ｃ，１９Ｍ，１９Ｙに設けられた横長実線で示す上限目盛３１Ｕ、上部目盛３１Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。なお、外縁部３０には、縦ストライプ状の縞模様が設けられている。
【０３５７】
実施例５４に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３５８】
透光窓部１９ＢＫ，１９Ｃ，１９Ｍ，１９Ｙのそれぞれに設けられた目盛３１は、例えば横長の実線で示された上限目盛３１Ｕ、上部目盛３１Ｆ、下限目盛３１Ｌと、上部目盛３１Ｆと下限目盛３１Ｌとの間に位置し、上部目盛３１Ｆよりも僅かに短い横長の実線で示された中間目盛３１Ｃと、中間目盛３１Ｃと上部目盛３１Ｆおよび下限目盛３１Ｌとの間のそれぞれに複数のドットで示された細分目盛３１Ｂと、を含んでいる。なお、目盛３１を構成する上限目盛３１Ｕ、上部目盛３１Ｆ、下限目盛３１Ｌ、中間目盛３１Ｃ、および細分目盛３１Ｂは、それぞれのインク色に対応した個別色、統一された黒色、白抜き文字など、どのような色調であってもよい。
【０３５９】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、透光窓部１９ＢＫ，１９Ｃ，１９Ｍ，１９Ｙのそれぞれの上側に位置し、インクの種類に対応した色で着色された縦長ライン状の縦線マーク３５０ＢＫ，３５０Ｃ，３５０Ｍ，３５０Ｙを含んでいる。具体的に識別マーク３２は、例えばブラックインクを表すように黒系色で着色された縦線マーク３５０ＢＫ、シアンインクを表すように青系色で着色された縦線マーク３５０Ｃ、マゼンタインクを表すように赤系色で着色された縦線マーク３５０Ｍ、およびイエローインクを表すように黄系色で着色された縦線マーク３５０Ｙを含んでいる。なお、縦線マーク３５０ＢＫ，３５０Ｃ，３５０Ｍ，３５０Ｙは、横並びに配列されている。
【０３６０】
５．５５．実施例５５
図６５を参照して、実施例５５に係る透光部、目盛、および識別マークについて説明する。実施例５５は、図６５に示すように、外縁部３０に配置され、白抜き丸枠中に「ＢＫ」が設けられたマーク１３３ＢＫ、および白抜き□中に「Ｃ」が設けられたマーク１３２Ｃなどを含む識別マーク３２と、透光窓部１９ＢＫ，１９Ｃ，１９Ｍ，１９Ｙの一方の横枠１９Ｒに沿って設けられた横長実線で示す上限目盛４３４Ｕ、上部目盛４３４Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられている。
【０３６１】
実施例５５に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３６２】
透光窓部１９ＢＫ，１９Ｃ，１９Ｍ，１９Ｙのそれぞれに設けられた目盛３１は、透光窓部１９ＢＫ，１９Ｃ，１９Ｍ，１９Ｙのそれぞれの一方の横枠１９Ｒに沿って設けられている。目盛３１は、一端が横枠１９Ｒに連接された横長の実線で示された上限目盛４３４Ｕ、上部目盛４３４Ｆ、下限目盛４３４Ｌと、上部目盛４３４Ｆと下限目盛４３４Ｌとの間にあって、一端が横枠１９Ｒに連接された上部目盛４３４Ｆよりも僅かに短い横長の実線で示された中間目盛４３４Ｃと、上部目盛４３４Ｆと下限目盛４３４Ｌとの間にあって、一端が横枠１９Ｒに連接された、中間目盛４３４Ｃよりも僅かに短い横長の実線で示された細分目盛４３４Ｂと、を含んでいる。なお、目盛３１を構成する上限目盛４３４Ｕ、上部目盛４３４Ｆ、下限目盛４３４Ｌ、中間目盛４３４Ｃ、および細分目盛４３４Ｂは、それぞれのインク色に対応した個別色、統一された黒色、白抜き文字など、どのような色調であってもよい。
【０３６３】
透光窓部１９ＢＫ，１９Ｃ，１９Ｍ，１９Ｙの上側の外縁部３０に設けられている識別マーク３２は、四つのタンク２１のそれぞれに収容されているインクの種別を示しており、例えばブラックインクを表す「白抜きの丸枠の中にＢＫ」のマーク１３２ＢＫ、シアンインクを表す「白抜き□中にＣ」のマーク１３２Ｃ、マゼンタインクを表す「白抜き□中にＭ」のマーク１３２Ｍ、およびイエローインクを表す「白抜き□中にＹ」のマーク１３２Ｙを含んでいる。なお、マーク１３２ＢＫ，１３２Ｃ，１３２Ｍ，１３２Ｙは、例えばそれぞれのインク色に対応した個別色、統一された黒色、白抜き文字など、どのような色調であってもよい。
【０３６４】
５．５６．実施例５６
図６６を参照して、実施例５６に係る透光部、目盛、および識別マークについて説明する。実施例５６は、図６６に示すように、前述の実施例５５と同様に外縁部３０に配置された識別マーク３２と、透光窓部１９ＢＫ，１９Ｃ，１９Ｍ，１９Ｙの他方の横枠１９Ｌに沿って設けられた横長実線で示す上限目盛４３５Ｕ、上部目盛４３５Ｆ、などを含む目盛３１と、を有している。なお、本実施例の透光窓部１９ＢＫ，１９Ｃ，１９Ｍ，１９Ｙ、および識別マーク３２は、実施例５５と同様であるので説明を省略する。
【０３６５】
透光窓部１９ＢＫ，１９Ｃ，１９Ｍ，１９Ｙのそれぞれに設けられた目盛３１は、透光窓部１９ＢＫ，１９Ｃ，１９Ｍ，１９Ｙのそれぞれの他方の横枠１９Ｌに沿って設けられている。目盛３１は、一端が横枠１９Ｌに連接された横長の実線で示された上限目盛４３５Ｕ、上部目盛４３５Ｆ、下限目盛４３５Ｌと、上部目盛４３５Ｆと下限目盛４３５Ｌとの間にあって、一端が横枠１９Ｌに連接された上部目盛４３５Ｆよりも僅かに短い横長の実線で示された中間目盛４３５Ｃと、上部目盛４３５Ｆと下限目盛４３５Ｌとの間にあって、一端が横枠１９Ｌに連接された、中間目盛４３５Ｃよりも僅かに短い横長の実線で示された細分目盛４３５Ｂと、を含んでいる。なお、目盛３１を構成する上限目盛４３５Ｕ、上部目盛４３５Ｆ、下限目盛４３５Ｌ、中間目盛４３５Ｃ、および細分目盛４３５Ｂは、それぞれのインク色に対応した個別色、統一された黒色、白抜き文字など、どのような色調であってもよい。
【０３６６】
５．５７．実施例５７
図６７を参照して、実施例５７に係る透光部、目盛、および識別マークについて説明する。実施例５７は、図６６を参照して説明した実施例５６の白黒反転のデザイン例である。図６７に示すように、外縁部３０に配置され、白丸枠中の黒背景に「白抜きの文字ＢＫ」が設けられたマーク３５１ＢＫ、および白四角枠中の黒背景に「白抜きの文字Ｃ」が設けられたマーク３５１Ｃなどを含む識別マーク３２と、透光窓部１９ＢＫ，１９Ｃ，１９Ｍ，１９Ｙの他方の横枠１９Ｌに沿って設けられた横長実線で示す上限目盛４３５Ｕ、上部目盛４３５Ｆ、などを含む目盛３１と、を有している。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。なお、外縁部３０は、透光窓部１９ＢＫ，１９Ｃ，１９Ｍ，１９Ｙの外側に設けられており、黒系色に着色されている。
【０３６７】
実施例５７に係る透光部１９を構成する透光窓部１９ＢＫ，１９Ｃ，１９Ｍ，１９Ｙは、透光性を有し、上側から下側に沿って縦長の概ね長方形をなしている。なお、概ね長方形の透光窓部１９ＢＫ，１９Ｃ，１９Ｍ，１９Ｙの四隅は円弧状に丸められている。また、透光窓部１９ＢＫは、他の透光窓部１９Ｃ，１９Ｍ，１９Ｙよりも横幅が広く構成されている。
【０３６８】
透光窓部１９ＢＫ，１９Ｃ，１９Ｍ，１９Ｙのそれぞれに設けられた目盛３１は、透光窓部１９ＢＫ，１９Ｃ，１９Ｍ，１９Ｙのそれぞれの他方の横枠１９Ｌに沿って設けられている。目盛３１は、一端が横枠１９Ｌに連接された横長の実線で示された上限目盛４３５Ｕ、上部目盛４３５Ｆ、下限目盛４３５Ｌと、上部目盛４３５Ｆと下限目盛４３５Ｌとの間にあって、一端が横枠１９Ｌに連接された上部目盛４３５Ｆよりも僅かに短い横長の実線で示された中間目盛４３５Ｃと、上部目盛４３５Ｆと下限目盛４３５Ｌとの間にあって、一端が横枠１９Ｌに連接された、中間目盛４３５Ｃよりも僅かに短い横長の実線で示された細分目盛４３５Ｂと、を含んでいる。なお、目盛３１を構成する上限目盛４３５Ｕ、上部目盛４３５Ｆ、下限目盛４３５Ｌ、中間目盛４３５Ｃ、および細分目盛４３５Ｂは、それぞれのインク色に対応した個別色、統一された黒色、白抜き文字など、どのような色調であってもよい。
【０３６９】
透光窓部１９ＢＫ，１９Ｃ，１９Ｍ，１９Ｙの上側の外縁部３０に設けられている識別マーク３２は、四つのタンク２１のそれぞれに収容されているインクの種別を示しており、例えばブラックインクを表すように、白丸枠中の黒背景に「白抜きの文字ＢＫ」が設けられたマーク３５１ＢＫ、シアンインクを表すように、白四角枠中の黒背景に「白抜きの文字Ｃ」が設けられたマーク３５１Ｃ、マゼンタインクを表すように、白四角枠中の黒背景に「白抜きの文字Ｍ」が設けられたマーク３５１Ｍ、およびイエローインクを表すように、白四角枠中の黒背景に「白抜きの文字Ｙ」が設けられたマーク３５１Ｙ、を含んでいる。なお、マーク３５１ＢＫ，３５１Ｃ，３５１Ｍ，３５１Ｙは、例えばそれぞれのインク色に対応した個別色などであってもよい。
【０３７０】
なお、実施例５７で説明したような白黒反転のデザインは、他の実施例や実施形態で説明したデザインにも適用することができる。
【０３７１】
５．５８．実施例５８
図６８を参照して、実施例５８に係る透光部、目盛、および識別マークについて説明する。実施例５８に係る透光部、目盛、および識別マークは、図６８に示すように、外縁部３０の上側の端部にカラーライン３３Ａを含む識別マーク３２が設けられ、透光窓部１９ＢＫ，１９Ｃ，１９Ｍ，１９Ｙ、およびカラーライン３３Ａの配置部以外の外縁部３０を貫く縦線ＨＬ１，ＨＬ２，ＨＬ３，…，ＨＬ１２、および横線ＶＬ１，ＶＬ２，ＶＬ３，…，ＶＬ８によって格子状に区切られた小窓が設けられている。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。
【０３７２】
実施例５８では、図６８に示すように、図示左側から第１列ＲＯ１、第２列ＲＯ２、第３列ＲＯ３と並ぶ３列によって一つの透光窓部領域を構成し、第２列ＲＯ２および第３列ＲＯ３の図示白抜き部１９Ｖが透光窓部１９ＢＫに相当し、第１列ＲＯ１が当該透光窓部１９ＢＫの目盛記載部に相当する。同様に、第４列以降において透光窓部１９Ｃ、透光窓部１９Ｍ、透光窓部１９Ｙが構成されている。
【０３７３】
実施例５８に係る透光窓部１９ＢＫ，１９Ｃ，１９Ｍ，１９Ｙは、透光性を有し、縦線ＨＬ１，ＨＬ２，ＨＬ３，…，ＨＬ１２、および横線ＶＬ１，ＶＬ２，ＶＬ３，…，ＶＬ８によって格子状に区切られている。透光窓部１９ＢＫ，１９Ｃ，１９Ｍ，１９Ｙに隣り合うそれぞれの目盛記載部には、インク残量の目安となる、例えば「５０」、「０」のような数字が記載されている。
【０３７４】
外縁部３０は、透光窓部１９ＢＫ，１９Ｃ，１９Ｍ，１９Ｙの外側に設けられており、図６８ではハッチングによって示されている領域である。また、外縁部３０の外周縁には外周枠ＯＬが設けられている。外縁部３０は、着色塗料の塗布や着色フィルムの貼付、もしくはシボ（皺）加工などによって、非透光もしくは低透光率の領域として構成されている。
【０３７５】
識別マーク３２は、外縁部３０の上側の端部に設けられたカラーライン３３Ａを含んでいる。カラーライン３３Ａは、透光窓部１９ＢＫ，１９Ｃ，１９Ｍ，１９Ｙの列に対応した上側に位置し、外縁部３０を横断する横長の長方形を分割したカラーマーク３４３ＢＫ、カラーマーク３４３Ｃ、カラーマーク３４３Ｍ、およびカラーマーク３４３Ｙを有している。カラーマーク３４３ＢＫ，３４３Ｃ，３４３Ｍ，３４３Ｙは、透光窓部１９ＢＫ，１９Ｃ，１９Ｍ，１９Ｙに対応した色に着色されている。具体的に、カラーマーク３４３ＢＫは、透光窓部１９ＢＫに対応し、ブラックインクを示す黒系色に着色されている。カラーマーク３４３Ｃは、透光窓部１９Ｃに対応し、シアンインクを示す青系色に着色されている。カラーマーク３４３Ｍは、透光窓部１９Ｍに対応し、マゼンタインクを示す赤系色に着色されている。カラーマーク３４３Ｙは、透光窓部１９Ｙに対応し、イエローインクを示す黄系色に着色されている。
【０３７６】
５．５９．実施例５９
図６９を参照して、実施例５９に係る透光部、目盛、および識別マークについて説明する。実施例５９に係る透光部、目盛、および識別マークは、図６９に示すように、外縁部３０の上側の端の内側にあって、丸枠線の中がインクの種類に対応した色で着色されたマーク３５１ＢＫ，３５１Ｃ，３５１Ｍ，３５１Ｙが横並びに配列された識別マーク３２と、マーク３５１ＢＫ，３５１Ｃ，３５１Ｍ，３５１Ｙのそれぞれから、透光部１９を構成する透光窓部１９ＢＫ，１９Ｃ，１９Ｍ，１９Ｙを超える位置まで断続的に配置されたドットＰ１〜Ｐｎと、が設けられている。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。
【０３７７】
実施例５９に係る透光部１９を構成する透光窓部１９ＢＫ，１９Ｃ，１９Ｍ，１９Ｙは、透光性を有し、上側から下側に沿って縦長の概ね長方形をなしている。外縁部３０は、透光窓部１９ＢＫ，１９Ｃ，１９Ｍ，１９Ｙの外側に設けられており、図６９ではハッチングによって示されている領域である。外縁部３０は、着色塗料の塗布や着色フィルムの貼付、もしくはシボ（皺）加工などによって、非透光もしくは低透光率の領域として構成されている。
【０３７８】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、ブラックインクを表す丸枠線の中が黒系色で着色されたマーク３５１ＢＫ、シアンインクを表す丸枠線の中が青系色で着色されたマーク３５１Ｃ、マゼンタインクを表す丸枠線の中が赤系色で着色されたマーク３５１Ｍ、およびイエローインクを表す丸枠線の中が黄系色で着色されたマーク３５１Ｙ、を含んでいる。そして、４個のマーク３５１ＢＫ，３５１Ｃ，３５１Ｍ，３５１Ｙが横並びに配列されて識別マーク３２を構成している。
【０３７９】
マーク３５１ＢＫ，３５１Ｃ，３５１Ｍ，３５１Ｙのそれぞれの下側には、透光部１９を構成する透光窓部１９ＢＫ，１９Ｃ，１９Ｍ，１９Ｙのそれぞれを超える位置まで断続的に配置されたドットＰ１〜Ｐｎが設けられている。即ち、マーク３５１ＢＫ，３５１Ｃ，３５１Ｍ，３５１Ｙと、それぞれに対応する透光窓部１９ＢＫ，１９Ｃ，１９Ｍ，１９Ｙとが、ドットＰ１〜Ｐｎによって連接されている。なお、ドットＰ１〜Ｐｎの色は問わない。
【０３８０】
５．６０．実施例６０
図７０を参照して、実施例６０に係る透光部、目盛、および識別マークについて説明する。実施例６０に係る透光部、目盛、および識別マークは、図７０に示すように、外縁部３０の上側の端の内側にあって、横長の帯状枠（長方形）の中がインクの種類に対応した色で着色されたマーク３５２ＢＫ，３５２Ｃ，３５２Ｍ，３５２Ｙが横並びに配列された識別マーク３２と、マーク３５２ＢＫ，３５２Ｃ，３５２Ｍ，３５２Ｙのそれぞれの下側から、透光部１９を構成する透光窓部１９ＢＫ，１９Ｃ，１９Ｍ，１９Ｙを超える位置まで断続的に配置された横バーＬ１〜Ｌｎと、が設けられている。なお、本実施例では、透光窓部１９ＢＫがブラックインク、透光窓部１９Ｃがシアンインク、透光窓部１９Ｍがマゼンタインク、および透光窓部１９Ｙがイエローインクを、それぞれ収容したタンク２１（図４参照）に対向している。
【０３８１】
実施例６０に係る透光部１９を構成する透光窓部１９ＢＫ，１９Ｃ，１９Ｍ，１９Ｙは、透光性を有し、上側から下側に沿って縦長の概ね長方形をなしている。外縁部３０は、透光窓部１９ＢＫ，１９Ｃ，１９Ｍ，１９Ｙの外側に設けられており、図７０ではハッチングによって示されている領域である。外縁部３０は、着色塗料の塗布や着色フィルムの貼付、もしくはシボ（皺）加工などによって、非透光もしくは低透光率の領域として構成されている。
【０３８２】
透光窓部１９ＢＫ，１９Ｃ，１９Ｍ，１９Ｙの上側の外縁部３０に設けられている識別マーク３２は、四つのタンク２１のそれぞれに収容されているインクの種別を示している。識別マーク３２は、ブラックインクを表す横長の帯状枠（長方形）の中が黒系色で着色されたマーク３５２ＢＫ、シアンインクを表す横長の帯状枠（長方形）の中が青系色で着色されたマーク３５２Ｃ、マゼンタインクを表す横長の帯状枠（長方形）の中が赤系色で着色されたマーク３５２Ｍ、およびイエローインクを表す横長の帯状枠（長方形）の中が黄系色で着色されたマーク３５２Ｙ、を含んでいる。そして、４個のマーク３５２ＢＫ，３５２Ｃ，３５２Ｍ，３５２Ｙが横並びに配列されて識別マーク３２を構成している。
【０３８３】
マーク３５２ＢＫ，３５２Ｃ，３５２Ｍ，３５２Ｙのそれぞれの下側には、透光部１９を構成する透光窓部１９ＢＫ，１９Ｃ，１９Ｍ，１９Ｙのそれぞれを超える位置まで断続的に配置された横バーＬ１〜Ｌｎが設けられている。即ち、マーク３５２ＢＫ，３５２Ｃ，３５２Ｍ，３５２Ｙと、それぞれに対応する透光窓部１９ＢＫ，１９Ｃ，１９Ｍ，１９Ｙとが、横バーＬ１〜Ｌｎによって連接されている。なお、横バーＬ１〜Ｌｎの色は問わない。
【０３８４】
実施例５９および実施例６０のように、外縁部３０に配置された識別マーク３２が、ドットＰ１〜Ｐｎや横バーＬ１〜Ｌｎによって透光部１９と連接されていることにより、インクの種類とインク量との繋がりが明確になり、ユーザーの視認性を向上させることができる。
【０３８５】
以上、本発明に係る各実施形態および各実施例について説明したが、インクの種類や色の順番、位置は変わってもよい。また、目盛りおよび識別マークは、印刷、刻印などの方法を用いて形成してもよい。
【０３８６】
また、本発明は、上述の実施形態および実施例に限られるものではなく、その趣旨を逸脱しない範囲において種々の構成で実現することができる。例えば、発明の概要の欄に記載した各形態中の技術的特徴に対応する実施形態、実施例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０３８７】
１Ａ，１Ｂ，１Ｃ，１Ｄ…液滴噴射装置としてのプリンター、２…筐体、３…操作パネル、４…排紙部、５…可視カバー、６…蓋部、７…電源ボタン、８…表示パネル、９…カバー、１０…カバー、１１…正面、１２…上面、１３…側壁、１４…側壁、１５…記録ヘッド、１６…制御部、１７…インク供給チューブ、１８…カバー部としてのタンクカバー、１９…透光部、２０…タンクユニット、２１…タンク、３０…外縁部、３１…目盛、３２…識別マーク、３４…輪郭線、Ｐ…記録媒体。
【図１】
2018111259.tif 000003
【図２】
2018111259.tif 000004
【図３】
2018111259.tif 000005
【図４】
2018111259.tif 000006
【図５】
2018111259.tif 000007
【図６】
2018111259.tif 000008
【図７】
2018111259.tif 000009
【図８】
2018111259.tif 000010
【図９】
2018111259.tif 000011
【図１０】
2018111259.tif 000012
【図１１】
2018111259.tif 000013
【図１２】
2018111259.tif 000014
【図１３】
2018111259.tif 000015
【図１４】
2018111259.tif 000016
【図１５】
2018111259.tif 000017
【図１６】
2018111259.tif 000018
【図１７】
2018111259.tif 000019
【図１８】
2018111259.tif 000020
【図１９】
2018111259.tif 000021
【図２０】
2018111259.tif 000022
【図２１】
2018111259.tif 000023
【図２２】
2018111259.tif 000024
【図２３】
2018111259.tif 000025
【図２４】
2018111259.tif 000026
【図２５】
2018111259.tif 000027
【図２６】
2018111259.tif 000028
【図２７】
2018111259.tif 000029
【図２８】
2018111259.tif 000030
【図２９】
2018111259.tif 000031
【図３０】
2018111259.tif 000032
【図３１】
2018111259.tif 000033
【図３２】
2018111259.tif 000034
【図３３】
2018111259.tif 000035
【図３４】
2018111259.tif 000036
【図３５】
2018111259.tif 000037
【図３６】
2018111259.tif 000038
【図３７】
2018111259.tif 000039
【図３８Ａ】
2018111259.tif 000040
【図３８Ｂ】
2018111259.tif 000041
【図３９】
2018111259.tif 000042
【図４０】
2018111259.tif 000043
【図４１】
2018111259.tif 000044
【図４２】
2018111259.tif 000045
【図４３】
2018111259.tif 000046
【図４４】
2018111259.tif 000047
【図４５】
2018111259.tif 000048
【図４６】
2018111259.tif 000049
【図４７】
2018111259.tif 000050
【図４８】
2018111259.tif 000051
【図４９】
2018111259.tif 000052
【図５０】
2018111259.tif 000053
【図５１】
2018111259.tif 000054
【図５２】
2018111259.tif 000055
【図５３】
2018111259.tif 000056
【図５４】
2018111259.tif 000057
【図５５】
2018111259.tif 000058
【図５６】
2018111259.tif 000059
【図５７】
2018111259.tif 000060
【図５８】
2018111259.tif 000061
【図５９】
2018111259.tif 000062
【図６０】
2018111259.tif 000063
【図６１】
2018111259.tif 000064
【図６２】
2018111259.tif 000065
【図６３】
2018111259.tif 000066
【図６４】
2018111259.tif 000067
【図６５】
2018111259.tif 000068
【図６６】
2018111259.tif 000069
【図６７】
2018111259.tif 000070
【図６８】
2018111259.tif 000071
【図６９】
2018111259.tif 000072
【図７０】
2018111259.tif 000073